(57)【要約】【課題】耐光性及び耐オゾン性に優れ、ブロンズ現象の発生を抑えた画像を形成することができるインクセット、インクジェット記録方法及び記録物を得る。【解決手段】少なくとも、イエローインク組成物、マゼンタインク組成物、及びシアンインク組成物を備えたインクセットであって、前記イエロ−インク組成物がイエロ−着色剤として特定構造で表される化合物及びその塩からなる群から選ばれる少なくとも一種を含有し、かつ該イエローインク組成物、該マゼンタインク組成物、及び該シアンインク組成物中にそれぞれ含まれるイエロー着色剤、マゼンタ着色剤、シアン着色剤はそれぞれ少なくとも一つのイオン性親水性基を有し、該イオン性親水性基の対イオンがリチウムイオンを含み、各インク組成物中の全カチオンにおけるリチウムイオン濃度が７０モル％以上であることを特徴とするインクセット。【選択図】なし【特許請求の範囲】
【請求項１】
少なくとも、イエローインク組成物、マゼンタインク組成物、及びシアンインク組成物を備えたインクセットであって、前記イエロ−インク組成物がイエロ−着色剤として下記一般式（Ｙ−Ｉ）で表される化合物及びその塩からなる群から選ばれる少なくとも一種を含有し、かつ該イエローインク組成物、該マゼンタインク組成物、及び該シアンインク組成物中にそれぞれ含まれるイエロー着色剤、マゼンタ着色剤、シアン着色剤はそれぞれ少なくとも一つのイオン性親水性基を有し、該イオン性親水性基の対イオンがリチウムイオンを含み、各インク組成物中の全カチオンにおけるリチウムイオン濃度が７０モル％以上であることを特徴とするインクセット。
一般式（Ｙ−Ｉ）：
【化１】
2009132891.tif 000087
（一般式（Ｙ−Ｉ）中、Ｇはヘテロ環基を表し、ｎは１〜３の整数を表す。ｎが１の時は、Ｒ、Ｘ、Ｙ、Ｚ、Ｑ、Ｇは一価の基を表す。ｎが２の時は、Ｒ、Ｘ、Ｙ、Ｚ、Ｑ、Ｇは一価または２価の置換基を表し、少なくとも１つは２価の置換基を表す。ｎが３の時は、Ｒ、Ｘ、Ｙ、Ｚ、Ｑ、Ｇは一価、２価または３価の置換基を表し、少なくとも二つが２価の置換基を表すかまたは少なくとも１つが３価の置換基を表す。但し、一般式（Ｙ−Ｉ）は、少なくとも一つのイオン性親水性基を有し、該イオン性親水性基の対イオンがリチウムイオンを含む。）
【請求項２】
少なくとも、イエローインク組成物、マゼンタインク組成物、及びシアンインク組成物を備えたインクセットであって、前記イエロ−インク組成物がイエロ−着色剤として下記一般式（Ｙ−Ｉ）で表される化合物及びその塩からなる群から選ばれる少なくとも一種を含有し、かつ該イエローインク組成物、該マゼンタインク組成物、及び該シアンインク組成物中にそれぞれ含まれるイエロー着色剤、マゼンタ着色剤、シアン着色剤はそれぞれ少なくとも一つのイオン性親水性基を有し、該イオン性親水性基の対イオンがリチウムイオンを含み、イエローインク組成物中に含まれる、インク単位重量あたりのリチウムイオンのモル数が、２．０×１０-5ｍｏｌ／ｇ〜１．０×１０-3ｍｏｌ／ｇであり、マゼンタインク組成物中に含まれる、インク単位重量あたりのリチウムイオンのモル数が、２．０×１０-6ｍｏｌ／ｇ〜１．０×１０-3ｍｏｌ／ｇであり、シアンインク組成物中に含まれる、インク単位重量あたりのリチウムイオンのモル数が、５．０×１０-6ｍｏｌ／ｇ〜１．０×１０-3ｍｏｌ／ｇであることを特徴とするインクセット。
一般式（Ｙ−Ｉ）：
【化２】
2009132891.tif 000088
（一般式（Ｙ−Ｉ）中、Ｇはヘテロ環基を表し、ｎは１〜３の整数を表す。ｎが１の時は、Ｒ、Ｘ、Ｙ、Ｚ、Ｑ、Ｇは一価の基を表す。ｎが２の時は、Ｒ、Ｘ、Ｙ、Ｚ、Ｑ、Ｇは一価または２価の置換基を表し、少なくとも１つは２価の置換基を表す。ｎが３の時は、Ｒ、Ｘ、Ｙ、Ｚ、Ｑ、Ｇは一価、２価または３価の置換基を表し、少なくとも二つが２価の置換基を表すかまたは少なくとも１つが３価の置換基を表す。但し、一般式（Ｙ−Ｉ）は、少なくとも一つのイオン性親水性基を有し、該イオン性親水性基の対イオンがリチウムイオンを含む。）
【請求項３】
一般式（Ｙ−Ｉ）で表される化合物及びその塩が、下記一般式（Ｙ−１）、一般式（Ｙ−２）、一般式（Ｙ−３）、一般式（Ｙ−４）並びに一般式（Ｙ−５）で表される化合物及びその塩のいずれかであることを特徴とする請求項１又は２に記載のインクセット。
一般式（Ｙ−１）：
【化３】
2009132891.tif 000089
（一般式（Ｙ−１）中、Ｒ1、Ｒ2、Ｘ1、Ｘ2、Ｙ1、Ｙ2、Ｚ1、及びＺ2は一価の基を示し、Ｇは５〜８員含窒素ヘテロ環を構成する原子団を示し、Ｍは水素原子またはカチオンを示す。ｍ1は０〜３の整数を表す。但し、一般式（Ｙ−１）は、少なくとも一つのイオン性親水性基を有し、該イオン性親水性基の対イオンがリチウムイオンを含む。）
一般式（Ｙ−２）：
【化４】
2009132891.tif 000090
（一般式（Ｙ−２）中、Ｒ1、Ｒ2、Ｒ11、Ｒ12、Ｘ1、Ｘ2、Ｚ1、及びＺ2は一価の基を示し、Ｌ1は２価の連結基を示し、Ｇ1、Ｇ2はそれぞれ独立に５〜８員含窒素ヘテロ環を構成する原子団を示し、Ｍは水素原子またはカチオンを示す。ｍ21、ｍ22は、それぞれ独立に０〜３の整数を表す。但し、一般式（Ｙ−２）は、少なくとも一つのイオン性親水性基を有し、該イオン性親水性基の対イオンがリチウムイオンを含む。）
一般式（Ｙ−３）：
【化５】
2009132891.tif 000091
（一般式（Ｙ−３）中、Ｒ1、Ｒ2、Ｒ11、Ｒ12、Ｘ1、Ｘ2、Ｙ1、及びＹ2は一価の基を示し、Ｌ2は２価の連結基を示し、Ｇ1、Ｇ2はそれぞれ独立に５〜８員含窒素ヘテロ環を構成する原子団を示し、Ｍは水素原子またはカチオンを示す。ｍ31、ｍ32は、それぞれ独立に０〜３の整数を表す。但し、一般式（Ｙ−３）は、少なくとも一つのイオン性親水性基を有し、該イオン性親水性基の対イオンがリチウムイオンを含む。）
一般式（Ｙ−４）：
【化６】
2009132891.tif 000092
（一般式（Ｙ−４）中、Ｒ11、Ｒ12、Ｘ1、Ｘ2、Ｙ1、Ｙ2、Ｚ1、及びＺ2は一価の基を示し、Ｌ3は２価の連結基を示し、Ｇ1、Ｇ2はそれぞれ独立に５〜８員含窒素ヘテロ環を構成する原子団を示し、Ｍは水素原子またはカチオンを示す。ｍ41、ｍ42は、それぞれ独立に０〜３の整数を表す。但し、一般式（Ｙ−４）は、少なくとも一つのイオン性親水性基を有し、該イオン性親水性基の対イオンがリチウムイオンを含む。）
一般式（Ｙ−５）：
【化７】
2009132891.tif 000093
（一般式（Ｙ−５）中、Ｒ1、Ｒ2、Ｒ11、Ｒ12、Ｙ1、Ｙ2、Ｚ1、及びＺ2は一価の基を示し、Ｌ4は２価の連結基を示し、Ｇ1、Ｇ2はそれぞれ独立に５〜８員含窒素ヘテロ環を構成する原子団を示し、Ｍは水素原子またはカチオンを示す。ｍ51、ｍ52は、それぞれ独立に０〜３の整数を表す。但し、一般式（Ｙ−５）は、少なくとも一つのイオン性親水性基を有し、該イオン性親水性基の対イオンがリチウムイオンを含む。）
【請求項４】
一般式（Ｙ−１）、一般式（Ｙ−２）、一般式（Ｙ−３）、一般式（Ｙ−４）、一般式
（Ｙ−５）中、Ｇ、Ｇ1及びＧ2で構成される含窒素ヘテロ環がＳ−トリアジン環であることを特徴とする請求項３に記載のインクセット。
【請求項５】
一般式（Ｙ−１）で表される化合物及びその塩が、下記一般式（Ｙ−６）で表される化合物及びその塩であることを特徴とする請求項３または４に記載のインクセット。
一般式（Ｙ−６）：
【化８】
2009132891.tif 000094
（一般式（Ｙ−６）中、Ｒ1、Ｒ2、Ｙ1、およびＹ2は一価の基を示し、Ｘ1、Ｘ2はそれぞれ独立にハメットのσｐ値０．２０以上の電子求引性基を示す。Ｚ1、Ｚ2はそれぞれ独立に、水素原子、置換または無置換のアルキル基、置換または無置換のアルケニル基、置換または無置換のアルキニル基、置換または無置換のアラルキル基、置換または無置換のアリール基、置換または無置換のヘテロ環基を示す。Ｍは水素原子またはカチオンを示す。但し、一般式（Ｙ−６）は、少なくとも一つのイオン性親水性基を有し、該イオン性親水性基の対イオンがリチウムイオンを含む。）
【請求項６】
前記イエロ−インク組成物に、着色剤として下記一般式（Ｙ−７）で表される化合物及びその塩からなる群から選ばれる少なくとも一種をさらに含むことを特徴とする請求項１〜５のいずれか一項に記載のインクセット。
一般式（Ｙ−７）：
【化９】
2009132891.tif 000095
（一般式（Ｙ−７）中、Ａ1、Ａ2は、置換または無置換のアリール基、及びまたは、置換または無置換の５または６員ヘテロ環基を表す。Ｒ1及びＲ2は一価の基を示し、Ｇは５〜８員含窒素ヘテロ環を構成する原子団を示し、Ｍは水素原子またはカチオンを示す。ｍ1は０〜３の整数を表す。但し、一般式（Ｙ−７）は、少なくとも一つのイオン性親水性基を有し、該イオン性親水性基の対イオンがリチウムイオンを含む。Ａ1、Ａ2が５員ヘテロ環基を表す場合は、ピラゾール環を除く。）
【請求項７】
一般式（Ｙ−７）で表される化合物及びその塩が、下記一般式（Ｙ−８）で表される化合物及びその塩であることを特徴とする請求項６に記載のインクセット。
一般式（Ｙ−８）：
【化１０】
2009132891.tif 000096
（一般式（Ｙ−８）中、Ａ1、Ａ2、Ｒ1、Ｒ2及びＭは、上記一般式（Ｙ−７）中のＡ1、Ａ2、Ｒ1、Ｒ2及びＭと同義である。但し、一般式（Ｙ−８）は、少なくとも一つのイオン性親水性基を有し、該イオン性親水性基の対イオンがリチウムイオンを含む。Ａ1、Ａ2が５員ヘテロ環基を表す場合は、ピラゾール環を除く。）
【請求項８】
一般式（Ｙ−８）で表される化合物及びその塩が、下記一般式（Ｙ−９）で表される化合物及びその塩であることを特徴とする請求項７に記載のインクセット。
一般式（Ｙ−９）：
【化１１】
2009132891.tif 000097
（一般式（Ｙ−９）中、Ｒ1、Ｒ2、Ｒ11、およびＲ12は一価の基を示す。Ｍは、水素原子またはカチオンを示す。但し、一般式（Ｙ−９）は、少なくとも一つのイオン性親水性基を有し、イオン性親水性基の対イオンがリチウムイオンを含む。）
【請求項９】
イエローインク組成物が、前記一般式（Ｙ−Ｉ）、（Ｙ−１）〜（Ｙ−６）で表される化合物及びその塩からなる群から選ばれる少なくとも一種を着色剤として含む；または、前記一般式（Ｙ−Ｉ）、（Ｙ−１）〜（Ｙ−６）で表される化合物及びその塩からなる群から選ばれる少なくとも一種と更に前記一般式（Ｙ−７）〜（Ｙ−９）で表される化合物及びその塩からなる群から選ばれる少なくとも一種を着色剤として含む；かつ前記着色剤の合計量が前記イエローインク組成物の総重量に対し１〜８重量％含まれていることを特徴とする請求項１〜８のいずれかに記載のインクセット。
【請求項１０】
前記イエローインク組成物に含まれる、前記一般式（Ｙ−Ｉ）、（Ｙ−１）〜（Ｙ−６）で表される化合物及びその塩からなる群から選ばれる少なくとも一種の着色剤の濃度（重量％）と前記一般式（Ｙ−７）〜（Ｙ−９）で表される化合物及びその塩からなる群から選ばれる少なくとも一種の着色剤の濃度（重量％）との比が、４：１〜１０：１の範囲であることを特徴とする請求項９のいずれかに記載のインクセット。
【請求項１１】
請求項１〜１０のいずれか一項に記載されたインクセットを一体的に又は独立に収容したことを特徴とするインクカートリッジ。
【請求項１２】
請求項１〜９のいずれか一項に記載のインクセットを構成するインクを吐出させることによって記録することを特徴とするインクジェット記録方法。
【請求項１３】
支持体上に白色無機顔料を含有するインク受容層を有する受像材料上に、画像形成することを特徴とする請求項１２に記載のインクジェット記録方法。
【請求項１４】
請求項１〜１０のいずれか一項に記載のインクセットを構成するインクで記録されたことを特徴とする記録物。
【発明の詳細な説明】
【技術分野】
【０００１】
本発明は、インクセット、特に、優れた耐光性及び耐オゾン性を示し、単色及び混色における色濃度に優れ、かつブロンズ現象の発生を抑えた画像を形成することができるインクセット、インクジェット記録方法、及び記録物に関するものである。
【背景技術】
【０００２】
近年、画像記録材料としては、特にカラー画像を形成するための材料が主流であり、具体的には、インクジェット方式の記録材料、感熱転写方式の記録材料、電子写真方式の記録材料、転写式ハロゲン化銀感光材料、印刷インク、記録ペン等が盛んに利用されている。
インクジェット記録方法は、材料費が安価であること、高速記録が可能なこと、記録時の騒音が少ないこと、更にカラー記録が容易であることから、急速に普及し、更に発展しつつある。
インクジェット記録方法には、連続的に液滴を飛翔させるコンティニュアス方式と画像情報信号に応じて液滴を飛翔させるオンデマンド方式が有り、その吐出方式にはピエゾ素子により圧力を加えて液滴を吐出させる方式、熱によりインク中に気泡を発生させて液滴を吐出させる方式、超音波を用いた方式、あるいは静電力により液滴を求引吐出させる方式がある。これらのインクジェット記録用インクとしては、水性インク、油性インク、あるいは固体（溶融型）インクが用いられる。
【０００３】
複数のカラーインク組成物を用いたインクジェット記録方法によるカラー画像の形成は、イエローインク組成物、マゼンタインク組成物、及びシアンインク組成物の三色、さらに所望によりブラックインク組成物を加えた四色によって行われている。また、これらの四色にライトシアンインク組成物及びライトマゼンタインク組成物を加えた六色又はそれらにさらにダークイエローインク組成物を加えた七色によってカラー画像形成を行なう場合もある。このような２種以上のインク組成物を組み合わせたものがインクセットである。
カラー画像の形成に用いられるインク組成物には、各色ごとのインク組成物自身が良好な着色性（高い光学濃度）を有していることに加え、複数色のインク組成物を組み合わせたときに良好な中間色を着色することができること、及び得られる記録物が保存中に変退色しないこと等が求められる。
【０００４】
また、このようなインクジェット記録用インクに用いられる色素に対しては、溶剤に対する溶解性あるいは分散性が良好なこと、高濃度記録が可能であること、色相が良好であること、光、熱、環境中の活性ガス（ＮＯｘ、オゾン等の酸化性ガスの他ＳＯｘなど）に対して堅牢であること、水や薬品に対する堅牢性に優れていること、受像材料に対して定着性が良く滲みにくいこと、インクとしての保存性に優れていること、毒性がないこと、純度が高いこと、更には、安価に入手できることが要求されている。
しかしながら、これらの要求を高いレベルで満たす色素を捜し求めることは、極めて難しい。
【０００５】
インクセットにおいては、インクセットを構成する各インク組成物各々の発色性、堅牢性、保存性に加え、特に混色部分（例えば、グリーン部、ブルー部、レッド部、グレー部等）においても、色相（色再現域が広い）、堅牢性、保存性に優れ、高い着色力（光学濃度が高い）とブロンズ現象を抑制することを同時に改良することが要求されている。
しかしながら、光学濃度が高い記録画像を形成させた場合においては、乾燥するにつれて色素の結晶が記録材料表面に析出して、記録画像が光を反射して金属光沢を放つという、いわゆるブロンズ現象が生じるという問題があった。この現象は、耐水性を向上させるために色素の水溶解性を下げたり、色素構造中に水素結合基のアミノ基を導入したりすることにより、色素の会合性（凝集性）が高まることによって生じやすくなると考えられる。ブロンズ現象の発生によって光を反射するので、乾燥するにつれて記録画像の光学濃度が低下してしまうばかりでなく、記録画像の色相も所望のものとは大きく異なってしまうため、単色部及び混色部におけるブロンズ現象抑制、色相、光学濃度等の全ての点で優れた性能を示すインクジェットインクを見出すことは技術上困難である。
【０００６】
ブロンズ現象抑制の方法として、特許文献１にはインクジェット記録用イエローインクにおける１価の金属イオン、水素イオン、アンモニウムイオン、有機４級窒素イオンおよび塩基性有機物中の窒素原子がプロトン付加され生じるイオン以外のカチオンの該インク中での総量を調整することが開示されている。また、特許文献２にはインクジェット記録用インクセットに含まれる染料のアニオン性基の対カチオンを変更することで印字されたインクが混合しても析出しにくく、ブロンズ部が発生しにくいインクジェット記録用インクセットが開示されている。更に特許文献３にはインクジェット記録用イエローインクに含まれるイエロー染料のイオン性親水性基の対カチオンを変更し、色相及びブロンズ現象抑制の点で効果が得られたことが開示されている。特に特許文献４にはインクジェット記録用インクセットとして、極めて良好なイエロー、マゼンタ、シアン、ブラックインクの各着色剤の組合せを最も好ましい形態で用いることにより、各単色（イエロー、マゼンタ、シアン）及びグレー部のブロンズ現象抑制の点で効果が得られたことが開示されている。
【０００７】
インクセットは近年写真画像の印刷に好適に用いられており、写真画像の形成においては、水溶性インクジェット記録用インクに求められている前記性能を全て解決し、より更に優れたインクセットの開発が強く望まれている。その中でも特に、混色部分（例えば、グリーン部、ブルー部、レッド部、グレー部等）においてもブロンズ現象を同時に高いレベルで改良することが高画質化の点で要求され続けている。
【０００８】
【特許文献１】特開２００４−１２３７７７号公報
【特許文献２】特開２００４−３０７８１９号公報
【特許文献３】特開２００７−６３５２０号公報
【特許文献４】特開２００７−１３８１２４号公報
【発明の開示】
【発明が解決しようとする課題】
【０００９】
本発明は、上記課題を解決すべく完成されたものであり、インクセットを構成する各インク組成物各々の堅牢性、保存性、ブロンズ現象の改良に加え、混色部分（例えば、グリーン部、ブルー部、レッド部、グレー部等）のブロンズ現象を同時に高いレベルで改良した点で、良好な画像を記録媒体上に記録することが可能なインクセット、そのインクセットを収容したインクカートリッジ、そのインクカートリッジが装填されていることを特徴とするインクジェットプリンター、そのインクセットを使用した記録方法、及びそのインクセットにより記録された記録物、インクカートリッジを用いて形成した着色画像材料の褪色改良方法及びブロンズ光沢改良方法に関するものである。
【課題を解決するための手段】
【００１０】
本発明者らは、良好な色相と溶解性を有し、かつ光堅牢性及びガス堅牢性（特に、オゾンガス）の高い染料を詳細に検討したところ、従来知られていない、特定の構造の各色染料を組み合わせ、かつ各インク組成物中の全対カチオンにおけるリチウムイオン濃度を７０モル％以上とすることにより、前記課題を解決できることを見出し、本発明を完成するに至った。
即ち、前記課題を解決するための手段は、以下の通りである。
【００１１】
〔１〕
少なくとも、イエローインク組成物、マゼンタインク組成物、及びシアンインク組成物を備えたインクセットであって、前記イエロ−インク組成物がイエロ−着色剤として下記一般式（Ｙ−Ｉ）で表される化合物及びその塩からなる群から選ばれる少なくとも一種を含有し、かつ該イエローインク組成物、該マゼンタインク組成物、及び該シアンインク組成物中にそれぞれ含まれるイエロー着色剤、マゼンタ着色剤、シアン着色剤はそれぞれ少なくとも一つのイオン性親水性基を有し、該イオン性親水性基の対イオンがリチウムイオンを含み、各インク組成物中の全カチオンにおけるリチウムイオン濃度が７０モル％以上であることを特徴とするインクセット。
【００１２】
【化１】
2009132891.tif 000002
【００１３】
（一般式（Ｙ−Ｉ）中、Ｇはヘテロ環基を表し、ｎは１〜３の整数を表す。ｎが１の時は、Ｒ、Ｘ、Ｙ、Ｚ、Ｑ、Ｇは一価の基を表す。ｎが２の時は、Ｒ、Ｘ、Ｙ、Ｚ、Ｑ、Ｇは一価または２価の置換基を表し、少なくとも１つは２価の置換基を表す。ｎが３の時は、Ｒ、Ｘ、Ｙ、Ｚ、Ｑ、Ｇは一価、２価または３価の置換基を表し、少なくとも二つが２価の置換基を表すかまたは少なくとも１つが３価の置換基を表す。但し、一般式（Ｙ−Ｉ）は、少なくとも一つのイオン性親水性基を有し、該イオン性親水性基の対イオンがリチウムイオンを含む。）
〔２〕
少なくとも、イエローインク組成物、マゼンタインク組成物、及びシアンインク組成物を備えたインクセットであって、前記イエロ−インク組成物がイエロ−着色剤として下記一般式（Ｙ−Ｉ）で表される化合物及びその塩からなる群から選ばれる少なくとも一種を含有し、かつ該イエローインク組成物、該マゼンタインク組成物、及び該シアンインク組成物中にそれぞれ含まれるイエロー着色剤、マゼンタ着色剤、シアン着色剤はそれぞれ少なくとも一つのイオン性親水性基を有し、該イオン性親水性基の対イオンがリチウムイオンを含み、イエローインク組成物中に含まれる、インク単位重量あたりのリチウムイオンのモル数が、２．０×１０-5ｍｏｌ／ｇ〜１．０×１０-3ｍｏｌ／ｇであり、マゼンタインク組成物中に含まれる、インク単位重量あたりのリチウムイオンのモル数が、２．０×１０-6ｍｏｌ／ｇ〜１．０×１０-3ｍｏｌ／ｇであり、シアンインク組成物中に含まれる、インク単位重量あたりのリチウムイオンのモル数が、５．０×１０-6ｍｏｌ／ｇ〜１．０×１０-3ｍｏｌ／ｇであることを特徴とするインクセット。
【００１４】
【化２】
2009132891.tif 000003
【００１５】
（一般式（Ｙ−Ｉ）中、Ｇはヘテロ環基を表し、ｎは１〜３の整数を表す。ｎが１の時は、Ｒ、Ｘ、Ｙ、Ｚ、Ｑ、Ｇは一価の基を表す。ｎが２の時は、Ｒ、Ｘ、Ｙ、Ｚ、Ｑ、Ｇは一価または２価の置換基を表し、少なくとも１つは２価の置換基を表す。ｎが３の時は、Ｒ、Ｘ、Ｙ、Ｚ、Ｑ、Ｇは一価、２価または３価の置換基を表し、少なくとも二つが２価の置換基を表すかまたは少なくとも１つが３価の置換基を表す。但し、一般式（Ｙ−Ｉ）は、少なくとも一つのイオン性親水性基を有し、該イオン性親水性基の対イオンがリチウムイオンを含む。）
〔３〕
一般式（Ｙ−Ｉ）で表される化合物及びその塩が、下記一般式（Ｙ−１）、一般式（Ｙ−２）、一般式（Ｙ−３）、一般式（Ｙ−４）又は一般式（Ｙ−５）で表される化合物及びその塩であることを特徴とする〔１〕又は〔２〕に記載のインクセット。
【００１６】
【化３】
2009132891.tif 000004
【００１７】
（一般式（Ｙ−１）中、Ｒ1、Ｒ2、Ｘ1、Ｘ2、Ｙ1、Ｙ2、Ｚ1、及びＺ2は一価の基を示し、Ｇは５〜８員含窒素ヘテロ環を構成する原子団を示し、Ｍは水素原子またはカチオンを示す。ｍ1は０〜３の整数を表す。但し、一般式（Ｙ−１）は、少なくとも一つのイオン性親水性基を有し、該イオン性親水性基の対イオンがリチウムイオンを含む。）
【００１８】
【化４】
2009132891.tif 000005
【００１９】
（一般式（Ｙ−２）中、Ｒ1、Ｒ2、Ｒ11、Ｒ12、Ｘ1、Ｘ2、Ｚ1、及びＺ2は一価の基を示し、Ｌ1は２価の連結基を示し、Ｇ1、Ｇ2はそれぞれ独立に５〜８員含窒素ヘテロ環を構成する原子団を示し、Ｍは水素原子またはカチオンを示す。ｍ21、ｍ22は、それぞれ独立に０〜３の整数を表す。但し、一般式（Ｙ−２）は、少なくとも一つのイオン性親水性基を有し、該イオン性親水性基の対イオンがリチウムイオンを含む。）
【化５】
2009132891.tif 000006
【００２０】
（一般式（Ｙ−３）中、Ｒ1、Ｒ2、Ｒ11、Ｒ12、Ｘ1、Ｘ2、Ｙ1、及びＹ2は一価の基を示し、Ｌ2は２価の連結基を示し、Ｇ1、Ｇ2はそれぞれ独立に５〜８員含窒素ヘテロ環を構成する原子団を示し、Ｍは水素原子またはカチオンを示す。ｍ31、ｍ32は、それぞれ独立に０〜３の整数を表す。但し、一般式（Ｙ−３）は、少なくとも一つのイオン性親水性基を有し、該イオン性親水性基の対イオンがリチウムイオンを含む。）
【００２１】
【化６】
2009132891.tif 000007
【００２２】
（一般式（Ｙ−４）中、Ｒ11、Ｒ12、Ｘ1、Ｘ2、Ｙ1、Ｙ2、Ｚ1、及びＺ2は一価の基を示し、Ｌ3は２価の連結基を示し、Ｇ1、Ｇ2はそれぞれ独立に５〜８員含窒素ヘテロ環を構成する原子団を示し、Ｍは水素原子またはカチオンを示す。ｍ41、ｍ42は、それぞれ独立に０〜３の整数を表す。但し、一般式（Ｙ−４）は、少なくとも一つのイオン性親水性基を有し、該イオン性親水性基の対イオンがリチウムイオンを含む。）
【化７】
2009132891.tif 000008
【００２３】
（一般式（Ｙ−５）中、Ｒ1、Ｒ2、Ｒ11、Ｒ12、Ｙ1、Ｙ2、Ｚ1、及びＺ2は一価の基を示し、Ｌ4は２価の連結基を示し、Ｇ1、Ｇ2はそれぞれ独立に５〜８員含窒素ヘテロ環を構成する原子団を示し、Ｍは水素原子またはカチオンを示す。ｍ51、ｍ52は、それぞれ独立に０〜３の整数を表す。但し、一般式（Ｙ−５）は、少なくとも一つのイオン性親水性基を有し、該イオン性親水性基の対イオンがリチウムイオンを含む。）
〔４〕
一般式（Ｙ−１）、一般式（Ｙ−２）、一般式（Ｙ−３）、一般式（Ｙ−４）、一般式
（Ｙ−５）中、Ｇ、Ｇ1及びＧ2で構成される含窒素ヘテロ環がＳ−トリアジン環であることを特徴とする〔３〕に記載のインクセット。
〔５〕
一般式（Ｙ−１）で表される化合物及びその塩が、下記一般式（Ｙ−６）で表される化合物及びその塩であることを特徴とする〔３〕または〔４〕に記載のインクセット。
【００２４】
【化８】
2009132891.tif 000009
【００２５】
（一般式（Ｙ−６）中、Ｒ1、Ｒ2、Ｙ1、およびＹ2は一価の基を示し、Ｘ1、Ｘ2はそれぞれ独立にハメットのσｐ値０．２０以上の電子求引性基を示す。Ｚ1、Ｚ2はそれぞれ独立に、水素原子、置換または無置換のアルキル基、置換または無置換のアルケニル基、置換または無置換のアルキニル基、置換または無置換のアラルキル基、置換または無置換のアリール基、置換または無置換のヘテロ環基を示す。Ｍは水素原子またはカチオンを示す。但し、一般式（Ｙ−６）は、少なくとも一つのイオン性親水性基を有し、該イオン性親水性基の対イオンがリチウムイオンを含む。）
〔６〕
前記イエロ−インク組成物に、着色剤として下記一般式（Ｙ−７）で表される化合物及びその塩からなる群から選ばれる少なくとも一種をさらに含むことを特徴とする〔１〕〜〔５〕のいずれか一項に記載のインクセット。
【化９】
2009132891.tif 000010
【００２６】
（一般式（Ｙ−７）中、Ａ1、Ａ2は、置換または無置換のアリール基、及びまたは、置換または無置換の５または６員ヘテロ環基を表す。Ｒ1及びＲ2は一価の基を示し、Ｇは５〜８員含窒素ヘテロ環を構成する原子団を示し、Ｍは水素原子またはカチオンを示す。ｍ1は０〜３の整数を表す。但し、一般式（Ｙ−７）は、少なくとも一つのイオン性親水性基を有し、該イオン性親水性基の対イオンがリチウムイオンを含む。Ａ1、Ａ2が５員ヘテロ環基を表す場合は、ピラゾール環を除く。）
〔７〕
一般式（Ｙ−７）で表される化合物及びその塩が、下記一般式（Ｙ−８）で表される化合物及びその塩であることを特徴とする〔６〕に記載のインクセット。
【００２７】
【化１０】
2009132891.tif 000011
【００２８】
（一般式（Ｙ−８）中、Ａ1、Ａ2、Ｒ1、Ｒ2及びＭは、上記一般式（Ｙ−７）中のＡ1、Ａ2、Ｒ1、Ｒ2及びＭと同義である。但し、一般式（Ｙ−８）は、少なくとも一つのイオン性親水性基を有し、該イオン性親水性基の対イオンがリチウムイオンを含む。Ａ1、Ａ2が５員ヘテロ環基を表す場合は、ピラゾール環を除く。）
〔８〕
一般式（Ｙ−８）で表される化合物及びその塩が、下記一般式（Ｙ−９）で表される化合物及びその塩であることを特徴とする〔７〕に記載のインクセット。
【００２９】
【化１１】
2009132891.tif 000012
【００３０】
（一般式（Ｙ−９）中、Ｒ1、Ｒ2、Ｒ11、およびＲ12は一価の基を示す。Ｍは、水素原子またはカチオンを示す。但し、一般式（Ｙ−９）は、少なくとも一つのイオン性親水性基を有し、イオン性親水性基の対イオンがリチウムイオンを含む。）
〔９〕
イエローインク組成物が、前記一般式（Ｙ−Ｉ）、（Ｙ−１）〜（Ｙ−６）で表される化合物及びその塩からなる群から選ばれる少なくとも一種を着色剤として含む；または、前記一般式（Ｙ−Ｉ）、（Ｙ−１）〜（Ｙ−６）で表される化合物及びその塩からなる群から選ばれる少なくとも一種と更に前記一般式（Ｙ−７）〜（Ｙ−９）で表される化合物及びその塩からなる群から選ばれる少なくとも一種を着色剤として含む；かつ前記着色剤の合計量が前記イエローインク組成物の総重量に対し１〜８重量％含まれていることを特徴とする〔１〕〜〔８〕のいずれかに記載のインクセット。
〔１０〕
前記イエローインク組成物に含まれる、前記一般式（Ｙ−Ｉ）、（Ｙ−１）〜（Ｙ−６）で表される化合物及びその塩からなる群から選ばれる少なくとも一種の着色剤の濃度（重量％）と前記一般式（Ｙ−７）〜（Ｙ−９）で表される化合物及びその塩からなる群から選ばれる少なくとも一種の着色剤の濃度（重量％）との比が、４：１〜１０：１の範囲であることを特徴とする〔６〕〜〔９〕のいずれかに記載のインクセット。
〔１１〕
〔１〕〜〔１０〕のいずれか一項に記載されたインクセットを一体的に又は独立に収容したことを特徴とするインクカートリッジ。
〔１２〕
〔１１〕に記載のインクカートリッジが装填されていることを特徴とするインクジェットプリンター。
〔１３〕
〔１〕〜〔９〕のいずれか一項に記載のインクセットを構成するインクを吐出させることによって記録することを特徴とするインクジェット記録方法。
〔１４〕
支持体上に白色無機顔料を含有するインク受容層を有する受像材料上に、画像形成することを特徴とする〔１３〕に記載のインクジェット記録方法。
〔１５〕
〔１〕〜〔１０〕のいずれか一項に記載のインクセットを構成するインクで記録されたことを特徴とする記録物。
〔１６〕
〔１〕〜〔１０〕のいずれか一項に記載のインクセットを構成するインクで形成した着色画像の褪色改良方法。
〔１７〕
〔１〕〜〔１０〕のいずれか一項に記載のインクセットを構成するインクで形成した着色画像のブロンズ光沢改良方法。
【発明の効果】
【００３１】
本発明のインクセットにより、印刷された記録物の画像の単色部の着色性、堅牢性、保存性に加え、混色部分、特にイエロー染料とシアン染料が印字された部位においてもブロンズ現象を同時に高いレベルで改良した良好な画像を形成することができる。
【発明を実施するための最良の形態】
【００３２】
本発明者らは、複数色の各種インク組成物を組み合わせてインクセットを構成し、それを用いて形成された画像の耐光性、耐オゾン性、着色力（光学濃度）、ブロンズ現象の抑制を向上するための検討を行った。
本発明におけるインクは、染料や顔料などの着色剤とそれの分散剤（溶媒など）を含有する組成物を意味し特に画像形成に好適に使用できる。
以下、本発明について詳細に説明する。
【００３３】
本発明のインクセットは、少なくとも、イエローインク組成物、マゼンタインク組成物、及びシアンインク組成物を備えたインクセットであって、前記イエロ−インク組成物がイエロ−着色剤として特定の構造で表される化合物及びその塩からなる群から選ばれる少なくとも一種を含有し、かつ該イエローインク組成物、該マゼンタインク組成物、及び該シアンインク組成物中にそれぞれ含まれるイエロー着色剤、マゼンタ着色剤、シアン着色剤はそれぞれ少なくとも一つのイオン性親水性基を有し、該イオン性親水性基の対イオンがリチウムイオンを含み、各インク組成物中の全カチオンにおけるリチウムイオン濃度が７０モル％以上であることを特徴とする。
【００３４】
また、本発明の別の態様のインクセットは、少なくとも、イエローインク組成物、マゼンタインク組成物、及びシアンインク組成物を備えたインクセットであって、前記イエロ−インク組成物がイエロ−着色剤として下記一般式（Ｙ−Ｉ）で表される化合物及びその塩からなる群から選ばれる少なくとも一種を含有し、かつ該イエローインク組成物、該マゼンタインク組成物、及び該シアンインク組成物中にそれぞれ含まれるイエロー着色剤、マゼンタ着色剤、シアン着色剤はそれぞれ少なくとも一つのイオン性親水性基を有し、該イオン性親水性基の対イオンがリチウムイオンを含み、イエローインク組成物中に含まれる、インク単位重量あたりのリチウムイオンのモル数が、２．０×１０-5ｍｏｌ／ｇ〜１．０×１０-3ｍｏｌ／ｇであり、マゼンタインク組成物中に含まれる、インク単位重量あたりのリチウムイオンのモル数が、２．０×１０-6ｍｏｌ／ｇ〜１．０×１０-3ｍｏｌ／ｇであり、シアンインク組成物中に含まれる、インク単位重量あたりのリチウムイオンのモル数が、５．０×１０-6ｍｏｌ／ｇ〜１．０×１０-3ｍｏｌ／ｇであることを特徴とする。
【００３５】
本発明のインクセットにおいて各色着色剤のイオン性親水性基の対カチオンはリチウムイオンを含む。
対カチオンはすべてリチウムイオンでなくてもよいが、上記各インク組成物中のリチウムイオン濃度は、各インク組成物中の対イオン全体に対して、それぞれ７０モル％以上とすることが必要であり、好ましくは８０モル％以上、より好ましくは９０モル％であり、更に好ましくは９５モル％であり、上限としては１００モル％が好ましい。
このような存在比率の条件下において、水素イオン、アルカリ金属イオン（例えば、ナトリウムイオン、カリウムイオン）、アルカリ土類金属イオン（例えば、マグネシウムイオン、カルシウムイオンなど）、４級アンモニウムイオン、４級ホスホニウムイオン、スルホニウムイオンなどを対カチオンとして含むことができる。
【００３６】
上記着色剤の対カチオンの種類及び比率については、日本化学会編"新実験化学講座９  分析化学"（１９７７年  丸善）及び日本化学会編"第４版  実験化学講座１５  分析"（１９９１年  丸善）に、分析方法や元素についての各論が記載されているので、これを参考にして分析方法を選び、分析及び定量することができる。中でもイオンクロマトグラフィー、原子吸光法、誘導結合プラズマ発光分析法（ICP）などの分析法によって決定することが容易である。
対カチオンがリチウムイオンを含む本発明の着色剤を得る方法としては、いずれの方法を使用してもよい。例えば、(1)イオン交換樹脂を用いて対カチオンを別のカチオンからリチウムイオンに変換する方法、(2)リチウムイオンを含む系から酸析又は塩析する方法、(3)対カチオンがリチウムイオンである原料及び合成中間体を用いて着色剤を形成させる方法、(4)対カチオンがリチウムイオンである反応剤を用いて、各色着色剤の官能基変換によってイオン性親水性基を導入する方法、(5)着色剤中のイオン性親水性基の対カチオンが銀イオンである化合物を合成し、これをリチウムハロゲン化物溶液と反応させ析出したハロゲン化銀を除去することで対カチオンをリチウムイオンにする方法、などが挙げられる。
【００３７】
各色着色剤中のイオン性親水性基としては、イオン性解離基である限りいかなるものであってもよい。好ましいイオン性親水性基としては、スルホ基（塩でもよい）、カルボキシル基（塩でもよい）、水酸基(塩でもよい)、ホスホノ基（塩でもよい）及び４級アンモニウム基、アシルスルファモイル基（塩でもよい）、スルホニルカルバモイル基（塩でもよい）、スルホニルスルファモイル基（塩でもよい）等が含まれる。
好ましくはスルホ基、カルボキシル基、または水酸基(それらの塩を含む)である。イオン性親水性基が塩の場合、好ましいカウンターカチオンはリチウムまたはリチウムを主成分とするアルカリ金属（例えば、ナトリウム、カリウム）、アンモニウム、及び有機のカチオン（例えばピリジニウム、テトラメチルアンモニウム、グアニジニウム）混合塩を挙げることができ、その中でもリチウムまたはリチウムを主成分とするアルカリ金属混合塩が好ましく、特にスルホ基のリチウム塩、カルボキシ基のリチウム塩が、水酸基のリチウム塩が好ましい。
【００３８】
さらに本発明者らは、マゼンタ及びシアン組成物において上述した特定構造を有する染料を着色剤として用いた場合に、イエロー（Ｙ）、マゼンタ（Ｍ）、シアン（Ｃ）の各カラーが耐光性・耐オゾン性に優れ、かつ各カラー間の光・オゾンによる劣化速度の差を小さくすることができ、ある程度オゾンによる画像の劣化が進行しても観察者が画像全体の劣化を感じにくいインクセットを得ることができることを見いだした。
更には単色部分及び混色部分のブロンズ現象を抑制することを同時に高いレベルで改良した良好な画像を形成することができるインクセットを得ることができることも同時に見いだした。
【００３９】
さらに本発明者らは、上記インクセットにブラックインク組成物を含める場合、ブラックインク組成物に用いるブラック染料として上記特定構造を有する染料を用いた場合に、インクセットを構成する各インク組成物の耐光性・耐オゾン性が良好であり、かつ各インク組成物間の光・オゾン劣化速度に大きな差が生じないため、ある程度オゾンによる画像の劣化が進行しても観察者が画像全体の劣化を感じにくいインクセットを得ることができることを見いだした。
更には単色部分の堅牢性及びブロンズ現象の抑制及び混色部分のブロンズ現象を抑制することを同時に高いレベルで改良した良好な画像を形成することができるインクセットを得ることができることも同時に見いだした。
【００４０】
さらに、本発明者らは、シアン及び／又はマゼンタインク組成物について、色濃度の異なる２種のインク組成物（以下、高い色濃度を有するマゼンタ及びシアンインク組成物をそれぞれ「濃マゼンタインク組成物」及び「濃シアンインク組成物」といい、低い色濃度を有するマゼンタ及びシアンインク組成物をそれぞれ「淡マゼンタインク組成物」及び「淡シアンインク組成物」という。）を含むインクセットにおいては、淡マゼンタインク組成物及び／又は淡シアンインク組成物の着色剤として上記の特定の構造を有する染料を用いる場合、特に好ましい耐光性・耐オゾン性を有するインクセットにできることを見いだした。
更には単色部分の堅牢性及びブロンズ現象の抑制及び混色部分のブロンズ現象を抑制することを同時に高いレベルで改良した良好な画像を形成することができるインクセットを得ることができることも同時に見いだした。
【００４１】
さらに、本発明者らは、本発明のインクセットはインクジェット記録方法に用いるインクセットとして好ましいことを見いだした。
【００４２】
本発明はこれらの知見に基づいて完成されたものである。
【００４３】
本発明の第一の態様に係るインクセットは、イエローインク組成物、マゼンタインク組成物、及びシアンインク組成物を含む。
【００４４】
本発明のイエロー組成物は、着色剤として前記一般式（Ｙ−Ｉ）及び（Ｙ−１）〜（Ｙ−６）の染料からなる群から選ばれる少なくとも一種を含み、更に、場合によりイエロ−組成物の着色剤として前記一般式（Ｙ−７）〜（Ｙ−９）で表される染料からなる群から選ばれる少なくとも一種を含むものである。
【００４５】
本発明の第ニの態様に係るインクセットは、上記第一の態様のインクセットにおいて、所望によりマゼンタインク組成物として色濃度の異なる少なくとも二種のマゼンタインク組成物、すなわち少なくとも濃マゼンタインク組成物及び淡マゼンタインク組成物の二種を備えたインクセットであり、さらに少なくとも一種のマゼンタインク組成物が前記一般式（Ｍ−１）〜（Ｍ−３）の染料の少なくとも一種を含むものである。特に淡マゼンタインク組成物が、着色剤として前記の式（Ｍ−１）〜（Ｍ−３）の染料の少なくとも一種を含有していることが好ましい。
【００４６】
本発明の第三の態様に係るインクセットは、上記第一の態様又は上記第二の態様のインクセットにおいて、所望によりシアンインク組成物として色濃度の異なる少なくとも二種のシアンインク組成物、すなわち少なくとも濃シアンインク組成物及び淡シアンインク組成物の二種を備えたインクセットであり、さらに少なくとも一種のシアンインク組成物が前記一般式（Ｃ−１）〜（Ｃ−３）及びまたは前記一般式（Ｃ−４）の染料の少なくとも一種を含むものである。特に淡シアンインク組成物が、着色剤として前記の式（Ｃ−１）〜（Ｃ−３）及びまたは前記一般式（Ｃ−４）の染料の少なくとも一種を含有していることが好ましい。
【００４７】
本発明の第四の実施態様に係るインクセットは、上記第一、第二、又は第三の態様の各インクセットにおいて、さらにブラックインク組成物を有するものである。ブラックインク組成物に用いるブラック染料としては前記一般式（Ｂ−１）〜（Ｂ−５）の染料からなる群から選ばれる少なくとも一種が好ましい。特に、前記式（Ｂ−４）〜（Ｂ−５）で表される化合物及びその塩と、それにさらに加えて、前記一般式（Ｂ−１１）〜（Ｂ−１４）で表される化合物及びその塩（以下、あわせて式（Ｂ−１１）〜（Ｂ−１４）の染料ともいう。）を用いることにより、コントラストが優れ、かつ耐光性・耐オゾン性が優れた画像を得ることができ、ブロンズ現象を抑制することを同時に高いレベルで改良した良好な画像を形成することができる事からも更に好ましい。
【００４８】
本発明に用いるイエロー着色剤は特定の構造を有し、かつイエロー着色剤、マゼンタ着色剤、シアン着色剤は少なくとも一つのイオン性親水性基を有し、該イオン性親水性基の対イオンがリチウムイオンを含み、各インク組成物中の全カチオンにおけるリチウムイオン濃度が７０モル％以上であることが特徴である。該リチウムイオン濃度は好ましくは８０モル％以上、より好ましくは９０モル％であり、更に好ましくは９５モル％であり、上限としては１００モル％が好ましい。
【００４９】
本発明者らは、着色剤の構造と、色相・光及びオゾンガス堅牢性・ブロンズ現象発生などの諸性能との関係を把握するために、各種着色剤を合成し性能評価した。その結果、特定の構造を有しており、かつ少なくとも一つのイオン性親水性基を有し、該イオン性親水性基の対カチオンがリチウムイオンである着色剤を用いた場合に、色相・堅牢性などの性能を損なうことなく、画像のブロンズ現象発生を顕著に抑制できることを見出した。
【００５０】
本発明のインクセットはいずれも、インク組成物を用いる記録方法に用いられ、インク組成物を用いた記録方法としては、例えば、インクジェット記録方法、ペン等の筆記具による記録方法、その他各種の印字及び印刷方法があげられる。本発明のインクセットは、特にインクジェット記録方法に用いるインクセットとして好ましい。
【００５１】
本発明のインクセットに含まれる各インク組成物について説明する。まず、各インク組成物中に含有される着色剤について、以下に各色のインク組成物ごとに説明する。本発明のインクセットにおいては各色のインク組成物において、特定の化学構造を有する染料を着色剤として用いることによって、インクセット全体としての耐光性・耐オゾン性を優れたものにすることができる。
更に、単色部分及び混色部分のブロンズ光沢現象が発生しない良好な画像を形成することができる事からも更に好ましい。
【００５２】
本発明のインクセットを構成するイエロ−インク組成物に用いられる着色剤について説明する。
【００５３】
〔アゾ色素〕
ここで、本明細書中で用いられるハメットの置換基定数σｐ値について若干説明する。ハメット則はベンゼン誘導体の反応または平衡に及ぼす置換基の影響を定量的に論ずるために１９３５年  Ｌ．Ｐ．Ｈａｍｍｅｔｔにより提唱された経験則であるが、これは今日広く妥当性が認められている。ハメット則に求められた置換基定数にはσｐ値とσｍ値があり、これらの値は多くの一般的な成書に見出すことができるが、例えば、Ｊ．Ａ．Ｄｅａｎ編、「Ｌａｎｇｅ'ｓ  Ｈａｎｄｂｏｏｋ  ｏｆ  Ｃｈｅｍｉｓｔｒｙ」第１２版、１９７９年（Ｍｃ  Ｇｒａｗ−Ｈｉｌｌ）や「化学の領域」増刊、１２２号、９６〜１０３頁、１９７９年（南光堂）に詳しい。なお、本発明において各置換基をハメットの置換基定数σｐにより限定したり、説明したりするが、これは上記の成書で見出せる、文献既知の値がある置換基にのみ限定されるという意味ではなく、その値が文献未知であってもハメット則に基づいて測定した場合にその範囲内に包まれるであろう置換基をも含むことはいうまでもない。本発明の一般式（Ｉ）及び（Ｙ−１）〜（Ｙ−６）で表される化合物はベンゼン誘導体ではないが、置換基の電子効果を示す尺度として、置換位置に関係なくσｐ値を使用する。本発明においては今後、σｐ値をこのような意味で使用する。
【００５４】
本発明におけるイエロー着色剤として用いられるアゾ色素は下記一般式（Ｙ−Ｉ）で表される。好ましくは（Ｙ−１）〜（Ｙ−６）で表されるアゾ色素である。
【００５５】
下記の構造を有する染料を用いたイエロ−インク組成物を用いて画像を記録した場合、記録物の画像が耐光性・耐オゾン性に優れ、かつイエロ−の光・オゾンによる劣化速度の差が小さいために、ある程度光及びオゾンによる画像の劣化が進行しても、観察者が画像全体の劣化を感じにくいインクセットを得ることができる。
更にはブロンズ現象を抑制することを同時に高いレベルで改良した良好な画像を形成することができるインクセットを得ることができる。
【００５６】
以下、一般式（Ｙ−Ｉ）について詳細に説明する。
【００５７】
【化１２】
2009132891.tif 000013
【００５８】
式中、Ｇはヘテロ環基を表し、ｎは１〜３の整数を表す。
ｎが１の時は、Ｒ、Ｘ、Ｙ、Ｚ、Ｑ、Ｇは一価の基を表し、括弧内で示されるモノアゾ色素を表す。
ｎが２の時は、Ｒ、Ｘ、Ｙ、Ｚ、Ｑ、Ｇは一価または２価の置換基を表す。但し、少なくとも１つは２価の置換基を表し、括弧内で示される色素のビス型アゾ色素を表す。
ｎが３の時は、Ｒ、Ｘ、Ｙ、Ｚ、Ｑ、Ｇは一価、２価または３価の置換基を表す。但し、少なくとも二つが２価の置換基を表すか、または、少なくとも１つが３価の置換基を表し、括弧内で示される色素のトリス型アゾ色素を表す。
前記一般式（Ｙ−Ｉ）は、少なくとも一つのイオン性親水性基を有し、該イオン性親水性基の対イオンがリチウムイオンを含む。
【００５９】
以下に、前記一般式（Ｙ−Ｉ）について更に詳しく説明する。
【００６０】
一般式（Ｙ−Ｉ）中、Ｇの好ましい置換基例は、５〜８員ヘテロ環基が好ましく、その中でも５又は６員の置換もしくは無置換の、芳香族もしくは非芳香族のヘテロ環基が好ましく、それらは更に縮環していてもよい。更に好ましくは、炭素数３から３０の５もしくは６員の芳香族のヘテロ環基である。
【００６１】
前記Ｇで表されるヘテロ環基の例には、置換位置を限定しないで例示すると、ピリジン、ピラジン、ピリダジン、ピリミジン、トリアジン、キノリン、イソキノリン、キナゾリン、シンノリン、フタラジン、キノキサリン、ピロール、インドール、フラン、ベンゾフラン、チオフェン、ベンゾチオフェン、ピラゾール、イミダゾール、ベンズイミダゾール、トリアゾール、オキサゾール、ベンズオキサゾール、チアゾール、ベンゾチアゾール、イソチアゾール、ベンズイソチアゾール、チアジアゾール、イソオキサゾール、ベンズイソオキサゾール、ピロリジン、ピペリジン、ピペラジン、イミダゾリジン、チアゾリン、スルホランなどが挙げられる。
【００６２】
前記ヘテロ環基が、更に置換基を有することが可能な基であるときは、以下に挙げたような置換基を更に有してもよい。
【００６３】
炭素数１〜１２の直鎖又は分岐鎖アルキル基、炭素数７〜１８の直鎖又は分岐鎖アラルキル基、炭素数２〜１２の直鎖又は分岐鎖アルケニル基、炭素数２〜１２の直鎖又は分岐鎖アルキニル基、炭素数３〜１２の直鎖又は分岐鎖シクロアルキル基、炭素数３〜１２の直鎖又は分岐鎖シクロアルケニル基（以上の各基は分岐鎖を有するものが染料の溶解性及びインクの安定性を向上させる理由から好ましく、不斉炭素を有するものが特に好ましい。例えばメチル、エチル、プロピル、イソプロピル、イソブチル、sec-ブチル、ｔ−ブチル、２−エチルヘキシル、２−メチルスルホニルエチル、３−フェノキシプロピル、トリフルオロメチル、シクロペンチル）、ハロゲン原子（例えば、塩素原子、臭素原子）、アリール基（例えば、フェニル、４−ｔ−ブチルフェニル、２，４−ジ−ｔ−アミルフェニル）、ヘテロ２−ピリミジニル、２−ベンゾチアゾリル）、シアノ基、ヒドロキシル基、ニトロ基、カルボキシ基、アミノ基、アルキルオキシ基（例えば、メトキシ、エトキシ、２−メトキシエトキシ、２−メチルスルホニルエトキシ）、アリールオキシ基（例えば、フェノキシ、２−メチルフェノキシ、４−ｔ−ブチルフェノキシ、３−ニトロフェノキシ、３−ｔ−ブチルオキシカルボニルフェノキシ、３−メトキシカルボニルフェニルオキシ、アシルアミノ基（例えば、アセトアミド、ベンズアミド、４−（３−ｔ−ブチル−４−ヒドロキシフェノキシ）ブタンアミド）、アルキルアミノ基（例えば、メチルアミノ、ブチルアミノ、ジエチルアミノ、メチルブチルアミノ）、アニリノ基（例えば、フェニルアミノ、２−クロロアニリノ）、ウレイド基（例えば、フェニルウレイド、メチルウレイド、Ｎ，Ｎ−ジブチルウレイド）、スルファモイルアミノ基（例えば、Ｎ，Ｎ−ジプロピルスルファモイルアミノ）、アルキルチオ基（例えば、メチルチオ、オクチルチオ、２−フェノキシエチルチオ）、アリールチオ基（例えば、フェニルチオ、２−ブトキシ−５−ｔ−オクチルフェニルチオ、２−カルボキシフェニルチオ）、アルキルオキシカルボニルアミノ基（例えば、メトキシカルボニルアミノ）、アルキルスルホニルアミノ基及びアリールスルホニルアミノ基（例えば、メチルスルホニルアミノ、フェニルスルホニルアミノ、ｐ−トルエンスルホニルアミノ）、カルバモイル基（例えば、Ｎ−エチルカルバモイル、Ｎ，Ｎ−ジブチルカルバモイル）、スルファモイル基（例えば、Ｎ−エチルスルファモイル、Ｎ，Ｎ−ジプロピルスルファモイル、Ｎ−フェニルスルファモイル）、スルホニル基
（例えば、メチルスルホニル、オクチルスルホニル、フェニルスルホニル、ｐ−トルエンスルホニル）、アルキルオキシカルボニル基（例えば、メトキシカルボニル、ブチルオキシカルボニル）、ヘテロ環オキシ基（例えば、１−フェニルテトラゾール−５−オキシ、２−テトラヒドロピラニルオキシ）、アゾ基（例えば、フェニルアゾ、４−メトキシフェニルアゾ、４−ピバロイルアミノフェニルアゾ、２−ヒドロキシ−４−プロパノイルフェニルアゾ）、アシルオキシ基（例えば、アセトキシ）、カルバモイルオキシ基（例えば、Ｎ−メチルカルバモイルオキシ、Ｎ−フェニルカルバモイルオキシ）、シリルオキシ基（例えば、トリメチルシリルオキシ、ジブチルメチルシリルオキシ）、アリールオキシカルボニルアミノ基（例えば、フェノキシカルボニルアミノ）、イミド基（例えば、Ｎ−スクシンイミド、Ｎ−フタルイミド）、ヘテロ環チオ基（例えば、２−ベンゾチアゾリルチオ、２，４−ジ−フェノキシ−１，３，５−トリアゾール−６−チオ、２−ピリジルチオ）、スルフィニル基（例えば、３−フェノキシプロピルスルフィニル）、ホスホニル基（例えば、フェノキシホスホニル、オクチルオキシホスホニル、フェニルホスホニル）、アリールオキシカルボニル基（例えば、フェノキシカルボニル）、アシル基（例えば、アセチル、３−フェニルプロパノイル、ベンゾイル）、イオン性親水性基（例えば、カルボキシル基、スルホ基、ホスホノ基及び４級アンモニウム基）が挙げられる。
【００６４】
一般式（Ｙ−Ｉ）中、Ｑ、Ｒ、Ｘ、Ｙ及びＺとして表される好ましい置換基例を詳細に説明する。
Ｑ、Ｒ、Ｘ、Ｙ及びＺが一価の基を示す場合、一価の基としては、水素原子、または一価の置換基を表す。一価の置換基を更に詳しく説明する。この一価の置換基の例としては、ハロゲン原子、アルキル基、シクロアルキル基、アラルキル基、アルケニル基、アルキニル基、アリール基、ヘテロ環基、シアノ基、ヒドロキシル基、ニトロ基、アルコキシ基、アリールオキシ基、シリルオキシ基、ヘテロ環オキシ基、アシルオキシ基、カルバモイルオキシ基、アルコキシカルボニルオキシ基、アリールオキシカルボニルオキシ基、アミノ基（アルキルアミノ基、アリールアミノ基）、アシルアミノ基（アミド基）、アミノカルボニルアミノ基（ウレイド基）、アルコキシカルボニルアミノ基、アリールオキシカルボニルアミノ基、スルファモイルアミノ基、アルキルスルホニルアミノ基、アリールスルホニルアミノ基、アルキルチオ基、アリールチオ基、ヘテロ環チオ基、スルファモイル基、アルキルスルフィニル基、アリールスルフィニル基、アルキルスルホニル基、アリールスルホニル基、アシル基、アリールオキシカルボニル基、アルコキシカルボニル基、カルバモイル基、ホスフィノ基、ホスフィニル基、ホスフィニルオキシ基、ホスフィニルアミノ基、シリル基、アゾ基、イミド基またはイオン性親水性基を挙げることができ、各々はさらに置換基を有していてもよい。
中でも特に好ましいものは、水素原子、ハロゲン原子、アルキル基、アリール基、ヘテロ環基、シアノ基、アルコキシ基、アミド基、ウレイド基、アルキルスルホニルアミノ基、アリールスルホニルアミノ基、アルキルチオ基、スルファモイル基、アルキルスルホニル基、アリールスルホニル基、カルバモイル基、またはアルコキシカルボニル基であり、特に水素原子、ハロゲン原子、アルキル基、アリール基、シアノ基、アルキルスルホニル基、アリールスルホニル基、アルキルチオ基、またはヘテロ環基が好ましく、水素原子、アルキル基、アリール基、シアノ基、アルキルスルホニル基、アルキルチオ基またはイオン性親水性基が最も好ましい。
【００６５】
以下に、前記Ｑ、Ｒ、Ｘ、Ｙ及びＺを更に詳しく説明する。
Ｑ、Ｒ、Ｘ、Ｙ及びＺで表されるハロゲン原子は、塩素原子、臭素原子、またはヨウ素原子を表す。中でも塩素原子、または臭素原子が好ましく、特に塩素原子が好ましい。
Ｑ、Ｒ、Ｘ、Ｙ及びＺで表されるアルキル基は、置換もしくは無置換のアルキル基が含まれる。置換又は無置換のアルキル基は、炭素原子数が１〜３０のアルキル基が好ましい。置換基の例としては、上記Ｇが更に置換基を有することが可能な基であるときに挙げたような置換基と同じものが挙げられる。中でも、ヒドロキシ基、アルコキシ基、シアノ基、およびハロゲン原子、スルホ基(塩の形でもよい)またはカルボキシル基(塩の形でもよい)が好ましい。前記アルキル基の例には、メチル、エチル、イソプロピル、イソブチル、sec−ブチル、ｔ−ブチル、ｎ−オクチル、エイコシル、２−クロロエチル、ヒドロキシエチル、シアノエチルまたは４−スルホブチルを挙げることが出来る。
Ｑ、Ｒ、Ｘ、Ｙ及びＺで表されるシクロアルキル基は、置換もしくは無置換のシクロアルキル基が含まれる。置換基又は無置換のシクロアルキル基は、炭素原子数が５〜３０のシクロアルキル基が好ましい。置換基の例としては、上記Ｇが更に置換基を有することが可能な基であるときに挙げたような置換基と同じものが挙げられる。前記シクロアルキル基の例にはシクロヘキシル、シクロペンチル、または４−ｎ−ドデシルシクロヘキシルを挙げることができる。
【００６６】
Ｑ、Ｒ、Ｘ、Ｙ及びＺで表されるアラルキル基は、置換もしくは無置換のアラルキル基が含まれる。置換もしくは無置換のアラルキル基としては、炭素原子数が７〜３０のアラルキル基が好ましい。置換基の例としては、上記Ｇが更に置換基を有することが可能な基であるときに挙げたような置換基と同じものが挙げられる。前記アラルキルの例にはベンジルおよび２−フェネチルを挙げることが出来る。
Ｑ、Ｒ、Ｘ、Ｙ及びＺで表されるアルケニル基は、直鎖、分岐、環状の置換もしくは無置換のアルケニル基を表す。好ましくは炭素数２−３０の置換又は無置換のアルケニル基、例えば、ビニル、アリル、プレニル、ゲラニル、オレイル、２−シクロペンテン−１−イル、２−シクロヘキセン−１−イルなどを挙げることが出来る。
Ｑ、Ｒ、Ｘ、Ｙ及びＺで表されるアルキニル基は、炭素数２から３０の置換又は無置換のアルキニル基であり、例えば、エチニル、またはプロパルギルを挙げることが出来る。
【００６７】
Ｑ、Ｒ、Ｘ、Ｙ及びＺで表されるアリール基は、炭素数６から３０の置換もしくは無置換のアリール基、例えばフェニル、ｐ−トリル、ナフチル、ｍ−クロロフェニル、またはｏ−ヘキサデカノイルアミノフェニルである。置換基の例としては、上記Ｇが更に置換基を有することが可能な基であるときに挙げたような置換基と同じものが挙げられる。
Ｑ、Ｒ、Ｘ、Ｙ及びＺで表されるヘテロ環基は、５又は６員の置換もしくは無置換の、芳香族もしくは非芳香族のヘテロ環化合物から一個の水素原子を取り除いた一価の基であり、それらは更に縮環していてもよい。更に好ましくは、炭素数３から３０の５もしくは６員の芳香族のヘテロ環基である。置換基の例としては、上記Ｇが更に置換基を有することが可能な基であるときに挙げたような置換基と同じものが挙げられる。前記ヘテロ環基の例には、置換位置を限定しないで例示すると、ピリジン、ピラジン、ピリダジン、ピリミジン、トリアジン、キノリン、イソキノリン、キナゾリン、シンノリン、フタラジン、キノキサリン、ピロール、インドール、フラン、ベンゾフラン、チオフェン、ベンゾチオフェン、ピラゾール、イミダゾール、ベンズイミダゾール、トリアゾール、オキサゾール、ベンズオキサゾール、チアゾール、ベンゾチアゾール、イソチアゾール、ベンズイソチアゾール、チアジアゾール、イソオキサゾール、ベンズイソオキサゾール、ピロリジン、ピペリジン、ピペラジン、イミダゾリジン、チアゾリンなどが挙げられる。
【００６８】
Ｑ、Ｒ、Ｘ、Ｙ及びＺで表されるアルコキシ基は、置換もしくは無置換のアルコキシ基が含まれる。置換もしくは無置換のアルコキシ基としては、炭素原子数が１〜３０のアルコキシ基が好ましい。置換基の例としては、上記Ｇが更に置換基を有することが可能な基であるときに挙げたような置換基と同じものが挙げられる。前記アルコキシ基の例には、メトキシ、エトキシ、イソプロポキシ、ｎ−オクチルオキシ、メトキシエトキシ、ヒドロキシエトキシおよび３−カルボキシプロポキシなどを挙げることが出来る。
Ｑ、Ｒ、Ｘ、Ｙ及びＺで表されるアリールオキシ基は、炭素数６から３０の置換もしくは無置換のアリールオキシ基が好ましい。置換基の例としては、上記Ｇが更に置換基を有することが可能な基であるときに挙げたような置換基と同じものが挙げられる。前記アリールオキシ基の例には、フェノキシ、２−メチルフェノキシ、４−ｔ−ブチルフェノキシ、３−ニトロフェノキシ、２−テトラデカノイルアミノフェノキシなどを挙げることが出来る。
Ｑ、Ｒ、Ｘ、Ｙ及びＺで表されるシリルオキシ基は、炭素数３から２０のシリルオキシ基が好ましく、例えば、トリメチルシリルオキシ、ｔ−ブチルジメチルシリルオキシなどを挙げることが出来る。
【００６９】
Ｑ、Ｒ、Ｘ、Ｙ及びＺで表されるで表されるヘテロ環オキシ基は、炭素数２から３０の置換もしくは無置換のヘテロ環オキシ基が好ましい。置換基の例としては、上記Ｇが更に置換基を有することが可能な基であるときに挙げたような置換基と同じものが挙げられる。前記ヘテロ環オキシ基の例には、例えば、１−フェニルテトラゾールー５−オキシ、２−テトラヒドロピラニルオキシなどを挙げることが出来る。
Ｑ、Ｒ、Ｘ、Ｙ及びＺで表されるアシルオキシ基は、ホルミルオキシ基、炭素数２から３０の置換もしくは無置換のアルキルカルボニルオキシ基、炭素数６から３０の置換もしくは無置換のアリールカルボニルオキシ基が好ましく、置換基の例としては、上記Ｇが更に置換基を有することが可能な基であるときに挙げたような置換基と同じものが挙げられる。前記アシルオキシ基の例には、例えば、ホルミルオキシ、アセチルオキシ、ピバロイルオキシ、ステアロイルオキシ、ベンゾイルオキシ、ｐ−メトキシフェニルカルボニルオキシなどを挙げることが出来る。
Ｑ、Ｒ、Ｘ、Ｙ及びＺで表されるカルバモイルオキシ基は、炭素数１から３０の置換もしくは無置換のカルバモイルオキシ基が好ましく、置換基の例としては、上記Ｇが更に置換基を有することが可能な基であるときに挙げたような置換基と同じものが挙げられる。前記カルバモイルオキシ基の例には、例えば、Ｎ，Ｎ−ジメチルカルバモイルオキシ、Ｎ，Ｎ−ジエチルカルバモイルオキシ、モルホリノカルボニルオキシ、Ｎ，Ｎ−ジ−ｎ−オクチルアミノカルボニルオキシ、Ｎ−ｎ−オクチルカルバモイルオキシなどを挙げることが出来る。
【００７０】
Ｑ、Ｒ、Ｘ、Ｙ及びＺで表されるアルコキシカルボニルオキシ基は、炭素数２から３０の置換もしくは無置換アルコキシカルボニルオキシ基が好ましく、置換基の例としては、上記Ｇが更に置換基を有することが可能な基であるときに挙げたような置換基と同じものが挙げられる。前記アルコキシカルボニルオキシ基の例には、例えばメトキシカルボニルオキシ、エトキシカルボニルオキシ、ｔ−ブトキシカルボニルオキシ、ｎ−オクチルカルボニルオキシなどを挙げることが出来る。
Ｑ、Ｒ、Ｘ、Ｙ及びＺで表されるで表されるアリールオキシカルボニルオキシ基は、炭素数７から３０の置換もしくは無置換のアリールオキシカルボニルオキシ基が好ましく、置換基の例としては、上記Ｇが更に置換基を有することが可能な基であるときに挙げたような置換基と同じものが挙げられる。前記アリールオキシカルボニルオキシ基の例には、例えば、フェノキシカルボニルオキシ、ｐ−メトキシフェノキシカルボニルオキシ、ｐ−ｎ−ヘキサデシルオキシフェノキシカルボニルオキシなどを挙げることが出来る。
Ｑ、Ｒ、Ｘ、Ｙ及びＺで表されるアミノ基は、炭素数１から３０の置換もしくは無置換のアルキルアミノ基、炭素数６から３０の置換もしくは無置換のアリールアミノ基が好ましく、置換基の例としては、上記Ｇが更に置換基を有することが可能な基であるときに挙げたような置換基と同じものが挙げられる。前記アミノ基の例には、例えば、アミノ、メチルアミノ、ジメチルアミノ、アニリノ、Ｎ-メチル−アニリノ、ジフェニルアミノ、ヒドロキシエチルアミノ、カルボキシエチルアミノ、スルフォエチルアミノ、３，５−ジカルボキシアニリノなどを挙げることが出来る。
【００７１】
Ｑ、Ｒ、Ｘ、Ｙ及びＺで表されるアシルアミノ基は、ホルミルアミノ基、炭素数１から３０の置換もしくは無置換のアルキルカルボニルアミノ基、炭素数６から３０の置換もしくは無置換のアリールカルボニルアミノ基が好ましく、置換基の例としては、上記Ｇが更に置換基を有することが可能な基であるときに挙げたような置換基と同じものが挙げられる。前記アシルアミノ基の例には、例えば、ホルミルアミノ、アセチルアミノ、ピバロイルアミノ、ラウロイルアミノ、ベンゾイルアミノ、３，４，５−トリ−ｎ−オクチルオキシフェニルカルボニルアミノなどを挙げることが出来る。
Ｑ、Ｒ、Ｘ、Ｙ及びＺで表されるアミノカルボニルアミノ基は、炭素数１から３０の置換もしくは無置換のアミノカルボニルアミノ基が好ましく、置換基の例としては、上記Ｇが更に置換基を有することが可能な基であるときに挙げたような置換基と同じものが挙げられる。前記アミノカルボニルアミノ基の例には、例えば、カルバモイルアミノ、Ｎ，Ｎ−ジメチルアミノカルボニルアミノ、Ｎ，Ｎ−ジエチルアミノカルボニルアミノ、モルホリノカルボニルアミノなどを挙げることが出来る。
Ｑ、Ｒ、Ｘ、Ｙ及びＺで表されるアルコキシカルボニルアミノ基は、炭素数２から３０の置換もしくは無置換アルコキシカルボニルアミノ基が好ましく、置換基の例としては、上記Ｇが更に置換基を有することが可能な基であるときに挙げたような置換基と同じものが挙げられる。前記アルコキシカルボニルアミノ基の例には、例えば、メトキシカルボニルアミノ、エトキシカルボニルアミノ、ｔ−ブトキシカルボニルアミノ、ｎ−オクタデシルオキシカルボニルアミノ、Ｎ−メチルーメトキシカルボニルアミノなどを挙げることが出来る。
【００７２】
Ｑ、Ｒ、Ｘ、Ｙ及びＺで表されるアリールオキシカルボニルアミノ基は、炭素数７から３０の置換もしくは無置換のアリールオキシカルボニルアミノ基が好ましく、置換基の例としては、上記Ｇが更に置換基を有することが可能な基であるときに挙げたような置換基と同じものが挙げられる。前記アリールオキシカルボニルアミノ基の例には、例えば、フェノキシカルボニルアミノ、ｐ−クロロフェノキシカルボニルアミノ、ｍ−ｎ−オクチルオキシフェノキシカルボニルアミノなどを挙げることが出来る。
Ｑ、Ｒ、Ｘ、Ｙ及びＺで表されるスルファモイルアミノ基は、炭素数０から３０の置換もしくは無置換のスルファモイルアミノ基が好ましく、置換基の例としては、上記Ｇが更に置換基を有することが可能な基であるときに挙げたような置換基と同じものが挙げられる。前記スルファモイルアミノ基の例には、例えば、スルファモイルアミノ、Ｎ，Ｎ−ジメチルアミノスルホニルアミノ、Ｎ−ｎ−オクチルアミノスルホニルアミノなどを挙げることが出来る。
Ｑ、Ｒ、Ｘ、Ｙ及びＺで表されるアルキル及びアリールスルホニルアミノ基は、炭素数１から３０の置換もしくは無置換のアルキルスルホニルアミノ基、炭素数６から３０の置換もしくは無置換のアリールスルホニルアミノ基が好ましく、置換基の例としては、上記Ｇが更に置換基を有することが可能な基であるときに挙げたような置換基と同じものが挙げられる。前記アルキルスルホニルアミノ基及びアリールスルホニルアミノ基の例には、例えば、メチルスルホニルアミノ、ブチルスルホニルアミノ、フェニルスルホニルアミノ、２，３，５−トリクロロフェニルスルホニルアミノ、ｐ−メチルフェニルスルホニルアミノなどを挙げることが出来る。
【００７３】
Ｑ、Ｒ、Ｘ、Ｙ及びＺで表されるアルキルチオ基は、炭素数１から３０の置換もしくは無置換のアルキルチオ基が好ましく、置換基の例としては、上記Ｇが更に置換基を有することが可能な基であるときに挙げたような置換基と同じものが挙げられる。前記アルキルチオ基の例には、例えばメチルチオ、エチルチオ、ｎ−ヘキサデシルチオなどを挙げることが出来る。
Ｑ、Ｒ、Ｘ、Ｙ及びＺで表されるアリールチオ基は炭素数６から３０の置換もしくは無置換のアリールチオ基が好ましく、置換基の例としては、上記Ｇが更に置換基を有することが可能な基であるときに挙げたような置換基と同じものが挙げられる。前記アリールチオ基の例には、例えば、フェニルチオ、ｐ−クロロフェニルチオ、ｍ−メトキシフェニルチオなどを挙げることが出来る。
Ｑ、Ｒ、Ｘ、Ｙ及びＺで表されるヘテロ環チオ基は、炭素数２から３０の置換又は無置換のヘテロ環チオ基が好ましく、置換基の例としては、上記Ｇが更に置換基を有することが可能な基であるときに挙げたような置換基と同じものが挙げられる。前記ヘテロ環チオ基の例には、例えば、２−ベンゾチアゾリルチオ、１−フェニルテトラゾール−５−イルチオなどを挙げることが出来る。
【００７４】
Ｑ、Ｒ、Ｘ、Ｙ及びＺで表されるスルファモイル基は、炭素数０から３０の置換もしくは無置換のスルファモイル基が好ましく、置換基の例としては、上記Ｇが更に置換基を有することが可能な基であるときに挙げたような置換基と同じものが挙げられる。前記スルファモイル基の例には、例えば、Ｎ−エチルスルファモイル、Ｎ−（３−ドデシルオキシプロピル）スルファモイル、Ｎ，Ｎ−ジメチルスルファモイル、Ｎ−アセチルスルファモイル、Ｎ−ベンゾイルスルファモイル、Ｎ−（Ｎ'−フェニルカルバモイル）スルファモイル）などを挙げることが出来る。
Ｑ、Ｒ、Ｘ、Ｙ及びＺで表されるアルキル及びアリールスルフィニル基は、炭素数１から３０の置換又は無置換のアルキルスルフィニル基、６から３０の置換又は無置換のアリールスルフィニル基が好ましく、置換基の例としては、上記Ｇが更に置換基を有することが可能な基であるときに挙げたような置換基と同じものが挙げられる。前記アルキル及びアリールスルフィニル基の例には、例えば、メチルスルフィニル、エチルスルフィニル、フェニルスルフィニル、ｐ−メチルフェニルスルフィニルなどを挙げることが出来る。
Ｑ、Ｒ、Ｘ、Ｙ及びＺで表されるアルキル及びアリールスルホニル基は、炭素数１から３０の置換又は無置換のアルキルスルホニル基、６から３０の置換又は無置換のアリールスルホニル基が好ましく、置換基の例としては、上記Ｇが更に置換基を有することが可能な基であるときに挙げたような置換基と同じものが挙げられる。前記アルキル及びアリールスルホニル基の例には、例えば、メチルスルホニル、エチルスルホニル、フェニルスルホニル、ｐ−トルエンスルホニルなどを挙げることが出来る。
【００７５】
Ｑ、Ｒ、Ｘ、Ｙ及びＺで表されるアシル基は、ホルミル基、炭素数２から３０の置換又は無置換のアルキルカルボニル基、炭素数７から３０の置換もしくは無置換のアリールカルボニル基、炭素数４から３０の置換もしくは無置換の炭素原子でカルボニル基と結合しているヘテロ環カルボニル基が好ましく、置換基の例としては、上記Ｇが更に置換基を有することが可能な基であるときに挙げたような置換基と同じものが挙げられる。前記アシル基の例には、例えば、アセチル、ピバロイル、２−クロロアセチル、ステアロイル、ベンゾイル、ｐ−ｎ−オクチルオキシフェニルカルボニル、２―ピリジルカルボニル、２―フリルカルボニルなどを挙げることが出来る。
Ｑ、Ｒ、Ｘ、Ｙ及びＺで表されるアリールオキシカルボニル基は、炭素数７から３０の置換もしくは無置換のアリールオキシカルボニル基が好ましく、置換基の例としては、上記Ｇが更に置換基を有することが可能な基であるときに挙げたような置換基と同じものが挙げられる。前記アリールオキシカルボニル基の例には、例えば、フェノキシカルボニル、ｏ−クロロフェノキシカルボニル、ｍ−ニトロフェノキシカルボニル、ｐ−ｔ−ブチルフェノキシカルボニルなどを挙げることが出来る。
Ｑ、Ｒ、Ｘ、Ｙ及びＺで表されるアルコキシカルボニル基は、炭素数２から３０の置換もしくは無置換アルコキシカルボニル基が好ましく、置換基の例としては、上記Ｇが更に置換基を有することが可能な基であるときに挙げたような置換基と同じものが挙げられる。前記アルコキシカルボニル基の例には、例えば、メトキシカルボニル、エトキシカルボニル、ｔ−ブトキシカルボニル、ｎ−オクタデシルオキシカルボニルなどを挙げることが出来る。
【００７６】
Ｑ、Ｒ、Ｘ、Ｙ及びＺで表されるカルバモイル基は、炭素数１から３０の置換もしくは無置換のカルバモイル基が好ましく、置換基の例としては、上記Ｇが更に置換基を有することが可能な基であるときに挙げたような置換基と同じものが挙げられる。前記カルバモイル基の例には、例えば、カルバモイル、Ｎ−メチルカルバモイル、Ｎ，Ｎ−ジメチルカルバモイル、Ｎ，Ｎ−ジ−ｎ−オクチルカルバモイル、Ｎ−（メチルスルホニル）カルバモイルなどを挙げることが出来る。
Ｑ、Ｒ、Ｘ、Ｙ及びＺで表されるホスフィノ基は、炭素数２から３０の置換もしくは無置換のホスフィノ基が好ましく、置換基の例としては、上記Ｇが更に置換基を有することが可能な基であるときに挙げたような置換基と同じものが挙げられる。前記ホスフィノ基の例には、例えば、ジメチルホスフィノ、ジフェニルホスフィノ、メチルフェノキシホスフィノなどを挙げることが出来る。
Ｑ、Ｒ、Ｘ、Ｙ及びＺで表されるホスフィニル基は、炭素数２から３０の置換もしくは無置換のホスフィニル基が好ましく、置換基の例としては、上記Ｇが更に置換基を有することが可能な基であるときに挙げたような置換基と同じものが挙げられる。前記ホスフィニル基の例には、例えば、ホスフィニル、ジオクチルオキシホスフィニル、ジエトキシホスフィニルなどを挙げることが出来る。
【００７７】
Ｑ、Ｒ、Ｘ、Ｙ及びＺで表されるホスフィニルオキシ基は、炭素数２から３０の置換もしくは無置換のホスフィニルオキシ基が好ましく、置換基の例としては、上記Ｇが更に置換基を有することが可能な基であるときに挙げたような置換基と同じものが挙げられる。前記ホスフィニルオキシ基の例には、例えば、ジフェノキシホスフィニルオキシ、ジオクチルオキシホスフィニルオキシなどを挙げることが出来る。
Ｑ、Ｒ、Ｘ、Ｙ及びＺで表されるホスフィニルアミノ基は、炭素数２から３０の置換もしくは無置換のホスフィニルアミノ基が好ましく、置換基の例としては、上記Ｇが更に置換基を有することが可能な基であるときに挙げたような置換基と同じものが挙げられる。前記ホスフィニルアミノ基の例には、例えば、ジメトキシホスフィニルアミノ、ジメチルアミノホスフィニルアミノなどを挙げることが出来る。
Ｑ、Ｒ、Ｘ、Ｙ及びＺで表されるシリル基は、炭素数３から３０の置換もしくは無置換のシリル基が好ましく、置換基の例としては、上記Ｇが更に置換基を有することが可能な基であるときに挙げたような置換基と同じものが挙げられる。前記シリル基の例には、例えば、トリメチルシリル、ｔ−ブチルジメチルシリル、フェニルジメチルシリルなどを挙げることが出来る。
【００７８】
Ｑ、Ｒ、Ｘ、Ｙ及びＺで表されるアゾ基は、例えば、フェニルアゾ、４−メトキシフェニルアゾ、４−ピバロイルアミノフェニルアゾ、２−ヒドロキシ−４−プロパノイルフェニルアゾなどを挙げることが出来る。
Ｑ、Ｒ、Ｘ、Ｙ及びＺで表されるイミド基は、例えば、Ｎ−スクシンイミド、Ｎ−フタルイミドなどを挙げることが出来る。
【００７９】
Ｑ、Ｒ、Ｘ、Ｙ及びＺで表されるヘテロ環チオ基には、置換基を有するヘテロ環チオ基および無置換のヘテロ環チオ基が含まれる。ヘテロ環チオ基としては、５員または６員環のヘテロ環を有することが好ましい。へテロ環チオ基の例には、２−ピリジルチオ基を挙げることができる。置換基の例としては、上記Ｇが更に置換基を有することが可能な基であるときに挙げたような置換基と同じものが挙げられる。
【００８０】
Ｑ、Ｒ、Ｘ、Ｙ及びＺで表されるスルフィニル基には、アルキルスルフィニル基、アリ−ルスルフィニル基が含まれる。スルフィニル基の例には、３−スルホプロピルスルフィニル基および３−カルボキシプロピルスルフィニル基を挙げることができる。
【００８１】
Ｑ、Ｒ、Ｘ、Ｙ及びＺで表されるホスホリル基には、置換基を有するホスホリル基および無置換のホスホリル基が含まれる。ホスホリル基の例には、フェノキシホスホリル基およびフェニルホスホリル基を挙げることができる。置換基の例としては、上記Ｇが更に置換基を有することが可能な基であるときに挙げたような置換基と同じものが挙げられる。
【００８２】
Ｑ、Ｒ、Ｘ、Ｙ及びＺで表されるアシル基には、置換基を有するアシル基および無置換のアシル基が含まれる。アシル基としては、置換基を除いたときの炭素原子数が１〜１２のアシル基が好ましい。アシル基の例には、アセチル基およびベンゾイル基を挙げることができる。置換基の例としては、上記Ｇが更に置換基を有することが可能な基であるときに挙げたような置換基と同じものが挙げられる。
【００８３】
Ｑ、Ｒ、Ｘ、Ｙ及びＺで表されるイオン性親水性基には、スルホ基、カルボキシル基、ホスホノ基および４級アンモニウム基等が含まれる。イオン性親水性基としては、カルボキシル基およびスルホ基が好ましい。カルボキシル基およびスルホ基は塩の状態であってもよく、塩を形成する対イオンの例には、主成分としてリチウムイオンが好ましいが、混合塩であってもよく、併用する対イオンとしてはアンモニウムイオン、アルカリ金属イオン（例、ナトリウムイオン、カリウムイオン）および有機カチオン（例、テトラメチルグアニジウムイオン）が含まれる。
【００８４】
Ｑ、Ｒ、Ｘ、Ｙ及びＺが二価の基を示す場合、二価の基としては、アルキレン基（例、メチレン、エチレン、プロピレン、ブチレン、ペンチレン）、アルケニレン基（例、エテニレン、プロぺニレン）、アルキニレン基（例、エチニレン、プロピニレン）、アリーレン基（例、フェニレン、ナフチレン）、二価のヘテロ環基（例、６ークロロー１、３、５ートリアジンー２、４ージイル基、ピリミジンー２、４ージイル基、ピリミジンー４、６ージイル基、キノキサリンー２、３ージイル基、ピリダジンー３，６−ジイル）、−Ｏ−、−ＣＯ−、−ＮＲ'−（Ｒ'は水素原子、アルキル基又はアリール基）、−Ｓ−、−ＳＯ2−、−ＳＯ−又はこれらの組み合わせ（例えば−ＮＨＣＨ2ＣＨ2ＮＨ−、−ＮＨＣＯＮＨ−等）であることが好ましい。
【００８５】
アルキレン基、アルケニレン基、アルキニレン基、アリーレン基、二価のヘテロ環基、Ｒのアルキル基又はアリール基は、置換基を有していてもよい。
置換基の例としては、上記Ｇで説明した置換基と同義である。
上記Ｒ'のアルキル基およびアリール基は、上記Ｇの置換基例と同義である。
さらに好ましくは、炭素数１０以下のアルキレン基、炭素数１０以下のアルケニレン基、炭素数１０以下のアルキニレン基、炭素数６以上１０以下のアリーレン基、二価のヘテロ環基、−Ｓ−、−ＳＯ−、―ＳＯ2−又はこれらの組み合わせ（例えば−ＳＣＨ2ＣＨ2Ｓ−、−ＳＣＨ2ＣＨ2ＣＨ2Ｓ−等）であることがさらに好ましい。  二価の連結基の総炭素数は０乃至５０であることが好ましく、０乃至３０であることがより好ましく、０乃至１０であることが最も好ましい。
【００８６】
Ｑ、Ｒ、Ｘ、Ｙ及びＺが三価の基を示す場合、三価の基としては、３価の炭化水素基、三価のヘテロ環基、＞Ｎ−、又はこれと２価の基の組み合わせ（例えば＞ＮＣＨ2ＣＨ2ＮＨ−、＞ＮＣＯＮＨ−等）であることが好ましい。
三価の連結基の総炭素数は０乃至５０であることが好ましく、０乃至３０であることがより好ましく、０乃至１０であることが最も好ましい。
一般式（Ｙ−Ｉ）中、ｎの好ましい例は、１または２であり、特に２が好ましい。
一般式（Ｙ−Ｉ）中、Ｘの好ましい置換基例は電子求引性基である。特に、ハメットの置換基定数σｐ値が０．２０以上の電子求引性基であり、より好ましくは、σｐ値が０．３０以上の電子求引性基であることが好ましい。上限としては１．０以下の電子求引性基である。
【００８７】
σｐ値が０．２０以上の電子求引性基であるＸの具体例としては、アシル基、アシルオキシ基、カルバモイル基、アルキルオキシカルボニル基、アリールオキシカルボニル基、シアノ基、ニトロ基、ジアルキルホスホノ基、ジアリールホスホノ基、ジアリールホスフィニル基、アルキルスルフィニル基、アリールスルフィニル基、アルキルスルホニル基、アリールスルホニル基、スルホニルオキシ基、アシルチオ基、スルファモイル基、チオシアネート基、チオカルボニル基、ハロゲン化アルキル基、ハロゲン化アルコキシ基、ハロゲン化アリールオキシ基、ハロゲン化アルキルアミノ基、ハロゲン化アルキルチオ基、σｐ値が０．２０以上の他の電子求引性基で置換されたアリール基、ヘテロ環基、ハロゲン原子、アゾ基、又はセレノシアネート基が挙げられる。
【００８８】
Ｘの好ましいものとしては、炭素数２〜１２のアシル基、炭素数２〜１２のアシルオキシ基、炭素数１〜１２のカルバモイル基、炭素数２〜１２のアルキルオキシカルボニル基、炭素数７〜１８のアリールオキシカルボニル基、シアノ基、ニトロ基、炭素数１〜１２のアルキルスルフイニル基、炭素数６〜１８のアリールスルフイニル基、炭素数１〜１２のアルキルスルホニル基、炭素数６〜１８のアリールスルホニル基、炭素数０〜１２のスルファモイル基、炭素数１〜１２のハロゲン化アルキル基、炭素数１〜１２のハロゲン化アルキルオキシ基、炭素数１〜１２のハロゲン化アルキルチオ基、炭素数７〜１８のハロゲン化アリールオキシ基、２つ以上のσｐ０．２０以上の他の電子求引性基で置換された炭素数７〜１８のアリール基、及び窒素原子、酸素原子、またはイオウ原子を有する５〜８員環で炭素数１〜１８のヘテロ環基を挙げることができる。
更に好ましくは、シアノ基、炭素数１〜１２のアルキルスルホニル基、炭素数６〜１８のアリールスルホニル基、または炭素数０〜１２のスルファモイル基である。
Ｘとして特に好ましいものは、シアノ基、炭素数１〜１２のアルキルスルホニル基、または炭素数０〜１２のスルファモイル基であり、最も好ましいものは、シアノ基、または炭素数１〜１２のアルキルスルホニル基である。
【００８９】
一般式（Ｙ−Ｉ）中、Ｚの好ましい置換基例は、水素原子、置換もしくは無置換のアルキル基、置換もしくは無置換のシクロアルキル基、置換もしくは無置換のアルケニル基、置換もしくは無置換のアルキニル基、置換もしくは無置換のアラルキル基、置換もしくは無置換のアリール基、または置換もしくは無置換のヘテロ環基を示す。
Ｚが表す詳細な置換基例は、前述のＧで表されるヘテロ環基の例で説明した対応する置換基例と同義であり、好ましい例も同じである。
Ｚが表す特に好ましい置換基は置換アリール基、または置換基へテロ環基であり、その中でも特に置換基アリール基が好ましい。
【００９０】
一般式（Ｙ−Ｉ）中、Ｑの好ましい置換基例は、水素原子、置換もしくは無置換のアルキル基、置換もしくは無置換のアシル基、置換もしくは無置換のアルキルスルホニル基、または置換もしくは無置換のアリールスルホニル基が好ましく、特に水素原子、置換もしくは無置換のアルキル基、または置換もしくは無置換のアシル基が好ましく、その中でも特に水素原子が好ましい。
一般式（Ｙ−Ｉ）中、Ｒは置換もしくは無置換の総炭素数１〜１２のアルキル基、置換もしくは無置換の総炭素数６〜１８のアリール基、または置換もしくは無置換の総炭素数４〜１２ヘテロ環基が好ましく、その中でも、総炭素原子数１〜８の直鎖アルキル基または分岐のアルキル基が好ましく、特に２級または３級アルキル基が好ましく、ｔ−ブチル基が最も好ましい。
一般式（Ｙ−Ｉ）中、Ｙは水素原子、置換もしくは無置換の総炭素数１〜１２のアルキル基、置換もしくは無置換の総炭素数６〜１８のアリール基、または置換もしくは無置換の総炭素数４〜１２ヘテロ環基、置換もしくは無置換の総炭素数１〜１２のアルキルチオ基が好ましく、その中でも、水素原子、総炭素原子数１〜８の直鎖アルキル基及びまたは分岐のアルキル基、置換もしくは無置換の総炭素数１〜８のアルキルチオ基が好ましく、特に水素原子、総炭素数１〜８のアルキル基または総炭素数１〜８のアルキルチオ基が好ましく、水素原子またはメチルチオ基が最も好ましい。
【００９１】
本発明の一般式（Ｙ−Ｉ）で表される色素の好ましい置換基の組み合わせについては、種々の置換基の少なくとも１つが前記の好ましい基である化合物が好ましく、より多くの種々の置換基が前記好ましい基である化合物がより好ましく、全ての置換基が前記好ましい基である化合物が最も好ましい。
【００９２】
本発明の一般式（Ｙ−Ｉ）で表される色素として特に好ましい組み合わせは、以下の（イ）〜（ト）を含むものである。
【００９３】
（イ）Ｇは、５〜８員含窒素ヘテロ環が好ましく、特にＳ-トリアジン環、ピリミジン環、ピリダジン環、ピラジン環、ピリジン環、イミダゾール環、ピラゾール環、またはピロール環が好ましく、その中でもＳ-トリアジン環、ピリミジン環、ピリダジン環、またはピラジン環が好ましく、Ｓ-トリアジン環が最も好ましい。
【００９４】
（ロ）Ｒは置換もしくは無置換の総炭素数１〜１２のアルキル基、置換もしくは無置換の総炭素数６〜１８のアリール基、または置換もしくは無置換の総炭素数４〜１２ヘテロ環基が好ましく、その中でも、総炭素原子数１〜８の直鎖アルキル基または分岐のアルキル基が好ましく、特に２級または３級アルキル基が好ましく、ｔ−ブチル基が最も好ましい。
【００９５】
（ハ）Ｘとして特に好ましいものは、ハメットの置換基定数σｐ値が０．２０以上の電子求引性基が好ましく、更に０．３０以上の電子求引性基が好ましく、上限としては１．０以下の電子求引性基である。その中でも、シアノ基、炭素数１〜１２のアルキルスルホニル基、炭素数６〜１８のアリールスルホニル基、または炭素数０〜１２のスルファモイル基であり、特に、シアノ基、または炭素数１〜１２のアルキルスルホニル基が好ましく、更にシアノ基、メチルスルホニル基、フェニルスルホニル基が好ましく、最も好ましいものは、シアノ基である。
【００９６】
（ニ）Ｙは水素原子、置換もしくは無置換の総炭素数１〜１２のアルキル基、置換もしくは無置換の総炭素数６〜１８のアリール基、置換もしくは無置換の総炭素数４〜１２ヘテロ環基または置換もしくは無置換の総炭素数１〜１２のアルキルチオ基が好ましく、その中でも、水素原子、総炭素原子数１〜８の直鎖アルキル基または分岐のアルキル基または置換もしくは無置換の総炭素数１〜８のアルキルチオ基が好ましく、特に水素原子、総炭素数１〜８のアルキル基または総炭素数１〜８のアルキルチオ基が好ましく、更に水素原子またはメチルチオ基が好ましく、その中でも特に水素原子が最も好ましい。
【００９７】
（ホ）Ｚは、水素原子、置換もしくは無置換のアルキル基、置換もしくは無置換のシクロアルキル基、置換もしくは無置換のアルケニル基、置換もしくは無置換のアルキニル基、置換もしくは無置換のアラルキル基、置換もしくは無置換のアリール基、または置換もしくは無置換のヘテロ環基が好ましく、特に好ましい置換基は置換アリール基、または置換基へテロ環基であり、その中でも特に置換基アリール基が好ましい。
【００９８】
（ヘ）Ｑは、水素原子、置換もしくは無置換のアルキル基、置換もしくは無置換のアシル基、置換もしくは無置換のアルキルスルホニル基、または置換もしくは無置換のアリールスルホニル基が好ましく、特に水素原子、置換もしくは無置換のアルキル基、または置換もしくは無置換のアシル基が好ましく、その中でも特に水素原子が好ましい。
【００９９】
（ト）ｎは１〜３の整数を表し、好ましくは1または２であり、特に２が最も好ましい。
【０１００】
上記一般式（Ｙ−Ｉ）で表される化合物及びその塩が、下記一般式（Ｙ−１）、一般式（Ｙ−２）、一般式（Ｙ−３）、一般式（Ｙ−４）並びに一般式（Ｙ−５）で表される化合物及びその塩のいずれかであることが好ましい。
【０１０１】
以下、一般式（Ｙ−１）について詳細に説明する。
【０１０２】
【化１３】
2009132891.tif 000014
【０１０３】
Ｒ1、Ｒ2、Ｘ1、Ｘ2、Ｙ1、Ｙ2、Ｚ1、及びＺ2は一価の基を示す。
一価の基としては、水素原子、または一価の置換基を表す。一価の置換基の例としては、上記一般式（Ｉ）中、Ｒ、Ｘ、Ｙ及びＺの一価の置換基例と同義であり好ましい例も同じである。ｍ1は０〜３の整数を表す。一般式（Ｙ−１）は、少なくとも一つのイオン性親水性基を有し、該イオン性親水性基の対イオンがリチウムイオンを含む。
【０１０４】
以下に、前記Ｒ1、Ｒ2、Ｘ1、Ｘ2、Ｙ1、Ｙ2、Ｚ1、及びＺ2を更に詳しく説明する。
Ｒ1、Ｒ2の置換基例は、それぞれ独立に上記一般式（Ｙ−Ｉ）中のＲの例と同義であり、好ましい例も同じである。
Ｘ1、Ｘ2の置換基例は、それぞれ独立に上記一般式（Ｙ−Ｉ）中のＸの例と同義であり、好ましい例も同じである。
Ｙ1、Ｙ2の置換基例は、それぞれ独立に上記一般式（Ｙ−Ｉ）中のＹの例と同義であり、好ましい例も同じである。
Ｚ1、Ｚ2の置換基例は、それぞれ独立に上記一般式（Ｙ−Ｉ）中のＺの例と同義であり、好ましい例も同じである。
【０１０５】
以下に、前記Ｇ及びｍ1を更に詳しく説明する。
Ｇは５〜８員含窒素ヘテロ環を構成する原子団を表す。
Ｇの表す５〜８員含窒素ヘテロ環の好ましい例は、Ｓ-トリアジン環、ピリミジン環、ピリダジン環、ピラジン環、ピリジン環、イミダゾール環、ピラゾール環、またはピロール環であり、その中でもＳ-トリアジン環、ピリミジン環、ピリダジン環、またはピラジン環がより好ましく、Ｓ-トリアジン環が最も好ましい。
【０１０６】
ｍ1は、０〜３の整数を表し、Ｇの表す５〜８員含窒素ヘテロ環の好ましい例の構造に、−ＯＭ基が置換可能な場合は、０〜２が好ましく、その中でも０または１が好ましく、特にｍ1＝１が最も好ましい。
【０１０７】
以下に、前記Ｍを更に詳しく説明する。
Ｍは水素原子またはカチオンを示す。
Ｍで表されるカチオンとしては、ＬｉイオンまたはＬｉを主成分とするアルカリ金属イオン、アンモニウム又は第４級アンモニウムカチオン混合塩であり、好ましくはＬｉイオンまたはＬｉを主成分とするＮａ、Ｋ、ＮＨ4、またはＮＲ4混合塩である。但し、Ｒ4はアルキル基およびアリール基であり上述したＲ、Ｙで表されるアルキル基およびアリール基の例と同じである。その中でも好ましいＭのカチオン例はＬｉイオンまたはＬｉを主成分とするＮａ、Ｋ、またはＮＨ4混合塩であり、更にＬｉイオンまたはＬｉを主成分とするＮａ、またはＫ混合塩が特に好ましい。その中でもＬｉが最も好ましい。
【０１０８】
本発明の一般式（Ｙ−１）で表される色素の好ましい置換基の組み合わせについては、種々の置換基の少なくとも１つが前記の好ましい基である化合物が好ましく、より多くの種々の置換基が前記好ましい基である化合物がより好ましく、全ての置換基が前記好ましい基である化合物が最も好ましい。
【０１０９】
本発明の一般式（Ｙ−１）で表される色素として特に好ましい組み合わせは、以下の（イ）〜（ト）を含むものである。
【０１１０】
（イ）Ｒ1、Ｒ2は同一または異なっていてもよく、置換もしくは無置換の総炭素数１〜１２のアルキル基、置換もしくは無置換の総炭素数６〜１８のアリール基、または置換もしくは無置換の総炭素数４〜１２ヘテロ環基が好ましく、その中でも、総炭素原子数１〜８の直鎖アルキル基または分岐のアルキル基が好ましく、特に２級または３級アルキル基が好ましく、ｔ−ブチル基が最も好ましい。
【０１１１】
（ロ）Ｘ1、Ｘ2は同一または異なっていてもよく、ハメットの置換基定数σｐ値が０．２０以上の電子求引性基が好ましく、更に０．３０以上の電子求引性基が好ましく、上限としては１．０以下の電子求引性基である。その中でも、シアノ基、炭素数１〜１２のアルキルスルホニル基、炭素数６〜１８のアリールスルホニル基、または炭素数０〜１２のスルファモイル基であり、特に、シアノ基、または炭素数１〜１２のアルキルスルホニル基が好ましく、更にシアノ基、メチルスルホニル基、フェニルスルホニル基が好ましく、最も好ましいものは、シアノ基である。
【０１１２】
（ハ）Ｙ1、Ｙ2は同一または異なっていてもよく、水素原子、置換もしくは無置換の総炭素数１〜１２のアルキル基、置換もしくは無置換の総炭素数６〜１８のアリール基、置換もしくは無置換の総炭素数４〜１２ヘテロ環基または置換もしくは無置換の総炭素数１〜１２のアルキルチオ基が好ましく、その中でも、水素原子、総炭素原子数１〜８の直鎖アルキル基または分岐のアルキル基または置換もしくは無置換の総炭素数１〜８のアルキルチオ基が好ましく、特に水素原子、総炭素数１〜８のアルキル基または総炭素数１〜８のアルキルチオ基が好ましく、更に水素原子またはメチルチオ基が好ましく、その中でも特に水素原子が最も好ましい。
【０１１３】
（ニ）Ｚ1、Ｚ2は、同一または異なっていてもよく、置換もしくは無置換の総炭素数１〜１２アルキル基、置換もしくは無置換の総炭素数６〜１８のアリール基、または置換もしくは無置換の総炭素数４〜１２ヘテロ環基が好ましく、更に置換もしくは無置換のアリール基、または置換もしくは無置換のヘテロ環基が好ましく、特に置換アリール基が最も好ましい。
【０１１４】
（ホ）Ｇは５〜８員含窒素ヘテロ環を構成する原子団を表し、５〜８員含窒素ヘテロ環の好ましい例は、Ｓ-トリアジン環、ピリミジン環、ピリダジン環、ピラジン環、ピリジン環、イミダゾール環、ピラゾール環、またはピロール環であり、その中でもＳ-トリアジン環、ピリミジン環、ピリダジン環、またはピラジン環がより好ましく、Ｓ-トリアジン環が最も好ましい。
【０１１５】
（ヘ）ｍ1は、０〜３の整数を表し、Ｇの表す５〜８員含窒素ヘテロ環の好ましい例の構造に、−ＯＭ基が置換可能な場合は、０〜２が好ましく、その中でも０または１が好ましく、特にｍ1＝１が最も好ましい。
【０１１６】
（ト）Ｍは、ＬｉイオンまたはＬｉを主成分とする水素原子又はカチオン混合塩が好ましく、特に好ましくはＬｉイオンまたはＬｉを主成分とする水素原子、アルカリ金属イオン、アンモニウム又は第４級アンモニウムカチオン混合塩であり、更に好ましくはＬｉイオンまたはＬｉを主成分とするＮａ、Ｋ、またはＮＨ4混合塩であり、その中でも特にＬｉが最も好ましい。
【０１１７】
以下、一般式（Ｙ−２）について詳細に説明する。
【０１１８】
【化１４】
2009132891.tif 000015
【０１１９】
Ｒ1、Ｒ2、Ｒ11、Ｒ12、Ｘ1、Ｘ2、Ｚ1、及びＺ2は一価の基を示す。
一価の基としては、水素原子、または一価の置換基を表す。
Ｌ1は、２価の連結基を表す。
Ｇ1、Ｇ2は、それぞれ独立に５〜８員含窒素ヘテロ環を構成する原子団を示す。
ｍ21、ｍ22は、それぞれ独立に０〜３の整数を表し、Ｇ1、Ｇ2の表す５〜８員含窒素ヘテロ環の好ましい例の構造に、−ＯＭ基が置換可能な場合は、０〜２が好ましく、その中でも０または１が好ましく、特にｍ21＝１、ｍ22＝１が最も好ましい。
Ｍは水素原子またはカチオンを示す。
【０１２０】
前記一般式（Ｙ−２）は、少なくとも一つのイオン性親水性基を有し、該イオン性親水性基の対イオンがリチウムイオンを含む。
以下に、前記一般式（Ｙ−２）について更に詳しく説明する。
一般式（Ｙ−２）中、Ｒ1及びＲ2の好ましい置換基例は、上記一般式（Ｙ−１）で説明したＲ1、Ｒ2、Ｙ1、及びＹ2の置換基例と同義であり、好ましい例も同じである。
一般式（Ｙ−２）中、Ｘ1及びＸ2の好ましい置換基例は、上記一般式（Ｙ−１）で説明したＸ1及びＸ2の置換基例と同義であり、好ましい例も同じである。
一般式（Ｙ−２）中、Ｚ1及びＺ2の好ましい置換基例は、上記一般式（Ｙ−１）で説明したＺ1及びＺ2の置換基例と同義であり、好ましい例も同じである。
一般式（Ｙ−２）中、Ｇ1及びＧ2の好ましい例は、上記一般式（Ｙ−１）で説明したＧの例と同義であり、好ましい例も同じである。
一般式（Ｙ−２）中、Ｍの好ましい例は、上記一般式（Ｙ−１）で説明したＭの例と同義であり、好ましい例も同じである。
【０１２１】
一般式（Ｙ−２）中、Ｒ11及びＲ12の好ましい置換基例は、上記一般式（Ｙ−１）で説明したＲ1、Ｒ2、Ｙ1、及びＹ2の置換基例と同義であり、好ましい例は、-ＯＭ基（Ｍは水素原子またはカチオン）、置換もしくは無置換のアミノ基；炭素数１から１２のアルキルアミノ基、炭素数６から１８のアリールアミノ基、置換もしくは無置換の炭素数１から１２のアルキルチオ基、置換もしくは無置換の炭素数６から１８のアリールチオ基等が挙げられる。
【０１２２】
一般式（Ｙ−２）中、Ｌ1で表される二価の連結基はアルキレン基（例、メチレン、エチレン、プロピレン、ブチレン、ペンチレン）、アルケニレン基（例、エテニレン、プロぺニレン）、アルキニレン基（例、エチニレン、プロピニレン）、アリーレン基（例、フェニレン、ナフチレン）、二価のヘテロ環基（例、６ークロロー１、３、５ートリアジンー２、４ージイル基、ピリミジンー２、４ージイル基、ピリミジンー４、６ージイル基、キノキサリンー２、３ージイル基、ピリダジンー３，６−ジイル）、−Ｏ−、−ＣＯ−、−ＮＲ−（Ｒは水素原子、アルキル基又はアリール基）、−Ｓ−、−ＳＯ2−、−ＳＯ−又はこれらの組み合わせ（例えば−ＮＨＣＨ2ＣＨ2ＮＨ−、−ＮＨＣＯＮＨ−等）であることが好ましい。
【０１２３】
アルキレン基、アルケニレン基、アルキニレン基、アリーレン基、二価のヘテロ環基、Ｒのアルキル基又はアリール基は、置換基を有していてもよい。
【０１２４】
置換基の例としては、上記一般式（Ｙ−１）中のＲ1、Ｒ2、Ｙ1及びＹ2の置換基と同義である。
【０１２５】
上記Ｒのアルキル基およびアリール基は、上記一般式（Ｙ−１）中のＲ1、Ｒ2、Ｙ1及びＹ2の置換基例と同義である。
【０１２６】
さらに好ましくは、炭素数１０以下のアルキレン基、炭素数１０以下のアルケニレン基、炭素数１０以下のアルキニレン基、炭素数６以上１０以下のアリーレン基、−Ｓ−、−ＳＯ−、―ＳＯ2−又はこれらの組み合わせ（例えば−ＳＣＨ2ＣＨ2Ｓ−、−ＳＣＨ2ＣＨ2ＣＨ2Ｓ−等）であることがさらに好ましい。
【０１２７】
二価の連結基の総炭素数は０乃至５０であることが好ましく、０乃至３０であることがより好ましく、０乃至１０であることが最も好ましい。
【０１２８】
本発明の一般式（Ｙ−２）で表される色素の好ましい置換基の組み合わせについては、種々の置換基の少なくとも１つが前記の好ましい基である化合物が好ましく、より多くの種々の置換基が前記好ましい基である化合物がより好ましく、全ての置換基が前記好ましい基である化合物が最も好ましい。
【０１２９】
本発明の一般式（Ｙ−２）で表される色素として特に好ましい組み合わせは、以下の（イ）〜（チ）を含むものである。
【０１３０】
（イ）Ｒ1、Ｒ2は同一または異なっていてもよく、置換もしくは無置換の総炭素数１〜１２のアルキル基、置換もしくは無置換の総炭素数６〜１８のアリール基、または置換もしくは無置換の総炭素数４〜１２ヘテロ環基が好ましく、その中でも、総炭素原子数１〜８の直鎖アルキル基または分岐のアルキル基が好ましく、特に２級または３級アルキル基が好ましく、ｔ−ブチル基が最も好ましい。
【０１３１】
（ロ）Ｘ1、Ｘ2は同一または異なっていてもよく、ハメットの置換基定数σｐ値が０．２０以上の電子求引性基が好ましく、更に０．３０以上の電子求引性基が好ましく、上限としては１．０以下の電子求引性基である。その中でも、シアノ基、炭素数１〜１２のアルキルスルホニル基、炭素数６〜１８のアリールスルホニル基、または炭素数０〜１２のスルファモイル基であり、特に、シアノ基、または炭素数１〜１２のアルキルスルホニル基が好ましく、更にシアノ基、メチルスルホニル基、フェニルスルホニル基が好ましく、最も好ましいものは、シアノ基である。
【０１３２】
（ハ）Ｚ1、Ｚ2は、同一または異なっていてもよく、置換もしくは無置換の総炭素数１〜１２アルキル基、置換もしくは無置換の総炭素数６〜１８のアリール基、または置換もしくは無置換の総炭素数４〜１２ヘテロ環基が好ましく、更に置換もしくは無置換のアリール基、または置換もしくは無置換のヘテロ環基が好ましく、特に置換アリール基が最も好ましい。
【０１３３】
（ニ）Ｇ1、Ｇ2は同一または異なっていてもよく、５〜８員含窒素ヘテロ環を構成する原子団を表し、５〜８員含窒素ヘテロ環の好ましい例は、Ｓ-トリアジン環、ピリミジン環、ピリダジン環、ピラジン環、ピリジン環、イミダゾール環、ピラゾール環、またはピロール環であり、その中でもＳ-トリアジン環、ピリミジン環、ピリダジン環、またはピラジン環がより好ましく、Ｓ-トリアジン環が最も好ましい。
【０１３４】
（ホ）ｍ21、ｍ22は、それぞれ独立に０〜３の整数を表し、Ｇ1、Ｇ2の表す５〜８員含窒素ヘテロ環の好ましい例の構造に、−ＯＭ基が置換可能な場合は、０〜２が好ましく、その中でも０または１が好ましく、特にｍ21＝１、ｍ22＝１が最も好ましい。
【０１３５】
（ヘ）Ｍは、ＬｉイオンまたはＬｉを主成分とする水素原子又はカチオン混合塩が好ましく、特に好ましくはＬｉイオンまたはＬｉを主成分とする水素原子、アルカリ金属イオン、アンモニウム又は第４級アンモニウムカチオン混合塩であり、更に好ましくはＬｉイオンまたはＬｉを主成分とするＮａ、Ｋ、またはＮＨ4混合塩であり、その中でも特にＬｉが最も好ましい。
【０１３６】
（ト）Ｒ11、Ｒ12は同一または異なっていてもよく、−ＯＭ基（Ｍは水素原子またはカチオン）、置換もしくは無置換のアミノ基（炭素数１から１２のアルキルアミノ基、炭素数６から１８のアリールアミノ基等）、置換もしくは無置換の炭素数１から１２のアルキルチオ基、または置換もしくは無置換の炭素数６から１８のアリールチオ基が好ましく、その中でも無置換のアミノ基、炭素数１から１２のアルキルアミノ基、炭素数６から１８のアリールアミノ基、置換もしくは無置換の炭素数１から１２のアルキルチオ基、または置換もしくは無置換の炭素数６から１８のアリールチオ基が好ましく、特に無置換のアミノ基、炭素数１から１２のジアルキルアミノ基、炭素数６から１８のアリールアミノ基、または置換もしくは無置換の炭素数１から１２のアルキルチオ基が好ましい。
【０１３７】
（チ）Ｌ1は、炭素数１０以下のアルキレン基、炭素数１０以下のアルケニレン基、炭素数１０以下のアルキニレン基、炭素数６以上１０以下のアリーレン基、−Ｓ−、−ＳＯ−、―ＳＯ2−又はこれらの組み合わせ（例えば−ＳＣＨ2ＣＨ2Ｓ−、−ＳＣＨ2ＣＨ2ＣＨ2Ｓ−等）であることが好ましく、さらに炭素数１０以下のアルキレン基、炭素数６以上１０以下のアリーレン基、−Ｓ−、−ＳＯ−、―ＳＯ2−又はこれらの組み合わせ（例えば−ＳＣＨ2ＣＨ2Ｓ−、−ＳＣＨ2ＣＨ2ＣＨ2Ｓ−等）であることが好ましく、特に炭素数１０以下のアルキレン基、−ＳＣＨ2ＣＨ2Ｓ−、−ＳＣＨ2ＣＨ2ＣＨ2Ｓ−であることが好ましい。
【０１３８】
以下、一般式（Ｙ−３）について詳細に説明する。
【０１３９】
【化１５】
2009132891.tif 000016
【０１４０】
Ｒ1、Ｒ2、Ｒ11、Ｒ12、Ｘ1、Ｘ2、Ｙ1、及びＹ2は一価の基を示す。
一価の基としては、水素原子、または一価の置換基を表す。
Ｌ2は、２価の連結基を表す。
Ｇ1、Ｇ2は、はそれぞれ独立に５〜８員含窒素ヘテロ環を構成する原子団を示す。
ｍ31、ｍ32は、それぞれ独立に０〜３の整数を表す。
Ｍは水素原子またはカチオンを示す。
前記一般式（Ｙ−３）は、少なくとも一つのイオン性親水性基を有し、該イオン性親水性基の対イオンがリチウムイオンを含む。
【０１４１】
以下に、前記一般式（Ｙ−３）について更に詳しく説明する。
一般式（Ｙ−３）中、Ｒ1、Ｒ2、Ｙ1、及びＹ2の好ましい置換基例は、上記一般式
（Ｙ−１）で説明したＲ1、Ｒ2、Ｙ1、及びＹ2の置換基例と同じであり、好ましい例も同じである。
一般式（Ｙ−３）中、Ｘ1及びＸ2の好ましい置換基例は、上記一般式（Ｙ−１）で説明したＸ1及びＸ2の置換基例と同じであり、好ましい例も同じである。
一般式（Ｙ−３）中、Ｇ1及びＧ2の好ましい例は、上記一般式（Ｙ−１）で説明したＧの例と同じであり、好ましい例も同じである。
一般式（Ｙ−３）中、ｍ31及びｍ32の好ましい例は、上記一般式（Ｙ−２）で説明したｍ21，ｍ22の例と同じであり、好ましい例も同じである。
一般式（Ｙ−３）中、Ｍの好ましい例は、上記一般式（Ｙ−１）で説明したＭの例と同じであり、好ましい例も同じである。
一般式（Ｙ−３）中、Ｒ11及びＲ12の好ましい置換基例は、上記一般式（Ｙ−２）で説明したＲ11、Ｒ12の置換基例と同じであり、好ましい例も同じである。
一般式（Ｙ−３）中、Ｌ2で表される二価の連結基は、上記一般式（Ｙ−２）で説明したＬ1の例と同義であり、好ましい例も同じである。
【０１４２】
本発明の一般式（Ｙ−３）で表される色素の好ましい置換基の組み合わせについては、種々の置換基の少なくとも１つが前記の好ましい基である化合物が好ましく、より多くの種々の置換基が前記好ましい基である化合物がより好ましく、全ての置換基が前記好ましい基である化合物が最も好ましい。
【０１４３】
本発明の一般式（Ｙ−３）で表される色素として特に好ましい組み合わせは、以下の（イ）〜（チ）を含むものである。
【０１４４】
（イ）Ｒ1、Ｒ2は同一または異なっていてもよく、置換もしくは無置換の総炭素数１〜１２のアルキル基、置換もしくは無置換の総炭素数６〜１８のアリール基、または置換もしくは無置換の総炭素数４〜１２ヘテロ環基が好ましく、その中でも、総炭素原子数１〜８の直鎖アルキル基または分岐のアルキル基が好ましく、特に２級または３級アルキル基が好ましく、ｔ−ブチル基が最も好ましい。
【０１４５】
（ロ）Ｘ1、Ｘ2は同一または異なっていてもよく、ハメットの置換基定数σｐ値が０．２０以上の電子求引性基が好ましく、更に０．３０以上の電子求引性基が好ましく、上限としては１．０以下の電子求引性基である。その中でも、シアノ基、炭素数１〜１２のアルキルスルホニル基、炭素数６〜１８のアリールスルホニル基、または炭素数０〜１２のスルファモイル基であり、特に、シアノ基、または炭素数１〜１２のアルキルスルホニル基が好ましく、更にシアノ基、メチルスルホニル基、フェニルスルホニル基が好ましく、最も好ましいものは、シアノ基である。
【０１４６】
（ハ）Ｙ1、Ｙ2は同一または異なっていてもよく、水素原子、置換もしくは無置換の総炭素数１〜１２のアルキル基、置換もしくは無置換の総炭素数６〜１８のアリール基、置換もしくは無置換の総炭素数４〜１２ヘテロ環基または置換もしくは無置換の総炭素数１〜１２のアルキルチオ基が好ましく、その中でも、水素原子、総炭素原子数１〜８の直鎖アルキル基または分岐のアルキル基または置換もしくは無置換の総炭素数１〜８のアルキルチオ基が好ましく、特に水素原子、総炭素数１〜８のアルキル基または総炭素数１〜８のアルキルチオ基が好ましく、更に水素原子またはメチルチオ基が好ましく、その中でも特に水素原子が最も好ましい。
【０１４７】
（ニ）Ｇ1、Ｇ2は同一または異なっていてもよく、５〜８員含窒素ヘテロ環を構成する原子団を表し、５〜８員含窒素ヘテロ環の好ましい例は、Ｓ-トリアジン環、ピリミジン環、ピリダジン環、ピラジン環、ピリジン環、イミダゾール環、ピラゾール環、またはピロール環であり、その中でもＳ-トリアジン環、ピリミジン環、ピリダジン環、またはピラジン環がより好ましく、Ｓ-トリアジン環が最も好ましい。
【０１４８】
（ホ）ｍ31，ｍ32は、それぞれ独立に０〜３の整数を表し、Ｇ1、Ｇ2の表す５〜８員含窒素ヘテロ環の好ましい例の構造に、−ＯＭ基が置換可能な場合は、０〜２が好ましく、その中でも０または１が好ましく、特にｍ31＝１、ｍ32＝１が最も好ましい。
【０１４９】
（ヘ）Ｍは、ＬｉイオンまたはＬｉを主成分とする水素原子又はカチオン混合塩が好ましく、特に好ましくはＬｉイオンまたはＬｉを主成分とする水素原子、アルカリ金属イオン、アンモニウム又は第４級アンモニウムカチオン混合塩であり、更に好ましくはＬｉイオンまたはＬｉを主成分とするＮａ、Ｋ、またはＮＨ4混合塩であり、その中でも特にＬｉが最も好ましい。
【０１５０】
（ト）Ｒ11、Ｒ12は同一または異なっていてもよく、−ＯＭ基（Ｍは水素原子またはカチオン）、置換もしくは無置換のアミノ基（炭素数１から１２のアルキルアミノ基、炭素数６から１８のアリールアミノ基等）、置換もしくは無置換の炭素数１から１２のアルキルチオ基、または置換もしくは無置換の炭素数６から１８のアリールチオ基が好ましく、その中でも無置換のアミノ基、炭素数１から１２のアルキルアミノ基、炭素数６から１８のアリールアミノ基、置換もしくは無置換の炭素数１から１２のアルキルチオ基、または置換もしくは無置換の炭素数６から１８のアリールチオ基が好ましく、特に無置換のアミノ基、炭素数１から１２のジアルキルアミノ基、炭素数６から１８のアリールアミノ基、または置換もしくは無置換の炭素数１から１２のアルキルチオ基が好ましい。
【０１５１】
（チ）Ｌ2は、炭素数１０以下のアルキレン基、炭素数１０以下のアルケニレン基、炭素数１０以下のアルキニレン基、炭素数６以上１０以下のアリーレン基、−Ｓ−、−ＳＯ−、―ＳＯ2−又はこれらの組み合わせ（例えば−ＳＣＨ2ＣＨ2Ｓ−、−ＳＣＨ2ＣＨ2ＣＨ2Ｓ−等）であることが好ましく、さらに炭素数１０以下のアルキレン基、炭素数６以上１０以下のアリーレン基、−Ｓ−、−ＳＯ−、―ＳＯ2−又はこれらの組み合わせ（例えば−ＳＣＨ2ＣＨ2Ｓ−、−ＳＣＨ2ＣＨ2ＣＨ2Ｓ−等）であることが好ましく、特に炭素数１０以下のアルキレン基、−ＳＣＨ2ＣＨ2Ｓ−、−ＳＣＨ2ＣＨ2ＣＨ2Ｓ−であることが好ましい。
【０１５２】
以下、一般式（Ｙ−４）について詳細に説明する。
【０１５３】
【化１６】
2009132891.tif 000017
【０１５４】
Ｒ11、Ｒ12、Ｘ1、Ｘ2、Ｙ1、Ｙ2、Ｚ1及びＺ2は一価の基を示す。
一価の基としては、水素原子、または一価の置換基を表す。
Ｌ3は、２価の連結基を表す。
Ｇ1、Ｇ2は、はそれぞれ独立に５〜８員含窒素ヘテロ環を構成する原子団を示す。
ｍ41，ｍ42は、それぞれ独立に０〜３の整数を表す。
Ｍは水素原子またはカチオンを示す。
前記一般式（Ｙ−４）なくとも一つのイオン性親水性基を有し、該イオン性親水性基の対イオンがリチウムイオンを含む。
【０１５５】
以下に、前記一般式（Ｙ−４）について更に詳しく説明する。
一般式（Ｙ−４）中、Ｙ1、及びＹ2の好ましい置換基例は、上記一般式（Ｙ−１）で説明したＲ1、Ｒ2、Ｙ1、及びＹ2の置換基例と同じであり、好ましい例も同じである。
一般式（Ｙ−４）中、Ｘ1及びＸ2の好ましい置換基例は、上記一般式（Ｙ−１）で説明したＸ1及びＸ2の置換基例と同じであり、好ましい例も同じである。
一般式（Ｙ−４）中、Ｇ1及びＧ2の好ましい例は、上記一般式（Ｙ−１）で説明したＧの例と同じであり、好ましい例も同じである。
一般式（Ｙ−４）中、ｍ41及びｍ42の好ましい例は、上記一般式（Ｙ−２）で説明したｍ21，ｍ22の例と同じであり、好ましい例も同じである。
一般式（Ｙ−４）中、Ｍの好ましい例は、上記一般式（Ｙ−１）で説明したＭの例と同じであり、好ましい例も同じである。
一般式（Ｙ−４）中、Ｒ11及びＲ12の好ましい置換基例は、上記一般式（Ｙ−２）で説明したＲ11、Ｒ12の置換基例と同じであり、好ましい例も同じである。
一般式（Ｙ−４）中、Ｌ3で表される二価の連結基の例は、上記一般式（Ｙ−２）で説明したＬ1の例と同じであり、好ましい例も同じである。
【０１５６】
本発明の一般式（Ｙ−４）で表される色素の好ましい置換基の組み合わせについては、種々の置換基の少なくとも１つが前記の好ましい基である化合物が好ましく、より多くの種々の置換基が前記好ましい基である化合物がより好ましく、全ての置換基が前記好ましい基である化合物が最も好ましい。
【０１５７】
本発明の一般式（Ｙ−４）で表される色素として特に好ましい組み合わせは、以下の（イ）〜（チ）を含むものである。
【０１５８】
（イ）Ｙ1、Ｙ2は同一または異なっていてもよく、水素原子、置換もしくは無置換の総炭素数１〜１２のアルキル基、置換もしくは無置換の総炭素数６〜１８のアリール基、置換もしくは無置換の総炭素数４〜１２ヘテロ環基または置換もしくは無置換の総炭素数１〜１２のアルキルチオ基が好ましく、その中でも、水素原子、総炭素原子数１〜８の直鎖アルキル基または分岐のアルキル基または置換もしくは無置換の総炭素数１〜８のアルキルチオ基が好ましく、特に水素原子、総炭素数１〜８のアルキル基または総炭素数１〜８のアルキルチオ基が好ましく、更に水素原子またはメチルチオ基が好ましく、その中でも特に水素原子が最も好ましい。
【０１５９】
（ロ）Ｘ1、Ｘ2は同一または異なっていてもよく、ハメットの置換基定数σｐ値が０．２０以上の電子求引性基が好ましく、更に０．３０以上の電子求引性基が好ましく、上限としては１．０以下の電子求引性基である。その中でも、シアノ基、炭素数１〜１２のアルキルスルホニル基、炭素数６〜１８のアリールスルホニル基、または炭素数０〜１２のスルファモイル基であり、特に、シアノ基、または炭素数１〜１２のアルキルスルホニル基が好ましく、更にシアノ基、メチルスルホニル基、フェニルスルホニル基が好ましく、最も好ましいものは、シアノ基である。
【０１６０】
（ハ）Ｚ1、Ｚ2は、同一または異なっていてもよく、置換もしくは無置換の総炭素数１〜１２アルキル基、置換もしくは無置換の総炭素数６〜１８のアリール基、または置換もしくは無置換の総炭素数４〜１２ヘテロ環基が好ましく、更に置換もしくは無置換のアリール基、または置換もしくは無置換のヘテロ環基が好ましく、特に置換アリール基が最も好ましい。
【０１６１】
（ニ）Ｇ1、Ｇ2は同一または異なっていてもよく、５〜８員含窒素ヘテロ環を構成する原子団を表し、５〜８員含窒素ヘテロ環の好ましい例は、Ｓ-トリアジン環、ピリミジン環、ピリダジン環、ピラジン環、ピリジン環、イミダゾール環、ピラゾール環、またはピロール環であり、その中でもＳ-トリアジン環、ピリミジン環、ピリダジン環、またはピラジン環がより好ましく、Ｓ-トリアジン環が最も好ましい。
【０１６２】
（ホ）ｍ41，ｍ42は、それぞれ独立に０〜３の整数を表し、Ｇ1、Ｇ2の表す５〜８員含窒素ヘテロ環の好ましい例の構造に、−ＯＭ基が置換可能な場合は、０〜２が好ましく、その中でも０または１が好ましく、特にｍ41＝１、ｍ42＝１が最も好ましい。
【０１６３】
（ヘ）ＭはＬｉイオンまたはＬｉを主成分とする水素原子又はカチオン混合塩が好ましく、特に好ましくはＬｉイオンまたはＬｉを主成分とする水素原子、アルカリ金属イオン、アンモニウム又は第４級アンモニウムカチオン混合塩であり、更に好ましくはＬｉイオンまたはＬｉを主成分とするＮａ、Ｋ、またはＮＨ4混合塩であり、その中でも特にＬｉが最も好ましい。
【０１６４】
（ト）Ｒ11、Ｒ12は同一または異なっていてもよく、−ＯＭ基（Ｍは水素原子またはカチオン）、置換もしくは無置換のアミノ基（炭素数１から１２のアルキルアミノ基、炭素数６から１８のアリールアミノ基等）、置換もしくは無置換の炭素数１から１２のアルキルチオ基、または置換もしくは無置換の炭素数６から１８のアリールチオ基が好ましく、その中でも無置換のアミノ基、炭素数１から１２のアルキルアミノ基、炭素数６から１８のアリールアミノ基、置換もしくは無置換の炭素数１から１２のアルキルチオ基、または置換もしくは無置換の炭素数６から１８のアリールチオ基が好ましく、特に無置換のアミノ基、炭素数１から１２のジアルキルアミノ基、炭素数６から１８のアリールアミノ基、または置換もしくは無置換の炭素数１から１２のアルキルチオ基が好ましい。
【０１６５】
（チ）Ｌ3は、炭素数１０以下のアルキレン基、炭素数１０以下のアルケニレン基、炭素数１０以下のアルキニレン基、炭素数６以上１０以下のアリーレン基、−Ｓ−、−ＳＯ−、―ＳＯ2−又はこれらの組み合わせ（例えば−ＳＣＨ2ＣＨ2Ｓ−、−ＳＣＨ2ＣＨ2ＣＨ2Ｓ−等）であることが好ましく、さらに炭素数１０以下のアルキレン基、炭素数６以上１０以下のアリーレン基、−Ｓ−、−ＳＯ−、―ＳＯ2−又はこれらの組み合わせ（例えば−ＳＣＨ2ＣＨ2Ｓ−、−ＳＣＨ2ＣＨ2ＣＨ2Ｓ−等）であることが好ましく、特に炭素数１０以下のアルキレン基、−ＳＣＨ2ＣＨ2Ｓ−、−ＳＣＨ2ＣＨ2ＣＨ2Ｓ−であることが好ましい。
【０１６６】
以下、一般式（Ｙ−５）について詳細に説明する。
【０１６７】
【化１７】
2009132891.tif 000018
【０１６８】
Ｒ1、Ｒ2、Ｒ11、Ｒ12、Ｙ1、Ｙ2、Ｚ1、及びＺ2は一価の基を示す。
一価の基としては、水素原子、または一価の置換基を表す。
Ｌ4は、２価の連結基を表す。
Ｇ1、Ｇ2は、はそれぞれ独立に５〜８員含窒素ヘテロ環を構成する原子団を示す。
ｍ51，ｍ52は、それぞれ独立に０〜３の整数を表す。
Ｍは水素原子またはカチオンを示す。
【０１６９】
前記一般式（Ｙ−５）は少なくとも一つのイオン性親水性基を有し、該イオン性親水性基の対イオンがリチウムイオンを含む。
【０１７０】
以下に、前記一般式（Ｙ−５）について更に詳しく説明する。
一般式（Ｙ−５）中、Ｒ1、Ｒ2、Ｙ1及びＹ2の好ましい置換基例は、上記一般式（Ｙ−１）で説明したＲ1、Ｒ2、Ｙ1、及びＹ2の置換基例と同じであり、好ましい例も同じである。
一般式（Ｙ−５）中、Ｚ1及びＺ2の好ましい置換基例は、上記一般式（Ｙ−１）で説明したＺ1及びＺ2の置換基例と同じであり、好ましい例も同じである。
一般式（Ｙ−５）中、Ｇ1及びＧ2の好ましい例は、上記一般式（Ｙ−１）で説明したＧの例と同じであり、好ましい例も同じである。
一般式（Ｙ−５）中、ｍ51及びｍ52の好ましい例は、上記一般式（Ｙ−２）で説明したｍ21，ｍ22の例と同じであり、好ましい例も同じである。
一般式（Ｙ−５）中、Ｍの好ましい例は、上記一般式（Ｙ−１）で説明したＭの例と同じであり、好ましい例も同じである。
一般式（Ｙ−５）中、Ｒ11及びＲ12の好ましい置換基例は、上記一般式（Ｙ−２）で説明したＲ11及びＲ12の置換基例と同じであり、好ましい例も同じである。
一般式（Ｙ−５）中、Ｌ4で表される二価の連結基の例は、上記一般式（Ｙ−２）で説明したＬ1の例と同じであり、好ましい例も同じである。
【０１７１】
本発明の一般式（Ｙ−５）で表される色素の好ましい置換基の組み合わせについては、種々の置換基の少なくとも１つが前記の好ましい基である化合物が好ましく、より多くの種々の置換基が前記好ましい基である化合物がより好ましく、全ての置換基が前記好ましい基である化合物が最も好ましい。
【０１７２】
本発明の一般式（Ｙ−５）で表される色素として特に好ましい組み合わせは、以下の（イ）〜（チ）を含むものである。
【０１７３】
（イ）Ｒ1、Ｒ2は同一または異なっていてもよく、置換もしくは無置換の総炭素数１〜１２のアルキル基、置換もしくは無置換の総炭素数６〜１８のアリール基、または置換もしくは無置換の総炭素数４〜１２ヘテロ環基が好ましく、その中でも、総炭素原子数１〜８の直鎖アルキル基または分岐のアルキル基が好ましく、特に２級または３級アルキル基が好ましく、ｔ−ブチル基が最も好ましい。
【０１７４】
（ロ）Ｙ1、Ｙ2は同一または異なっていてもよく、水素原子、置換もしくは無置換の総炭素数１〜１２のアルキル基、置換もしくは無置換の総炭素数６〜１８のアリール基、置換もしくは無置換の総炭素数４〜１２ヘテロ環基または置換もしくは無置換の総炭素数１〜１２のアルキルチオ基が好ましく、その中でも、水素原子、総炭素原子数１〜８の直鎖アルキル基または分岐のアルキル基または置換もしくは無置換の総炭素数１〜８のアルキルチオ基が好ましく、特に水素原子、総炭素数１〜８のアルキル基または総炭素数１〜８のアルキルチオ基が好ましく、更に水素原子またはメチルチオ基が好ましく、その中でも特に水素原子が最も好ましい。
【０１７５】
（ハ）Ｚ1、Ｚ2は、同一または異なっていてもよく、置換もしくは無置換の総炭素数１〜１２アルキル基、置換もしくは無置換の総炭素数６〜１８のアリール基、または置換もしくは無置換の総炭素数４〜１２ヘテロ環基が好ましく、更に置換もしくは無置換のアリール基、または置換もしくは無置換のヘテロ環基が好ましく、特に置換アリール基が最も好ましい。
【０１７６】
（ニ）Ｇ1、Ｇ2は同一または異なっていてもよく、５〜８員含窒素ヘテロ環を構成する原子団を表し、５〜８員含窒素ヘテロ環の好ましい例は、Ｓ-トリアジン環、ピリミジン環、ピリダジン環、ピラジン環、ピリジン環、イミダゾール環、ピラゾール環、またはピロール環であり、その中でもＳ-トリアジン環、ピリミジン環、ピリダジン環、またはピラジン環がより好ましく、Ｓ-トリアジン環が最も好ましい。
【０１７７】
（ホ）ｍ51，ｍ51は、それぞれ独立に０〜３の整数を表し、Ｇ1、Ｇ2の表す５〜８員含窒素ヘテロ環の好ましい例の構造に、−ＯＭ基が置換可能な場合は、０〜２が好ましく、その中でも０または１が好ましく、特にｍ51＝１、ｍ52＝１が最も好ましい。
【０１７８】
（ヘ）ＭはＬｉイオンまたはＬｉを主成分とする水素原子又はカチオン混合塩が好ましく、特に好ましくはＬｉイオンまたはＬｉを主成分とする水素原子、アルカリ金属イオン、アンモニウム又は第４級アンモニウムカチオン混合塩であり、更に好ましくはＬｉイオンまたはＬｉを主成分とするＮａ、Ｋ、またはＮＨ4混合塩であり、その中でも特にＬｉが最も好ましい。
【０１７９】
（ト）Ｒ11、Ｒ12は同一または異なっていてもよく、−ＯＭ基（Ｍは水素原子またはカチオン）、置換もしくは無置換のアミノ基；炭素数１から１２のアルキルアミノ基、炭素数６から１８のアリールアミノ基、置換もしくは無置換の炭素数１から１２のアルキルチオ基、置換もしくは無置換の炭素数６から１８のアリールチオ基が好ましく、その中でも無置換のアミノ基、炭素数１から１２のアルキルアミノ基、炭素数６から１８のアリールアミノ基、置換もしくは無置換の炭素数１から１２のアルキルチオ基、または置換もしくは無置換の炭素数６から１８のアリールチオ基が好ましく、特に無置換のアミノ基、炭素数１から１２のジアルキルアミノ基、炭素数６から１８のアリールアミノ基、または置換もしくは無置換の炭素数１から１２のアルキルチオ基が好ましい。
【０１８０】
（チ）Ｌ4は、２価の連結基で且つハメットの置換基定数σｐ値が０．２０以上の電子求引性基が好ましく、更に０．３０以上の電子求引性基が好ましく、上限としては１．０以下の電子求引性基である。その中でも、炭素数１〜１２のアルキルスルホニル基：｛−ＳＯ2−（ＣＨ2）ｎ−Ｏ2Ｓ−；ｎ＝１〜１０の整数｝、炭素数６〜１８のアリールスルホニル基：｛−ＳＯ2−Ａｒ−Ｏ2Ｓ−；Ａｒは置換または無置換のアリール基が好ましく、最も好ましいものは、炭素数１〜１２のアルキルスルホニル基アルキルスルホニル基：｛−ＳＯ2−（ＣＨ2）ｎ−Ｏ2Ｓ−；ｎ＝１〜５の整数｝である。
【０１８１】
上記一般式（Ｙ−１）で表されるアゾ色素のうち、好ましくは一般式（Ｙ−６）で表される色素である。
【０１８２】
【化１８】
2009132891.tif 000019
【０１８３】
以下、一般式（Ｙ−６）について詳細に説明する。
【０１８４】
Ｒ1、Ｒ2、Ｙ1、およびＹ2は一価の基を示し、Ｘ1、Ｘ2はそれぞれ独立にハメットのσｐ値０．２０以上の電子求引性基を示す。Ｚ1、Ｚ2はそれぞれ独立に、水素原子、置換もしくは無置換のアルキル基、置換もしくは無置換のアルケニル基、置換もしくは無置換のアルキニル基、置換もしくは無置換のアラルキル基、置換もしくは無置換のアリール基、または置換もしくは無置換のヘテロ環基を示す。Ｍは水素原子またはカチオンを示す。一般式（Ｙ−６）は、少なくとも一つのイオン性親水性基を有し、該イオン性親水性基の対イオンがリチウムイオンを含む。
【０１８５】
以下に、Ｒ1、Ｒ2、Ｘ1、Ｘ2、Ｙ1、Ｙ2、Ｚ1、Ｚ2およびＭについて詳細に説明する。
Ｒ1、Ｒ2、Ｙ1、およびＹ2の置換基の例は、上記一般式（Ｙ−１）中で説明したＲ1、Ｒ2、Ｙ1、およびＹ2の置換基例と同じであり好ましい例も同じである。
Ｘ1及びＸ2の置換基の例は、上記一般式（Ｙ−１）中で説明したＸ1及びＸ2の置換基例と同じであり好ましい例も同じである。
Ｚ1及びＺ2の置換基の例は、上記一般式（Ｙ−１）中で説明したＺ1及びＺ2の置換基例と同じであり好ましい例も同じである。
Ｍの例は、上記一般式（Ｙ−１）中で説明したＭの例と同じであり好ましい例も同じである。
本発明の一般式（Ｙ−６）で表される色素の好ましい置換基の組み合わせについては、種々の置換基の少なくとも１つが前記の好ましい基である化合物が好ましく、より多くの種々の置換基が前記好ましい基である化合物がより好ましく、全ての置換基が前記好ましい基である化合物が最も好ましい。
【０１８６】
本発明の一般式（Ｙ−６）で表される色素として特に好ましい組み合わせは、以下の（イ）〜（ホ）を含むものである。
【０１８７】
（イ）Ｒ1、Ｒ2は同一または異なっていてもよく、置換もしくは無置換の総炭素数１〜１２のアルキル基、置換もしくは無置換の総炭素数６〜１８のアリール基、または置換もしくは無置換の総炭素数４〜１２ヘテロ環基が好ましく、その中でも、総炭素原子数１〜８の直鎖アルキル基または分岐のアルキル基が好ましく、特に２級または３級アルキル基が好ましく、ｔ−ブチル基が最も好ましい。
【０１８８】
（ロ）Ｘ1、Ｘ2は同一または異なっていてもよく、ハメットの置換基定数σｐ値が０．２０以上の電子求引性基が好ましく、更に０．３０以上の電子求引性基が好ましく、上限としては１．０以下の電子求引性基である。その中でも、シアノ基、炭素数１〜１２のアルキルスルホニル基、炭素数６〜１８のアリールスルホニル基、または炭素数０〜１２のスルファモイル基であり、特に、シアノ基、または炭素数１〜１２のアルキルスルホニル基が好ましく、更にシアノ基、メチルスルホニル基、フェニルスルホニル基が好ましく、最も好ましいものは、シアノ基である。
【０１８９】
（ハ）Ｙ1、Ｙ2は同一または異なっていてもよく、水素原子、置換もしくは無置換の総炭素数１〜１２のアルキル基、置換もしくは無置換の総炭素数６〜１８のアリール基、置換もしくは無置換の総炭素数４〜１２ヘテロ環基または置換もしくは無置換の総炭素数１〜１２のアルキルチオ基が好ましく、その中でも、水素原子、総炭素原子数１〜８の直鎖アルキル基または分岐のアルキル基または置換もしくは無置換の総炭素数１〜８のアルキルチオ基が好ましく、特に水素原子、総炭素数１〜８のアルキル基または総炭素数１〜８のアルキルチオ基が好ましく、更に水素原子またはメチルチオ基が好ましく、その中でも特に水素原子が最も好ましい。
【０１９０】
（ニ）Ｚ1、Ｚ2は、同一または異なっていてもよく、置換もしくは無置換の総炭素数１〜１２アルキル基、置換もしくは無置換の総炭素数６〜１８のアリール基、または置換もしくは無置換の総炭素数４〜１２ヘテロ環基が好ましく、更に置換もしくは無置換のアリール基、または置換もしくは無置換のヘテロ環基が好ましく、特に置換アリール基が最も好ましい。
【０１９１】
（ホ）ＭはＬｉイオンまたはＬｉを主成分とする水素原子又はカチオン混合塩が好ましく、特に好ましくはＬｉイオンまたはＬｉを主成分とする水素原子、アルカリ金属イオン、アンモニウム又は第４級アンモニウムカチオン混合塩であり、更に好ましくはＬｉイオンまたはＬｉを主成分とするＮａ、Ｋ、またはＮＨ4混合塩であり、その中でも特にＬｉが最も好ましい。
【０１９２】
本発明において、一般式（Ｙ−Ｉ）、（Ｙ−１）、（Ｙ−２）、（Ｙ−３）、（Ｙ−４）、（Ｙ−５）および（Ｙ−６）で表される化合物は少なくとも一つのイオン性親水性基を有し、該イオン性親水性基の対イオンがリチウムイオンを含む。分子内に２個以上のイオン性親水性基を有することが好ましく、２〜１０個のイオン性親水性基を有することがさらに好ましく、３〜６個のイオン性親水性基を有することが特に好ましい。
【０１９３】
イオン性親水性基としては、イオン性解離基である限りいかなるものであってもよい。好ましいイオン性親水性基としては、スルホ基（塩でもよい）、カルボキシル基（塩でもよい）、水酸基(塩でもよい)、ホスホノ基（塩でもよい）及び４級アンモニウム基、アシルスルファモイル基（塩でもよい）、スルホニルカルバモイル基（塩でもよい）、スルホニルスルファモイル基（塩でもよい）等が含まれる。
【０１９４】
好ましくはスルホ基、カルボキシル基、または水酸基(それらの塩を含む)である。  イオン性親水性基が塩の場合、好ましいカウンターカチオンはリチウムまたはリチウムを主成分とするアルカリ金属（例えば、リチウム、ナトリウム、カリウム）、アンモニウム、及び有機のカチオン（例えばピリジニウム、テトラメチルアンモニウム、グアニジニウム）混合塩を挙げることができ、その中でもリチウムまたはリチウムを主成分とするアルカリ金属混合塩が好ましく、特にスルホ基のリチウム塩、カルボキシ基のリチウム塩、水酸基のリチウム塩が好ましい。
【０１９５】
本発明の一般式（Ｙ−６）で表される色素の好ましい置換基の組み合わせについては、種々の置換基の少なくとも１つが前記の好ましい基である化合物が好ましく、より多くの種々の置換基が前記好ましい基である化合物がより好ましく、全ての置換基が前記好ましい基である化合物が最も好ましい。
【０１９６】
本発明では、上記一般式（Ｙ−６）で表される化合物のうち、下記一般式（Ｙ−６−Ｉ）で表される化合物が好ましい。
【０１９７】
【化１９】
2009132891.tif 000020
【０１９８】
一般式（Ｙ−６−Ｉ）中、Ｒ1、Ｒ2、Ｙ1、Ｙ2、Ｗ11、Ｗ12、Ｗ13、Ｗ14、Ｗ15、Ｗ21、Ｗ22、Ｗ23、Ｗ24及びＷ25は一価の基を示すし、Ｘ1、Ｘ2はそれぞれ独立にハメットのσｐ値０．２０以上の電子求引性基を示す。Ｍは水素原子またはカチオンを示す。但し、Ｗ11、Ｗ12、Ｗ13、Ｗ14、Ｗ15、Ｗ21、Ｗ22、Ｗ23、Ｗ24、Ｗ25の少なくとも一つは、イオン性親水性基であるかまたはイオン性親水性基を置換基として有する基であり、イオン性親水性基の対イオンはリチウムイオンを含む。
【０１９９】
本発明において、上記一般式（Ｙ−６−Ｉ）について詳細に説明する。
【０２００】
本発明においては、上記一般式（Ｙ−６−Ｉ）において、Ｗ11、Ｗ12、Ｗ13、Ｗ14、Ｗ15、Ｗ21、Ｗ22、Ｗ23、Ｗ24及びＷ25は、上記一般式（Ｙ−６）において、Ｙ1、Ｙ2、Ｚ1、Ｚ2で説明した一価の基の例と同義である。
【０２０１】
好ましいＷ11、Ｗ12、Ｗ13、Ｗ14、Ｗ15、Ｗ21、Ｗ22、Ｗ23、Ｗ24及びＷ25は、水素原子、ハロゲン原子、アルキル基、アリール基、ヘテロ環基、シアノ基、アルコキシ基、アミド基、ウレイド基、アルキルスルホニルアミノ基、アリールスルホニルアミノ基、スルファモイル基、アルキルスルホニル基、アリールスルホニル基、カルバモイル基、アルコキシカルボニル基、スルホ基(それらの塩を含む)、カルボキシル基(それらの塩を含む)、水酸基(塩でもよい)、ホスホノ基（塩でもよい）又は４級アンモニウムであり、その中でも水素原子、ハロゲン原子、アルキル基、スルホ基(それらの塩を含む)、カルボキシル基(それらの塩を含む)、水酸基(塩でもよい) (それらの塩を含む)が好ましく、更に水素原子、スルホ基(それらの塩を含む)、カルボキシル基(それらの塩を含む)が好ましく、特にＷ11、Ｗ12、Ｗ13、Ｗ14及びＷ15のうち少なくとも１つがスルホ基(それらの塩を含む)、カルボキシル基(それらの塩を含む)且つＷ21、Ｗ22、Ｗ23、Ｗ24及びＷ25のうち少なくとも１つがスルホ基(それらの塩を含む)、カルボキシル基(それらの塩を含む)が好ましい。
【０２０２】
本発明においては、上記一般式（Ｙ−６−Ｉ）において、Ｘ1，Ｘ2は前記一般式（Ｙ−６）中のＸ1、Ｘ2と同義であり、好ましい例も同じである。
本発明においては、上記一般式（Ｙ−６−Ｉ）において、Ｙ1，Ｙ2は前記一般式（Ｙ−６）中のＹ1、Ｙ2と同義であり、好ましい例も同じである。
本発明においては、上記一般式（Ｙ−６−Ｉ）において、Ｒ1、Ｒ2は前記一般式（Ｙ−６）中のＲ1、Ｒ2と同義であり、好ましい例も同じである。
本発明においては、上記一般式（Ｙ−６−Ｉ）において、Ｍは前記一般式（Ｙ−６）中のＭと同義であり、好ましい例も同じである。
【０２０３】
本発明の一般式（Ｙ−６−Ｉ）で表される化合物として特に好ましい組み合わせは、以下の（イ）〜（ヘ）を含むものである。
【０２０４】
（イ）Ｒ1、Ｒ2は同一または異なっていてもよく、総炭素原子数Ｃ１〜Ｃ８の直鎖アルキル基または分岐のアルキル基が好ましく、特に２級または３級アルキル基が好ましく、ｔ−ブチル基が最も好ましい。
【０２０５】
（ロ）Ｘ1、Ｘ2は同一または異なっていてもよく、ハメットの置換基定数σｐ値が０．２０以上の電子求引性基が好ましく、更に０．３０以上の電子求引性基が好ましく、上限としては１．０以下の電子求引性基である。その中でも、シアノ基、炭素数１〜１２のアルキルスルホニル基、炭素数６〜１８のアリールスルホニル基、または炭素数０〜１２のスルファモイル基であり、特に、シアノ基、または炭素数１〜１２のアルキルスルホニル基が好ましく、更にシアノ基、メチルスルホニル基、フェニルスルホニル基が好ましく、最も好ましいものは、シアノ基である。
【０２０６】
（ハ）Ｙ1、Ｙ2は同一または異なっていてもよく、水素原子、置換もしくは無置換の総炭素数１〜１２のアルキル基、置換もしくは無置換の総炭素数６〜１８のアリール基、置換もしくは無置換の総炭素数４〜１２ヘテロ環基または置換もしくは無置換の総炭素数１〜１２のアルキルチオ基が好ましく、その中でも、水素原子、総炭素原子数１〜８の直鎖アルキル基または分岐のアルキル基または置換もしくは無置換の総炭素数１〜８のアルキルチオ基が好ましく、特に水素原子、総炭素数１〜８のアルキル基または総炭素数１〜８のアルキルチオ基が好ましく、更に水素原子またはメチルチオ基が好ましく、その中でも特に水素原子が最も好ましい。
【０２０７】
（ニ）Ｗ11、Ｗ12、Ｗ13、Ｗ14、Ｗ15、Ｗ21、Ｗ22、Ｗ23、Ｗ24及びＷ25は、水素原子、ハロゲン原子、アルキル基、スルホ基(それらの塩を含む)、カルボキシル基(それらの塩を含む)、水酸基(塩でもよい) (それらの塩を含む)が好ましく、更に水素原子、スルホ基(それらの塩を含む)、カルボキシル基(それらの塩を含む)が好ましく、特にＷ11、Ｗ12、Ｗ13、Ｗ14及びＷ15のうち少なくとも１つがスルホ基(それらの塩を含む)、カルボキシル基(それらの塩を含む)且つＷ21、Ｗ22、Ｗ23、Ｗ24及びＷ25のうち少なくとも１つがスルホ基(それらの塩を含む)、カルボキシル基(それらの塩を含む)が好ましい。
【０２０８】
（ホ）ＭはＬｉイオンまたはＬｉを主成分とする水素原子又はカチオン混合塩が好ましく、特に好ましくはＬｉイオンまたはＬｉを主成分とする水素原子、アルカリ金属イオン、アンモニウム又は第４級アンモニウムカチオン混合塩であり、更に好ましくはＬｉイオンまたはＬｉを主成分とするＮａ、Ｋ、またはＮＨ4混合塩であり、その中でも特にＬｉが最も好ましい。
【０２０９】
（ヘ）本発明において、一般式（Ｙ−６−Ｉ）で表される化合物は、分子内に２個以上のイオン性親水性基を有することが好ましく、２〜１６個のイオン性親水性基を有することがさらに好ましく、３〜５個のイオン性親水性基を有することが特に好ましい。
【０２１０】
イオン性親水性基としては、イオン性解離基である限りいかなるものであってもよい。好ましいイオン性親水性基としては、スルホ基（塩でもよい）、カルボキシル基（塩でもよい）、水酸基(塩でもよい)、ホスホノ基（塩でもよい）及び４級アンモニウム基、アシルスルファモイル基（塩でもよい）、スルホニルカルバモイル基（塩でもよい）、スルホニルスルファモイル基（塩でもよい）等が含まれる。
【０２１１】
好ましくはスルホ基、カルボキシル基、または水酸基(それらの塩を含む)である。
イオン性親水性基が塩の場合、好ましいカウンターカチオンはリチウムまたはリチウムを主成分とするアルカリ金属（例えば、リチウム、ナトリウム、カリウム）、アンモニウム、及び有機のカチオン（例えばピリジニウム、テトラメチルアンモニウム、グアニジニウム）混合塩を挙げることができ、その中でもリチウムまたはリチウムを主成分とするアルカリ金属混合塩が好ましく、特にスルホ基のリチウム塩、カルボキシ基のリチウム塩、水酸基のリチウム塩が好ましい。
【０２１２】
本発明の一般式（Ｙ−６−Ｉ）で表される色素の好ましい置換基の組み合わせについては、種々の置換基の少なくとも１つが前記の好ましい基である化合物が好ましく、より多くの種々の置換基が前記好ましい基である化合物がより好ましく、全ての置換基が前記好ましい基である化合物が最も好ましい。
【０２１３】
本発明のインクセットは、前記イエロ−インク組成物に、着色剤として下記一般式（Ｙ−７）で表される化合物及びその塩からなる群から選ばれる少なくとも一種をさらに含むことが好ましい。
【０２１４】
【化２０】
2009132891.tif 000021
【０２１５】
上記一般式（Ｙ−７）中、Ａ1、Ａ2は、置換または無置換のアリール基、及びまたは、置換または無置換の５または６員ヘテロ環基を表す。Ｒ1及びＲ2は一価の基を示し、Ｇは５〜８員含窒素ヘテロ環を構成する原子団を示し、Ｍは水素原子またはカチオンを示す。ｍ1は０〜３の整数を表す。但し、一般式（Ｙ−７）は、少なくとも一つのイオン性親水性基を有し、該イオン性親水性基の対イオンがリチウムイオンを含む。Ａ1、Ａ2が５員ヘテロ環基を表す場合は、ピラゾール環を除く。
【０２１６】
本発明において、上記一般式（Ｙ−７）において、好ましいＡ1、Ａ2について詳細に説明する。
【０２１７】
Ａ1およびＡ2で表されるアリール基としては置換もしくは無置換のアリール基が含まれる。置換もしくは無置換のアリール基としては、炭素数６から３０のアリール基が好ましい。
【０２１８】
アリール基の置換基の例としては、ハロゲン原子、アルキル基、シクロアルキル基、アラルキル基、アルケニル基、アルキニル基、アリール基、ヘテロ環基、シアノ基、ヒドロキシ基、ニトロ基、カルボキシル基(塩の形でもよい)、アルコキシ基、アリールオキシ基、シリルオキシ基、ヘテロ環オキシ基、アシルオキシ基、カルバモイルオキシ基、アルコキシカルボニルオキシ基、アリールオキシカルボニルオキシ、アミノ基（アニリノ基を含む）、アシルアミノ基、アミノカルボニルアミノ基、アルコキシカルボニルアミノ基、アリールオキシカルボニルアミノ基、スルファモイルアミノ基、アルキル及びアリールスルホニルアミノ基、メルカプト基、アルキルチオ基、アリールチオ基、ヘテロ環チオ基、スルファモイル基、スルホ基(塩の形でもよい)、アルキル及びアリールスルフィニル基、アルキル及びアリールスルホニル基、アシル基、アリールオキシカルボニル基、アルコキシカルボニル基、カルバモイル基、イミド基、ホスフィノ基、ホスフィニル基、ホスフィニルオキシ基、ホスフィニルアミノ基、シリル基が例として挙げられる。
【０２１９】
Ａ1およびＡ2で表されるアリール基としては置換フェニル基（置換基はカルボキシル基又はスルホ基が好ましい）がより好ましい。
【０２２０】
Ａ1およびＡ2で表されるヘテロ環基のヘテロ環としては、５員又は６員環のものが好ましく、それらは更に縮環していてもよい。
【０２２１】
また、芳香族ヘテロ環であっても非芳香族ヘテロ環であっても良い。例えば、ピリジン、ピラジン、ピリダジン、ピリミジン、キノリン、イソキノリン、キナゾリン、シンノリン、フタラジン、キノキサリン、ピロール、インドール、フラン、ベンゾフラン、チオフェン、ベンゾチオフェン、イミダゾール、ベンズイミダゾール、トリアゾール、オキサゾール、ベンズオキサゾール、チアゾール、ベンゾチアゾール、イソチアゾール、ベンズイソチアゾール、チアジアゾール、イソオキサゾール、ベンズイソオキサゾール、ピロリジン、ピペリジン、ピペラジン、イミダゾリジン、チアゾリンなどが挙げられる。
【０２２２】
中では芳香族ヘテロ環基が好ましく、その好ましい例を先と同様に例示すると、ピリジン、ピラジン、ピリダジン、ピリミジン、イミダゾール、ベンズイミダゾール、トリアゾール、ベンズオキサゾール、チアゾール、ベンゾチアゾール、イソチアゾール、ベンズイソチアゾール、チアジアゾールが挙げられ、より好ましくはイミダゾール、ベンズオキサゾール、チアジアゾールが挙げられ、特にチアジアゾール（好ましくは１，３，４−チアジアゾール、１，２，４−チアジアゾール）が好ましく、その中でも１，３，４−チアジアゾールが最も好ましい。
【０２２３】
それらは置換基を有していても良く、置換基の例としては、前述したアリール基の置換基と同じである。
【０２２４】
本発明において、上記一般式（Ｙ−７）において、好ましいＧについて詳細に説明する。
一般式（Ｙ−７）中、Ｇの好ましい置換基例は、５〜８員ヘテロ環基が好ましく、その中でも５又は６員の置換もしくは無置換の、芳香族もしくは非芳香族のヘテロ環基が好ましく、それらは更に縮環していてもよい。更に好ましくは、炭素数３から３０の５もしくは６員の芳香族のヘテロ環基である。
【０２２５】
前記Ｇで表されるヘテロ環基の例には、置換位置を限定しないで例示すると、ピリジン、ピラジン、ピリダジン、ピリミジン、トリアジン、キノリン、イソキノリン、キナゾリン、シンノリン、フタラジン、キノキサリン、ピロール、インドール、フラン、ベンゾフラン、チオフェン、ベンゾチオフェン、ピラゾール、イミダゾール、ベンズイミダゾール、トリアゾール、オキサゾール、ベンズオキサゾール、チアゾール、ベンゾチアゾール、イソチアゾール、ベンズイソチアゾール、チアジアゾール、イソオキサゾール、ベンズイソオキサゾール、ピロリジン、ピペリジン、ピペラジン、イミダゾリジン、チアゾリン、スルホランなどが挙げられる。
【０２２６】
更にＧは、５〜８員含窒素ヘテロ環が好ましく、特にＳ-トリアジン環、ピリミジン環、ピリダジン環、ピラジン環、ピリジン環、イミダゾール環、ピラゾール環、またはピロール環が好ましく、その中でもＳ-トリアジン環、ピリミジン環、ピリダジン環、またはピラジン環が好ましく、特にＳ-トリアジン環が最も好ましい。
【０２２７】
前記ヘテロ環基が、更に置換基を有することが可能な基であるときは、以下に挙げたような置換基を更に有してもよい。
【０２２８】
炭素数１〜１２の直鎖又は分岐鎖アルキル基、炭素数７〜１８の直鎖又は分岐鎖アラルキル基、炭素数２〜１２の直鎖又は分岐鎖アルケニル基、炭素数２〜１２の直鎖又は分岐鎖アルキニル基、炭素数３〜１２の直鎖又は分岐鎖シクロアルキル基、炭素数３〜１２の直鎖又は分岐鎖シクロアルケニル基（以上の各基は分岐鎖を有するものが染料の溶解性及びインクの安定性を向上させる理由から好ましく、不斉炭素を有するものが特に好ましい。例えばメチル、エチル、プロピル、イソプロピル、イソブチル、sec-ブチル、ｔ−ブチル、２−エチルヘキシル、２−メチルスルホニルエチル、３−フェノキシプロピル、トリフルオロメチル、シクロペンチル）、ハロゲン原子（例えば、塩素原子、臭素原子）、アリール基（例えば、フェニル、４−ｔ−ブチルフェニル、２，４−ジ−ｔ−アミルフェニル）、ヘテロ環基（例えば、イミダゾリル、ピラゾリル、トリアゾリル、２−フリル、２−チエニル、２−ピリミジニル、２−ベンゾチアゾリル）、シアノ基、ヒドロキシル基、ニトロ基、カルボキシ基、アミノ基、アルキルオキシ基（例えば、メトキシ、エトキシ、２−メトキシエトキシ、２−メチルスルホニルエトキシ）、アリールオキシ基（例えば、フェノキシ、２−メチルフェノキシ、４−ｔ−ブチルフェノキシ、３−ニトロフェノキシ、３−ｔ−ブチルオキシカルボニルフェノキシ、３−メトキシカルボニルフェニルオキシ、アシルアミノ基（例えば、アセトアミド、ベンズアミド、４−（３−ｔ−ブチル−４−ヒドロキシフェノキシ）ブタンアミド）、アルキルアミノ基（例えば、メチルアミノ、ブチルアミノ、ジエチルアミノ、メチルブチルアミノ）、アニリノ基（例えば、フェニルアミノ、２−クロロアニリノ）、ウレイド基（例えば、フェニルウレイド、メチルウレイド、Ｎ，Ｎ−ジブチルウレイド）、スルファモイルアミノ基（例えば、Ｎ，Ｎ−ジプロピルスルファモイルアミノ）、アルキルチオ基（例えば、メチルチオ、オクチルチオ、２−フェノキシエチルチオ）、アリールチオ基（例えば、フェニルチオ、２−ブトキシ−５−ｔ−オクチルフェニルチオ、２−カルボキシフェニルチオ）、アルキルオキシカルボニルアミノ基（例えば、メトキシカルボニルアミノ）、アルキルスルホニルアミノ基及びアリールスルホニルアミノ基（例えば、メチルスルホニルアミノ、フェニルスルホニルアミノ、ｐ−トルエンスルホニルアミノ）、カルバモイル基（例えば、Ｎ−エチルカルバモイル、Ｎ，Ｎ−ジブチルカルバモイル）、スルファモイル基（例えば、Ｎ−エチルスルファモイル、Ｎ，Ｎ−ジプロピルスルファモイル、Ｎ−フェニルスルファモイル）、スルホニル基（例えば、メチルスルホニル、オクチルスルホニル、フェニルスルホニル、ｐ−トルエンスルホニル）、アルキルオキシカルボニル基（例えば、メトキシカルボニル、ブチルオキシカルボニル）、ヘテロ環オキシ基（例えば、１−フェニルテトラゾール−５−オキシ、２−テトラヒドロピラニルオキシ）、アゾ基（例えば、フェニルアゾ、４−メトキシフェニルアゾ、４−ピバロイルアミノフェニルアゾ、２−ヒドロキシ−４−プロパノイルフェニルアゾ）、アシルオキシ基（例えば、アセトキシ）、カルバモイルオキシ基（例えば、Ｎ−メチルカ��バモイルオキシ、Ｎ−フェニルカルバモイルオキシ）、シリルオキシ基（例えば、トリメチルシリルオキシ、ジブチルメチルシリルオキシ）、アリールオキシカルボニルアミノ基（例えば、フェノキシカルボニルアミノ）、イミド基（例えば、Ｎ−スクシンイミド、Ｎ−フタルイミド）、ヘテロ環チオ基（例えば、２−ベンゾチアゾリルチオ、２，４−ジ−フェノキシ−１，３，５−トリアゾール−６−チオ、２−ピリジルチオ）、スルフィニル基（例えば、３−フェノキシプロピルスルフィニル）、ホスホニル基（例えば、フェノキシホスホニル、オクチルオキシホスホニル、フェニルホスホニル）、アリールオキシカルボニル基（例えば、フェノキシカルボニル）、アシル基（例えば、アセチル、３−フェニルプロパノイル、ベンゾイル）、イオン性親水性基（例えば、カルボキシル基、スルホ基、ホスホノ基及び４級アンモニウム基）が挙げられる。
【０２２９】
本発明において、上記一般式（Ｙ−７）において、好ましいＲ1、Ｒ2について詳細に説明する。
Ｒ1及びＲ2は一価の基を示す、一価の基としては、水素原子、または一価の置換基を表す。一価の置換基を更に詳しく説明する。この一価の置換基の例としては、ハロゲン原子、アルキル基、シクロアルキル基、アラルキル基、アルケニル基、アルキニル基、アリール基、ヘテロ環基、シアノ基、ヒドロキシル基、ニトロ基、アルコキシ基、アリールオキシ基、シリルオキシ基、ヘテロ環オキシ基、アシルオキシ基、カルバモイルオキシ基、アルコキシカルボニルオキシ基、アリールオキシカルボニルオキシ基、アミノ基（アルキルアミノ基、アリールアミノ基）、アシルアミノ基（アミド基）、アミノカルボニルアミノ基（ウレイド基）、アルコキシカルボニルアミノ基、アリールオキシカルボニルアミノ基、スルファモイルアミノ基、アルキルスルホニルアミノ基、アリールスルホニルアミノ基、アルキルチオ基、アリールチオ基、ヘテロ環チオ基、スルファモイル基、アルキルスルフィニル基、アリールスルフィニル基、アルキルスルホニル基、アリールスルホニル基、アシル基、アリールオキシカルボニル基、アルコキシカルボニル基、カルバモイル基、ホスフィノ基、ホスフィニル基、ホスフィニルオキシ基、ホスフィニルアミノ基、シリル基、アゾ基、またはイミド基を挙げることができ、各々はさらに置換基を有していてもよい。
【０２３０】
中でも特に好ましいものは、水素原子、ハロゲン原子、アルキル基、アリール基、ヘテロ環基、シアノ基、アルコキシ基、アミド基、ウレイド基、アルキルスルホニルアミノ基、アリールスルホニルアミノ基、スルファモイル基、アルキルスルホニル基、アリールスルホニル基、カルバモイル基、またはアルコキシカルボニル基であり、特に水素原子、ハロゲン原子、アルキル基、アリール基、シアノ基、アルキルスルホニル基、アリールスルホニル基、またはヘテロ環基が好ましく、水素原子、アルキル基、アリール基、シアノ基、またはアルキルスルホニル基が最も好ましい。
【０２３１】
Ｒ1、Ｒ2は、それぞれ独立に、置換もしくは無置換の総炭素数１〜１２のアルキル基、置換もしくは無置換の総炭素数６〜１８のアリール基、または置換もしくは無置換の総炭素数４〜１２ヘテロ環基が好ましく、その中でも、総炭素原子数１〜８の直鎖アルキル基または分岐のアルキル基が好ましく、特に２級または３級アルキル基が好ましく、ｔ−ブチル基が最も好ましい。
【０２３２】
本発明において、上記一般式（Ｙ−７）において、好ましいＭについて詳細に説明する。
Ｍは水素原子またはカチオンを示す。
Ｍで表されるカチオンとしては、ＬｉイオンまたはＬｉを主成分とするアルカリ金属イオン、アンモニウム又は第４級アンモニウムカチオン混合塩であり、好ましくはＬｉイオンまたはＬｉを主成分とするＮａ、Ｋ、ＮＨ4、またはＮＲ4混合塩である。但し、Ｒはアルキル基およびアリール基であり上述したＲ、Ｙで表されるアルキル基およびアリール基の例と同じである。その中でも好ましいＭのカチオン例はＬｉイオンまたはＬｉを主成分とするＮａ、Ｋ、またはＮＨ4混合塩であり、更にＬｉイオンまたはＬｉを主成分とするＮａ、またはＫ混合塩が特に好ましい。その中でもＬｉが最も好ましい。
【０２３３】
本発明において、上記一般式（Ｙ−７）において、好ましいｍ1について詳細に説明する。
ｍ1は、０〜３の整数を表し、Ｇの表す５〜８員含窒素ヘテロ環の好ましい例の構造に、−ＯＭ基が置換可能な場合は、０〜２が好ましく、その中でも０または１が好ましく、特にｍ1＝１が最も好ましい。
【０２３４】
本発明の一般式（Ｙ−７）で表される化合物として特に好ましい組み合わせは、以下の
（イ）〜（ヘ）を含むものである。
（イ）一般式（Ｙ−７）中、Ａ1、Ａ2は、５員又は６員環のものが好ましく、それらは更に縮環していてもよい。その中でも５員又は６員環含窒素へテロ環が好ましく、ピリジン、ピラジン、ピリダジン、ピリミジン、イミダゾール、ベンズイミダゾール、トリアゾール、ベンズオキサゾール、チアゾール、ベンゾチアゾール、イソチアゾール、ベンズイソチアゾール、チアジアゾールが挙げられ、より好ましくはイミダゾール、ベンズオキサゾール、チアジアゾールが挙げられ、特にチアジアゾール（好ましくは１，３，４−チアジアゾール、１，２，４−チアジアゾール）が好ましく、その中でも１，３，４−チアジアゾールが最も好ましい。
【０２３５】
（ロ）一般式（Ｙ−７）中、Ｇの好ましい置換基例は、５〜８員ヘテロ環基が好ましく、その中でも５又は６員の置換もしくは無置換の、芳香族もしくは非芳香族のヘテロ環基が好ましく、それらは更に縮環していてもよい。更に好ましくは、炭素数３から３０の５もしくは６員の芳香族のヘテロ環基である。更にヘテロ環基の例には、置換位置を限定しないで例示すると、ピリジン、ピラジン、ピリダジン、ピリミジン、トリアジン、キノリン、イソキノリン、キナゾリン、シンノリン、フタラジン、キノキサリン、ピロール、インドール、フラン、ベンゾフラン、チオフェン、ベンゾチオフェン、ピラゾール、イミダゾール、ベンズイミダゾール、トリアゾール、オキサゾール、ベンズオキサゾール、チアゾール、ベンゾチアゾール、イソチアゾール、ベンズイソチアゾール、チアジアゾール、イソオキサゾール、ベンズイソオキサゾール、ピロリジン、ピペリジン、ピペラジン、イミダゾリジン、チアゾリン、スルホランなどが挙げられる。更にＧは、５〜８員含窒素ヘテロ環が好ましく、特にＳ-トリアジン環、ピリミジン環、ピリダジン環、ピラジン環、ピリジン環、イミダゾール環、ピラゾール環、またはピロール環が好ましく、その中でもＳ-トリアジン環、ピリミジン環、ピリダジン環、またはピラジン環が好ましく、特にＳ-トリアジン環が最も好ましい。
【０２３６】
（ハ）一般式（Ｙ−７）中、Ｒ1及びＲ2は一価の基を示す、一価の基としては、水素原子、または一価の置換基を表す。中でも特に好ましいものは、水素原子、ハロゲン原子、アルキル基、アリール基、ヘテロ環基、シアノ基、アルコキシ基、アミド基、ウレイド基、アルキルスルホニルアミノ基、アリールスルホニルアミノ基、スルファモイル基、アルキルスルホニル基、アリールスルホニル基、カルバモイル基、またはアルコキシカルボニル基であり、特に水素原子、ハロゲン原子、アルキル基、アリール基、シアノ基、アルキルスルホニル基、アリールスルホニル基、またはヘテロ環基が好ましく、水素原子、アルキル基、アリール基、シアノ基、またはアルキルスルホニル基が最も好ましい。更に好ましくは、Ｒ1、Ｒ2は、それぞれ独立に、置換もしくは無置換の総炭素数１〜１２のアルキル基、置換もしくは無置換の総炭素数６〜１８のアリール基、または置換もしくは無置換の総炭素数４〜１２ヘテロ環基が好ましく、その中でも、総炭素原子数１〜８の直鎖アルキル基または分岐のアルキル基が好ましく、特に２級または３級アルキル基が好ましく、ｔ−ブチル基が最も好ましい。
【０２３７】
（ニ）一般式（Ｙ−７）中、ＭはＬｉイオンまたはＬｉを主成分とする水素原子又はカチオン混合塩が好ましく、特に好ましくはＬｉイオンまたはＬｉを主成分とする水素原子、アルカリ金属イオン、アンモニウム又は第４級アンモニウムカチオン混合塩であり、更に好ましくはＬｉイオンまたはＬｉを主成分とするＮａ、Ｋ、またはＮＨ4混合塩であり、その中でも特にＬｉが最も好ましい。
【０２３８】
（ホ）上記一般式（Ｙ−７）中、ｍ1は、０〜３の整数を表し、Ｇの表す５〜８員含窒素ヘテロ環の好ましい例の構造に、−ＯＭ基が置換可能な場合は、０〜２が好ましく、その中でも０または１が好ましく、特にｍ1＝１が最も好ましい。
【０２３９】
（ヘ）本発明において、一般式（Ｙ−７）で表される化合物は、分子内に２個以上のイオン性親水性基を有することが好ましく、２〜１６個のイオン性親水性基を有することがさらに好ましく、３〜５個のイオン性親水性基を有することが特に好ましい。一般式（Ｙ−７）におけるイオン性親水性基は、前記一般式（Ｙ−６−１）のイオン性親水性基として挙げたものと同義である。
【０２４０】
本発明の一般式（Ｙ−７）で表される色素の好ましい置換基の組み合わせについては、種々の置換基の少なくとも１つが前記の好ましい基である化合物が好ましく、より多くの種々の置換基が前記好ましい基である化合物がより好ましく、全ての置換基が前記好ましい基である化合物が最も好ましい。
【０２４１】
本発明では、上記一般式（Ｙ−７）で表される化合物のうち、下記一般式（Ｙ−８）で表される化合物が好ましい。
【０２４２】
【化２１】
2009132891.tif 000022
【０２４３】
一般式（Ｙ−８）中、Ａ1、Ａ2、Ｒ1、Ｒ2及びＭは、上記一般式（Ｙ−７）中のＡ1、Ａ2、Ｒ1、Ｒ2及びＭと同義である。但し、一般式（Ｙ−８）は、少なくとも一つのイオン性親水性基を有し、該イオン性親水性基の対イオンがリチウムイオンを含む。
【０２４４】
本発明において、上記一般式（Ｙ−８）について詳細に説明する。
本発明においては、上記一般式（Ｙ−８）において、Ａ1、Ａ2は、前記一般式（Ｙ−７）中のＡ1、Ａ2と同義であり、好ましい例も同じである。
本発明においては、上記一般式（Ｙ−８）において、Ｒ1、Ｒ2は、前記一般式（Ｙ−７）中のＲ1、Ｒ2と同義であり、好ましい例も同じである。
本発明においては、上記一般式（Ｙ−８）において、Ｍは、前記一般式（Ｙ−７）中のＭと同義であり、好ましい例も同じである。
【０２４５】
本発明の一般式（Ｙ−８）で表される化合物として特に好ましい組み合わせは、以下の（イ）〜（ホ）を含むものである。
【０２４６】
（イ）一般式（Ｙ−８）中、Ａ1、Ａ2は、５員又は６員環含窒素へテロ環が好ましく、ピリジン、ピラジン、ピリダジン、ピリミジン、イミダゾール、ベンズイミダゾール、トリアゾール、ベンズオキサゾール、チアゾール、ベンゾチアゾール、イソチアゾール、ベンズイソチアゾール、チアジアゾールが挙げられ、より好ましくはイミダゾール、ベンズオキサゾール、チアジアゾールが挙げられ、特にチアジアゾール（好ましくは１，３，４−チアジアゾール、１，２，４−チアジアゾール）が好ましく、その中でも１，３，４−チアジアゾールが最も好ましい。
【０２４７】
（ロ）一般式（Ｙ−８）中、Ｇは、５〜８員含窒素ヘテロ環が好ましく、特にＳ-トリアジン環、ピリミジン環、ピリダジン環、ピラジン環、ピリジン環、イミダゾール環、ピラゾール環、またはピロール環が好ましく、その中でもＳ-トリアジン環、ピリミジン環、ピリダジン環、またはピラジン環が好ましく、特にＳ-トリアジン環が最も好ましい。
【０２４８】
（ハ）一般式（Ｙ−８）中、Ｒ1及びＲ2はそれぞれ独立に、置換もしくは無置換の総炭素数１〜１２のアルキル基、置換もしくは無置換の総炭素数６〜１８のアリール基、または置換もしくは無置換の総炭素数４〜１２ヘテロ環基が好ましく、その中でも、総炭素原子数１〜８の直鎖アルキル基または分岐のアルキル基が好ましく、特に２級または３級アルキル基が好ましく、ｔ−ブチル基が最も好ましい。
【０２４９】
（ニ）一般式（Ｙ−８）中、ＭはＬｉイオンまたはＬｉを主成分とする水素原子又はカチオン混合塩が好ましく、特に好ましくはＬｉイオンまたはＬｉを主成分とする水素原子、アルカリ金属イオン、アンモニウム又は第４級アンモニウムカチオン混合塩であり、更に好ましくはＬｉイオンまたはＬｉを主成分とするＮａ、Ｋ、またはＮＨ4混合塩であり、その中でも特にＬｉが最も好ましい。
（ホ）本発明において、一般式（Ｙ−８）で表される化合物は、分子内に２個以上のイオン性親水性基を有することが好ましく、２〜１６個のイオン性親水性基を有することがさらに好ましく、３〜５個のイオン性親水性基を有することが特に好ましい。一般式（Ｙ−８）におけるイオン性親水性基は、前記一般式（Ｙ−６−１）のイオン性親水性基として挙げたものと同義である。
【０２５０】
本発明の一般式（Ｙ−８）で表される色素の好ましい置換基の組み合わせについては、種々の置換基の少なくとも１つが前記の好ましい基である化合物が好ましく、より多くの種々の置換基が前記好ましい基である化合物がより好ましく、全ての置換基が前記好ましい基である化合物が最も好ましい。
【０２５１】
本発明では、上記一般式（Ｙ−８）で表される化合物のうち、下記一般式（Ｙ−９）で表される化合物が好ましい。
【０２５２】
【化２２】
2009132891.tif 000023
【０２５３】
（一般式（Ｙ−９）中、Ｒ1、Ｒ2、Ｒ11、およびＲ12は一価の基を示す。Ｍは、水素原子またはカチオンを示す。但し、一般式（Ｙ−９）は、少なくとも一つのイオン性親水性基を有し、該イオン性親水性基の対イオンがリチウムイオンを含む。）
【０２５４】
本発明においては、上記一般式（Ｙ−９）において、好ましいＲ11、Ｒ12はそれぞれ独立にアルキル基、シクロアルキル基、アラルキル基、アルケニル基、アルキニル基、アリール基、ヘテロ環基、シアノ基、ヒドロキシル基、ニトロ基、アルコキシ基、アリールオキシ基、シリルオキシ基、ヘテロ環オキシ基、アシルオキシ基、カルバモイルオキシ基、アルコキシカルボニルオキシ基、アリールオキシカルボニルオキシ基、アミノ基（アルキルアミノ基、アリールアミノ基）、アシルアミノ基（アミド基）、アミノカルボニルアミノ基（ウレイド基）、アルコキシカルボニルアミノ基、アリールオキシカルボニルアミノ基、スルファモイルアミノ基、アルキルスルホニルアミノ基、アリールスルホニルアミノ基、アルキルチオ基、アリールチオ基、ヘテロ環チオ基、スルファモイル基、アルキルスルフィニル基、アリールスルフィニル基、アルキルスルホニル基、アリールスルホニル基、アシル基、アリールオキシカルボニル基、アルキルオキシカルボニル基、カルバモイル基、ホスフィノ基、ホスフィニル基、ホスフィニルオキシ基、ホスフィニルアミノ基、シリル基、アゾ基、またはイミド基を挙げることができ、各々はさらに置換基を有していてもよい。
【０２５５】
特に好ましい、Ｒ11、Ｒ12はそれぞれ独立に置換アルキル基、置換アリール基、置換へテロ環基、置換アルキルチオ基、置換アリールチオ基、置換へテロ環チオ基が好ましく、その中でも置換アリール基、置換アリールチオ基が好ましく、特に置換アリール基が好ましい。
【０２５６】
本発明においては、上記一般式（Ｙ−９）において、Ｒ1、Ｒ2は前記一般式（Ｙ−８）中のＲ1、Ｒ2と同義であり、好ましい例も同じである。
【０２５７】
本発明においては、上記一般式（Ｙ−９）において、Ｍは前記一般式（Ｙ−８）中のＭと同義であり、好ましい例も同じである。
【０２５８】
本発明の一般式（Ｙ−９）で表される化合物として特に好ましい組み合わせは、以下の
（イ）〜（ニ）を含むものである。
【０２５９】
（イ）Ｒ1、Ｒ2は同一または異なっていてもよく、置換もしくは無置換の総炭素数１〜１２のアルキル基、置換もしくは無置換の総炭素数６〜１８のアリール基、または置換もしくは無置換の総炭素数４〜１２ヘテロ環基が好ましく、その中でも、総炭素原子数１〜８の直鎖アルキル基または分岐のアルキル基が好ましく、特に２級または３級アルキル基が好ましく、ｔ−ブチル基が最も好ましい。
【０２６０】
（ロ）Ｒ11、Ｒ12は同一または異なっていてもよく、置換アルキル基、置換アリール基、置換へテロ環基、置換アルキルチオ基、置換アリールチオ基、置換へテロ環チオ基が好ましく、その中でも置換アリール基、置換アリールチオ基が好ましく、特に置換アリール基が好ましい。
【０２６１】
（ハ）ＭはＬｉイオンまたはＬｉを主成分とする水素原子又はカチオン混合塩が好ましく、特に好ましくはＬｉイオンまたはＬｉを主成分とする水素原子、アルカリ金属イオン、アンモニウム又は第４級アンモニウムカチオン混合塩であり、更に好ましくはＬｉイオンまたはＬｉを主成分とするＮａ、Ｋ、またはＮＨ4混合塩であり、その中でも特にＬｉが最も好ましい。
【０２６２】
（ニ）本発明において、一般式（Ｙ−９）で表される化合物は、分子内に２個以上のイオン性親水性基を有することが好ましく、２〜１６個のイオン性親水性基を有することがさらに好ましく、３〜５個のイオン性親水性基を有することが特に好ましい。一般式（Ｙ−９）におけるイオン性親水性基は、前記一般式（Ｙ−６−１）のイオン性親水性基として挙げたものと同義である。
【０２６３】
前記一般式（Ｙ−Ｉ）、（Ｙ−１）、（Ｙ−２）、（Ｙ−３）、（Ｙ−４）、（Ｙ−５）、（Ｙ−６）、（Ｙ−６−Ｉ）、（Ｙ−７）、（Ｙ−８）および（Ｙ−９）で表される水溶性色素の場合は、色再現性の観点から、Ｈ2Ｏ中で３８０〜４９０ｎｍの最大吸収波長(λmax)を有することが好ましく、４００〜４８０ｎｍのλmaxを有することがさらに好ましく、４２０〜４６０ｎｍにλmaxを有することが特に好ましい。
【０２６４】
本発明のインクセットに含まれるイエローインク組成物に用いられる着色剤は、前記一般式（Ｙ−６−Ｉ）で表される化合物（式（Ｙ−６−Ｉ）の染料）からなる群から選ばれる少なくとも一種を含むことが好ましい。、更に、場合によって前記一般式（Ｙ−７）〜（Ｙ−９）で表される化合物（式（Ｙ−７）〜（Ｙ−９）の染料）からなる群から選ばれる少なくとも一種を更に含むことも好ましい。その中でも、前記一般式（Ｙ−６−Ｉ）で表される化合物（式（Ｙ−６−Ｉ）の染料）からなる群から選ばれる少なくとも一種を含むことが最も好ましい。
イエローインク組成物の着色剤として式（Ｙ−６−Ｉ）の染料からなる群から選ばれる少なくとも一種を用いることにより；他色のインク組成物の耐光性・耐オゾン性とをバランスのとれたものにでき、それによりインクセット全体の耐光性・耐オゾン性を良好なものにすることができる。
更に、単色部分及び混色部分のブロンズ光沢現象が発生しない良好な画像を形成することができる事からも特に好ましい。
【０２６５】
さらにまた、本発明においては、イエローインク組成物の色調などを調整するために耐光性・耐オゾン性を大きく損ねない範囲で、上記一般式（Ｙ−９）の染料からなる群から選ばれる少なくとも一種の染料、並びに、さらにその他のイエロー系染料を併用することもできる。
【０２６６】
この併用されるイエロー系染料としては、例えば、Ｃ．Ｉ．ダイレクトイエロー８，９，１１，１２，２７，２８，２９，３３，３５，３９，４１，４４，５０，５３，５９，６８，８６，８７，９３，９５，９６，９８，１００，１０６，１０８，１０９，１１０，１３０，１３２，１４２，１４４，１６１，１６３、Ｃ．Ｉ．アシッドイエロー１７，１９，２３，２５，３９，４０，４２，４４，４９，５０，６１，６４，７６，７９，１１０，１２７，１３５，１４３，１５１，１５９，１６９，１７４，１９０，１９５，１９６，１９７，１９９，２１８，２１９，２２２，２２７、Ｃ．Ｉ．リアクティブイエロー２，３，１３，１４，１５，１７，１８，２３，２４，２５，２６，２７，２９，３５，３７，４１，４２、Ｃ．Ｉ．ベーシックイエロー１，２，４，１１，１３，１４，１５，１９，２１，２３，２４，２５，２８，２９，３２，３６，３９，４０および下記の一般式（Ｙ−１０）、一般式（Ｙ−１１）等を挙げることができるが、これらに限定されない。
【０２６７】
【化２３】
2009132891.tif 000024
【０２６８】
（前記一般式（Ｙ−１０）及び（Ｙ−１１）中、Ｋ1、Ｋ2、Ｋ11、及びＫ21、は独立して、ＣＨ3、ＯＣＨ3を表し、Ｒは、水酸基（及びそのリチウム塩）、−ＮＨ2基、−ＮＨＣ2Ｈ4ＯＨ基、−Ｎ（Ｃ2Ｈ4ＯＨ）2基を表し、Ｚ及びＺ'は、独立して、下記のいずれかの構造を有するものであり、互いに同一であっても異なっていても良い。）
【０２６９】
【化２４】
2009132891.tif 000025
【０２７０】
（ここで、Ｍは、ＬｉまたはＬｉを主成分とするＨ、Ｎａ、Ｋ、アンモニウム、又は有機アミン類混合塩を表し、ｎは１又は２の整数である。）
【０２７１】
本発明においてイエローインク組成物中に含まれる着色剤の濃度は、着色剤として用いられる化合物（染料）のカラーバリューにしたがって適宜決定することができるが、イエローインク組成物が、前記一般式（Ｙ−Ｉ）、（Ｙ−１）〜（Ｙ−６）で表される化合物及びその塩からなる群から選ばれる少なくとも一種を着色剤として含む；または、前記一般式（Ｙ−Ｉ）、（Ｙ−１）〜（Ｙ−６）で表される化合物及びその塩からなる群から選ばれる少なくとも一種と更に前記一般式（Ｙ−７）〜（Ｙ−９）で表される化合物及びその塩からなる群から選ばれる少なくとも一種を着色剤として含む；かつ前記着色剤の合計量が前記イエローインク組成物の総重量に対し１〜８重量％含まれていることが好ましく、２．０〜７．０重量％含有されることがより好ましく、２．５〜６．５重量％含有されることが更に好ましく、３．０〜６．０重量％含有されることが特に好ましい。
【０２７２】
イエローインク組成物中に含まれる前記着色剤の合計量の濃度を１．０重量％以上にすることによって良好な発色性を得ることができ、また前記着色剤の合計量の濃度を８．０重量％以下にすることによって、インクジェット記録方法に用いるためのインク組成物として必要とされるノズルからの吐出性等の特性を良好なものにし、インクノズルの目詰まりを防止することができる。
【０２７３】
一方、本発明において、上記インクセットは、少なくとも、イエローインク組成物、マゼンタインク組成物、及びシアンインク組成物を備えたインクセットであって、前記イエロ−インク組成物がイエロ−着色剤として下記一般式（Ｙ−Ｉ）で表される化合物及びその塩からなる群から選ばれる少なくとも一種を含有し、かつ該イエローインク組成物、該マゼンタインク組成物、及び該シアンインク組成物中にそれぞれ含まれるイエロー着色剤、マゼンタ着色剤、シアン着色剤はそれぞれ少なくとも一つのイオン性親水性基を有し、該イオン性親水性基の対イオンがリチウムイオンを含み、イエローインク組成物中に含まれる、インク単位重量あたりのリチウムイオンのモル数が、２．０×１０-5ｍｏｌ／ｇ〜１．０×１０-3ｍｏｌ／ｇであり、マゼンタインク組成物中に含まれる、インク単位重量あたりのリチウムイオンのモル数が、２．０×１０-6ｍｏｌ／ｇ〜１．０×１０-3ｍｏｌ／ｇであり、シアンインク組成物中に含まれる、インク単位重量あたりのリチウムイオンのモル数が、５．０×１０-6ｍｏｌ／ｇ〜１．０×１０-3ｍｏｌ／ｇであることが好ましい。
【０２７４】
イエローインク組成物中に含まれる、インク単位重量あたりのリチウムイオンのモル数は、着色剤として用いられる化合物（染料）の分子量、イオン性親水性基の数、使用する固形分濃度にしたがって適宜決定することができるが、２．０×１０-5ｍｏｌ／ｇ〜１．０×１０-3ｍｏｌ／ｇ含有することが好ましく、更に３．０×１０-5ｍｏｌ／ｇ〜８．０×１０-4ｍｏｌ／ｇ含有することが好ましく、特に１．０×１０-4ｍｏｌ／ｇ〜５．０×１０-4ｍｏｌ／ｇ含有することが好ましく、その中でも１．５×１０-4ｍｏｌ／ｇ〜４．０×１０-4ｍｏｌ／ｇ含有することが最も好ましい。
【０２７５】
前記イエローインク組成物に含まれる、前記一般式（Ｙ−Ｉ）、（Ｙ−１）〜（Ｙ−６）で表される化合物及びその塩からなる群から選ばれる少なくとも一種の着色剤の濃度（重量％）と前記一般式（Ｙ−７）〜（Ｙ−９）で表される化合物及びその塩からなる群から選ばれる少なくとも一種の着色剤の濃度（重量％）との比が、４：１〜１０：１の範囲であることが好ましい。
【０２７６】
上記一般式（Ｙ−Ｉ）、（Ｙ−１）〜（Ｙ−６−Ｉ）及び式（Ｙ−７）〜（Ｙ−９）の染料は耐光性・耐オゾン性に非常に優れるため、従来用いていたような耐光性・耐オゾン性に劣る他色のカラーインクと組み合わせたインクセットにおいては、光・オゾン曝露試験を行った後において、各色の退色程度の違いにより画像のカラーバランスが崩れて画質の劣化が認められやすくなるという現象が起こる場合があった。更には混色部分のブロンズ光沢現象が発生する現象が起こる場合もあった。
これに対し、本発明のシアンインク及びマゼンタインク、さらに所望によりブラックインクと組み合わせたインクセットにすることにより、（１）各色の耐光性・耐オゾン性を飛躍的に向上できることから、光・オゾン曝露試験後においても画像のカラーバランスが崩れることなく、長期的に画像の良好な画質を維持することができるようになる。（２）単色部分及び混色部分のブロンズ光沢現象が発生しない良好な画像を形成することができるようになった。
【０２７７】
さらにイエローインクにおいて、上述した範囲で上記一般式（Ｙ−Ｉ）、（Ｙ−１）〜（Ｙ−６）及び式（Ｙ−６−Ｉ）の染料と場合により上記一般式（Ｙ−７）〜（Ｙ−９）及びまたは上記説明した本発明で使用可能なイエロー系染料（例えば、Ｃ．Ｉ．ダイレクトイエロー１３２）を併用することにより、さらに好ましいカラーバランスに調節することも可能になり、いっそう長期にわたって印刷物の画質を良好に保つこともできる。
【０２７８】
以下に、上記一般式（Ｙ−Ｉ）、（Ｙ−１）〜（Ｙ−６−Ｉ）及び式（Ｙ−７）〜（Ｙ−９）の染料の具体例を以下に示すが、本発明はこれらに限定されるものではない。
【０２７９】
【化２５】
2009132891.tif 000026
【０２８０】
【化２６】
2009132891.tif 000027
【０２８１】
【化２７】
2009132891.tif 000028
【０２８２】
【化２８】
2009132891.tif 000029
【０２８３】
【化２９】
2009132891.tif 000030
【０２８４】
【化３０】
2009132891.tif 000031
【０２８５】
【化３１】
2009132891.tif 000032
【０２８６】
【化３２】
2009132891.tif 000033
【０２８７】
【化３３】
2009132891.tif 000034
【０２８８】
【化３４】
2009132891.tif 000035
【０２８９】
本発明に用いられる上記一般式（Ｙ−Ｉ）、（Ｙ−１）〜（Ｙ−６−Ｉ）及び式（Ｙ−７）〜（Ｙ−９）で表される化合物は、例えば特開２００７−６３５２０号公報に記載の方法を用いて合成することができる。
【０２９０】
次に本発明のインクセットを構成するマゼンタインク組成物に用いられる着色剤について説明する。
本発明のインクセットにおいて、マゼンタインク組成物に用いられる着色剤は特定構造の着色剤に限定されるものではないが、少なくとも一つのイオン性親水性基を有し、該イオン性親水性基の対イオンがリチウムイオンを含み、マゼンタインク組成物中の全カチオンにおけるリチウムイオン濃度が７０モル％以上である必要がある。該リチウムイオン濃度は好ましくは８０モル％以上、より好ましくは９０モル％であり、更に好ましくは９５モル％であり、上限としては１００モル％が好ましい。
また、他色のインク組成物の耐光性・耐オゾン性とマゼンタインク組成物の耐光性・耐オゾン性との間の差が小さいことが好ましい。
【０２９１】
本発明においてマゼンタインク組成物に着色剤として用いられるマゼンタ系染料は、下記一般式（Ｍ−１）で表される化合物及びその塩からなる群から選ばれる化合物であることが好ましい。
【０２９２】
【化３５】
2009132891.tif 000036
【０２９３】
前記一般式（Ｍ−１）中、Ａは、５員ヘテロ環基を表す。Ｂ1およびＢ2は、各々−ＣＲ13＝、−ＣＲ14＝を表すか、あるいはいずれか一方が窒素原子，他方が−ＣＲ13＝または−ＣＲ14＝を表す。Ｒ11，Ｒ12は、各々独立に、水素原子、アルキル基、シクロアルキル基、アルケニル基、アルキニル基、アラルキル基、アリール基、ヘテロ環基、アシル基、アルコキシカルボニル基、アリールオキシカルボニル基、カルバモイル基、アルキルスルホニル基、アリールスルホニル基、またはスルファモイル基を表わす。各基は更に置換基を有していてもよい。Ｇ、Ｒ13、Ｒ14は、各々独立して、水素原子、ハロゲン原子、アルキル基、アルケニル基、アルキニル基、アラルキル基、アリール基、ヘテロ環基、シアノ基、カルボキシル基、カルバモイル基、アルコキシカルボニル基、アリールオキシカルボニル基、アシル基、ヒドロキシ基、アルコキシ基、アリールオキシ基、シリルオキシ基、アシルオキシ基、カルバモイルオキシ基、ヘテロ環オキシ基、アルコキシカルボニルオキシ基、アリールオキシカルボニルオキシ基、アルキル基またはアリール基またはヘテロ環基で置換されたアミノ基、アシルアミノ基、ウレイド基、スルフアモイルアミノ基、アルコキシカルボニルアミノ基、アリールオキシカルボニルアミノ基、アルキルおよびアリールスルホニルアミノ基、ニトロ基、アルキルおよびアリールチオ基、アルキルおよびアリールスルホニル基、アルキルおよびアリールスルフィニル基、スルファモイル基、ヘテロ環チオ基またはイオン性親水性基を表す。各基は更に置換されていてもよい。また、Ｒ13とＲ11、あるいはＲ11とＲ12が結合して５〜６員環を形成してもよい。但し、一般式（Ｍ−１）は、少なくとも一つのイオン性親水性基を有し、該イオン性親水性基の対イオンがリチウムイオンを含む。
【０２９４】
本発明においては、上記一般式（Ｍ−１）において、好ましいＡとしては、該５員ヘテロ環のヘテロ原子の例には、Ｎ、Ｏ、およびＳを挙げることができる。好しくは含窒素５員ヘテロ環であり、ヘテロ環に脂肪族環、芳香族環または他のヘテロ環が縮合していてもよい。Ａの好ましいヘテロ環の例には、ピラゾール環、イミダゾール環、トリアゾール環、チアゾール環、イソチアゾール環、チアジアゾール環、ベンゾチアゾール環、ベンゾオキサゾール環、またはベンゾイソチアゾール環を挙げることができる。各ヘテロ環基は更に置換基を有していてもよい。なかでも、下記一般式（ａ）から（ｉ）で表されるヘテロ環が好ましい。
【０２９５】
【化３６】
2009132891.tif 000037
【０２９６】
上記一般式（ａ）から（ｉ）において、Ｒｍ1〜Ｒｍ20は一般式（Ｍ−１）における後述するＲ13またはＲ14と同義である。
【０２９７】
上記一般式（Ｍ−１）中、Ｂ1およびＢ2は、各々、-ＣＲ13＝もしくは-ＣＲ14＝を表すか、またはいずれか一方が窒素原子、他方が-ＣＲ13＝もしくは-ＣＲ14＝を表すが、Ｂ1およびＢ2が、-ＣＲ13＝または-ＣＲ14＝を表す場合が、より優れた性能を発揮できる点で好ましい。
上記一般式（Ｍ−１）中、Ｒ11，Ｒ12は、各々独立に、水素原子、置換または無置換のシクロアルキル基、置換または無置換のアリール基、置換または無置換のヘテロ環基、置換または無置換のアシル基、置換または無置換のアルキルスルホニル基、置換または無置換のアリールスルホニル基が好ましく、更に水素原子、置換アリール基、置換ヘテロ環基が好ましく、その中でも置換アリール基、置換ヘテロ環基が特に好ましい。但し、Ｒ11、Ｒ12が同時に水素原子であることはない。
【０２９８】
上記一般式（Ｍ−１）中、Ｇは、水素原子、ハロゲン原子、アルキル基、アルケニル基、アルキニル基、アラルキル基、アリール基、ヒドロキシ基、アルコキシ基、アリールオキシ基、アシルオキシ基、ヘテロ環オキシ基、アルキル基またはアリール基またはヘテロ環基で置換されたアミノ基、アシルアミノ基、ウレイド基、スルフアモイルアミノ基、アルコキシカルボニルアミノ基、アリールオキシカルボニルアミノ基、アルキルおよびアリールスルホニルアミノ基、アルキルおよびアリールチオ基、ヘテロ環チオ基またはイオン性親水性基が好ましい。各基は更に置換されていてもよい。
更に、水素原子、ハロゲン原子、アルキル基、ヒドロキシ基、アルコキシ基、アリールオキシ基、アシルオキシ基、アルキル基またはアリール基またはヘテロ環基で置換されたアミノ基、アシルアミノ基が好ましい。
その中でも、水素原子、アリール基またはヘテロ環基で置換されたアミノ基、アシルアミノ基が特に好ましく、置換基を有するアリール基で置換されたアミノ基が最も好ましい。
【０２９９】
上記一般式（Ｍ−１）中、Ｒ13，Ｒ14は、各々独立に、水素原子、アルキル基、シアノ基、カルボキシル基、カルバモイル基、アルコキシカルボニル基が好ましい。各基は更に置換されていてもよい。
更に詳しくは、水素原子、アルキル基、シアノ基、カルボキシル基が好ましく、その中でもＲ13が水素原子、Ｒ14がアルキル基が好ましく、特にＲ13が水素原子、Ｒ14がメチル基が最も好ましい。
前記一般式（Ｍ−１）で表される化合物の好ましい置換基の組み合わせについては、種々の置換基の少なくとも1つが前記の好ましい基である化合物が好ましく、より多くの種々の置換基が前記好ましい基である化合物がより好ましく、全ての置換基が前記好ましい基である化合物が最も好ましい。
【０３００】
本発明では、上記一般式（Ｍ−１）で表される化合物のうち、下記一般式（Ｍ−２）で表される化合物が好ましい。
【０３０１】
【化３７】
2009132891.tif 000038
【０３０２】
一般式（Ｍ−２）中、Ａは、Ｂ1、Ｂ2、Ｒ11およびＲ12は、前記一般式（Ｍ−１）中のＡは、Ｂ1、Ｂ2、Ｒ11およびＲ12と同義である。
ａおよびｅは各々独立に、アルキル基、アルコキシ基またはハロゲン原子を表すが、aおよびe が共にアルキル基である時は、そのアルキル基を構成する炭素数の合計が３以上であって、それらはさらに置換されていてもよい。
ｂ、ｃ、ｄは、各々独立にＲ1、Ｒ2と同義であり、ａとｂ、または、ｅとｄで互いに縮環していてもよい。但し、一般式（Ｍ−２）は、少なくとも一つのイオン性親水性基を有し、該イオン性親水性基の対イオンがリチウムイオンを含む。
【０３０３】
本発明においては、上記一般式（Ｍ−２）において、Ａは、前記一般式（Ｍ−１）中のＡと同義であり、好ましい例も同じである。
本発明においては、上記一般式（Ｍ−２）において、Ｂ1、Ｂ2は、前記一般式（Ｍ−１）中のＢ1、Ｂ2と同義であり、好ましい例も同じである。
本発明においては、上記一般式（Ｍ−２）において、Ｒ11、Ｒ12は、前記一般式（Ｍ−１）中のＲ11、Ｒ12と同義であり、好ましい例も同じである。
【０３０４】
本発明においては、上記一般式（Ｍ−２）において、ａおよびｅは各々独立に、アルキル基、アルコキシ基またはハロゲン原子を表すが、aおよびeが共にアルキル基である時は、そのアルキル基を構成する炭素数の合計が３以上であって、それらはさらに置換されていてもよい。
更に好ましくは、ａおよびｅは各々独立にメチル基、エチル基、イソプロピル基が好ましく、その中でもエチル基、イソプロピル基が好ましく、特にａ＝ｂ＝エチル基またはイソプルピル基が最も好ましい。
ｂ、ｃ、ｄは、各々独立に前記一般式（Ｍ−１）中のＲ13、Ｒ14と同義であり、ａとｂ、または、ｅとｄで互いに縮環していてもよい。但し、一般式（Ｍ−２）は、少なくとも一つのイオン性親水性基を有する。
更に好ましくは、ｃは、水素原子、アルキル基が好ましく、その中でも水素原子、メチル基が特に好ましい。
ｂ、ｄは、水素原子、イオン性親水性基が好ましく、その中でも水素原子、スルホ基、カルボキシ基が好ましく、特にｂとｄの組み合わせが水素原子とスルホ基であるのが最も好ましい。
【０３０５】
前記一般式（Ｍ−２）で表される化合物の好ましい置換基の組み合わせについては、種々の置換基の少なくとも1つが前記の好ましい基である化合物が好ましく、より多くの種々の置換基が前記好ましい基である化合物がより好ましく、全ての置換基が前記好ましい基である化合物が最も好ましい。
【０３０６】
本発明では、上記一般式（Ｍ−２）で表される化合物のうち、下記一般式（Ｍ−３）で表される化合物が好ましい。
【０３０７】
【化３８】
2009132891.tif 000039
【０３０８】
一般式（Ｍ−３）中、Ｚ11は、ハメットの置換基定数σｐ値が０．２０以上の電子求引性基を表す。Ｚ12は、水素原子、アルキル基、アルケニル基、アルキニル基、アラルキル基、芳香族基、ヘテロ環基またはアシル基を表す。Ｒ11、Ｒ12、Ｒ13、Ｒ14、ａ、ｂ、ｃ、ｄ及びｅは、各々上記一般式（Ｍ−２）の場合と同義である。Ｑは、水素原子、アルキル基、アルケニル基、アルキニル基、アラルキル基、芳香族基またはヘテロ環基を表す。上記Ｚ11、Ｚ12及びＱの各基は、更に置換基を有していてもよい。但し、一般式（Ｍ−３）は、少なくとも一つのイオン性親水性基を有し、該イオン性親水性基の対イオンがリチウムイオンを含む。
【０３０９】
本発明においては、上記一般式（Ｍ−３）において、Ａは、前記一般式（Ｍ−１）中のＡと同義であり、好ましい例も同じである。
本発明においては、上記一般式（Ｍ−３）において、Ｒ13、Ｒ14は、前記一般式（Ｍ−１）中のＲ13、Ｒ14と同義であり、好ましい例も同じである。
本発明においては、上記一般式（Ｍ−３）において、Ｒ11、Ｒ12は、前記一般式（Ｍ−１）中のＲ11、Ｒ12と同義であり、好ましい例も同じである。
本発明においては、上記一般式（Ｍ−３）において、ａ、ｂ、ｃ、ｄおよびｅは、前記一般式（Ｍ−２）中のａ、ｂ、ｃ、ｄおよびｅと同義であり、好ましい例も同じである。
【０３１０】
本発明においては、上記一般式（Ｍ−３）において、Ｚ11の上記電子求引性基は、ハメットの置換基定数σｐ値が０．２０以上、好ましくは０．３０以上の電子求引性基である。σｐ値の上限としては、好ましくは１．０以下である。
σｐ値が０．２０以上の電子求引性基の具体例としては、アシル基、アシルオキシ基、カルバモイル基、アルキルオキシカルボニル基、アリールオキシカルボニル基、シアノ基、ニトロ基、ジアルキルホスホノ基、ジアリールホスホノ基、ジアリールホスフィニル基、アルキルスルフィニル、アリールスルフィニル基、アルキルスルホニル基、アリールスルホニル基、スルホニルオキシ基、アシルチオ基、スルファモイル基、チオシアネート基、チオカルボニル基、ハロゲン化アルキル基、ハロゲン化アルコキシ基、ハロゲン化アリールオキシ基、ハロゲン化アルキルアミノ基、ハロゲン化アルキルチオ基、ヘテロ環基、ハロゲン原子、アゾ基、セレノシアネート基およびσｐ値が０．２０以上の他の電子求引性基で置換されたアリール基が挙げられる。
【０３１１】
Ｚ11として好ましくはシアノ基、アルキルスルホニル基、アリールスルホニル基、ニトロ基、またはハロゲン原子であり、シアノ基、アルキルスルホニル基、またはアリールスルホニル基がより好ましく、シアノ基が最も好ましい。
Ｚ12としては水素原子、アルキル基、シクロアルキル基、アラルキル基、アリール基、ヘテロ環基、またはアシル基が好ましく、アルキル基がより好ましい。各置換基はさらに置換されていてもよい。
更に詳しくは、Ｚ12としてのアルキル基には、置換基を有するアルキル基および無置換のアルキル基が含まれる。前記アルキル基は、置換基の炭素原子を除いた炭素原子数が１〜１２のアルキル基が好ましく、より好ましくは炭素原子数１〜６のアルキル基が好ましい。
【０３１２】
置換基の例には、ヒドロキシル基、アルコキシ基、シアノ基、ハロゲン原子、およびイオン性親水性基が含まれる。
アルキル基の例には、メチル、エチル、ブチル、イソプロピル、ｔ−ブチル、ヒドロキシエチル、メトキシエチル、シアノエチル、トリフルオロメチル、３−スルホプロピルおよび４−スルホブチルが含まれ、その中でもメチル、エチル、イソプロピル、ｔ−ブチルが好ましく、特にイソプロピル、ｔ−ブチルが好ましく、特にｔ−ブチルが最も好ましい。
Ｚ12としてのシクロアルキル基には、置換基を有するシクロアルキル基および無置換のシクロアルキル基が含まれる。前記シクロアルキル基としては、置換基の炭素原子を除いた炭素原子数が５〜１２のシクロアルキル基が好ましい。置換基の例には、イオン性親水性基が含まれる。シクロアルキル基の例には、シクロヘキシル基が含まれる。
【０３１３】
Ｚ12としてのアラルキル基としては、置換基を有するアラルキル基および無置換のアラルキル基が含まれる。アラルキル基としては、置換基の炭素原子を除いた炭素原子数が７〜１２のアラルキル基が好ましい。前記置換基の例には、イオン性親水性基が含まれる。前記アラルキル基の例には、ベンジル基、および２−フェネチル基が含まれる。
Ｚ12としてのアリール基には、置換基を有するアリール基および無置換のアリール基が含まれる。アリール基としては、置換基の炭素原子を除いた炭素原子数が６〜１２のアリール基が好ましい。置換基の例には、アルキル基、アルコキシ基、ハロゲン原子、アルキルアミノ基、アミド基、カルバモイル基、スルファモイル基、スルホンアミド基、水酸基、エステル基およびイオン性親水性基が含まれる。アリール基の例には、フェニル、ｐ−トリル、ｐ−メトキシフェニル、ｏ−クロロフェニルおよびｍ−（３−スルホプロピルアミノ）フェニルが含まれる。
【０３１４】
Ｚ12としてのヘテロ環基には、置換基を有する複素環基および無置換の複素環基が含まれる。複素環基としては、５員または６員環の複素環基が好ましい。置換基の例には、アミド基、カルバモイル基、スルファモイル基、スルホンアミド基、水酸基、エステル基およびイオン性親水性基が含まれる。複素環基の例には、２−ピリジル基、２−チエニル基、２−チアゾリル基、２−ベンゾチアゾリル基および２−フリル基が含まれる。
Ｚ12としてのアシル基には、置換基を有するアシル基および無置換のアシル基が含まれる。前記アシル基としては、置換基の炭素原子を除いた炭素原子数が１〜１２のアシル基が好ましい。置換基の例には、イオン性親水性基が含まれる。アシル基の例には、アセチル基およびベンゾイル基が含まれる。
【０３１５】
本発明においては、上記一般式（Ｍ−３）において、Ｑは、水素原子、アルキル基、アルケニル基、アルキニル基、アラルキル基、芳香族基またはヘテロ環基を表す。これら各置換基はさらに置換されていてもよい。これらの置換基の詳細は上記Ｒ13、Ｒ14の場合と同じである。
Ｑは、電子求引性基で置換された、アリール基またはヘテロ環基が好ましい。Ｑの置換基となる電子求引性基は、ハメットの置換基定数σｐ値が０．２０以上、好ましくは０．３０以上の電子求引性基である。σｐ値の上限としては、好ましくは１．０以下である。
【０３１６】
σｐ値が０．２０以上の電子求引性基の具体例としては、上記一般式（Ｍ−３）中のＺ11と同義である。
更に詳しくは、Ｑ電子求引性基で置換されたヘテロ環基が好ましく、その中でもスルホ基、置換または無置換のカルバモイル基、置換または無置換のスルファモイル基で置換されたベンズオキサゾール環、ベンゾチアゾール環が好ましく、特にスルホ基、置換スルファモイル基で置換されたベンゾチアゾール環が最も好ましい。
【０３１７】
前記一般式（Ｍ−３）で表される化合物の好ましい置換基の組み合わせについては、種々の置換基の少なくとも1つが前記の好ましい基である化合物が好ましく、より多くの種々の置換基が前記好ましい基である化合物がより好ましく、全ての置換基が前記好ましい基である化合物が最も好ましい。
【０３１８】
本発明の一般式（Ｍ−１）で表される化合物として特に好ましい組み合わせは、以下の（イ）〜（ニ）を含むものである。
【０３１９】
（イ）Ａの好ましいヘテロ環の例には、ピラゾール環、イミダゾール環、トリアゾール環、チアゾール環、イソチアゾール環、チアジアゾール環、ベンゾチアゾール環、ベンゾオキサゾール環、またはベンゾイソチアゾール環が好ましく、更にピラゾール環、イミダゾール環、トリアゾール環、チアゾール環、イソチアゾール環、チアジアゾール環が好ましく、その中でもピラゾール環、トリアゾール環、チアゾール環、イソチアゾール環、チアジアゾール環が好ましく、ピラゾール環が最も好ましい。
【０３２０】
（ロ）Ｂ1およびＢ2は、各々、-ＣＲ13＝もしくは-ＣＲ14＝を表すか、またはいずれか一方が窒素原子、他方が-ＣＲ13＝もしくは-ＣＲ14＝を表すが、Ｂ1およびＢ2が、-ＣＲ13＝または-ＣＲ14＝を表す場合が好ましく、更にＲ13が水素原子（Ｂ1が無置換炭素原子）、Ｒ14が水素原子またはアルキル基（Ｂ2が無置換またはアルキル基で置換された炭素原子）が好ましく、特にＲ13が水素原子（Ｂ1が無置換炭素原子）、Ｒ14がメチル基（Ｂ2がメチル基で置換された炭素原子）が最も好ましい。
【０３２１】
（ハ）Ｒ11、Ｒ12は、各々独立に、水素原子、置換または無置換のシクロアルキル基、置換または無置換のアリール基、置換または無置換のヘテロ環基、置換または無置換のアシル基、置換または無置換のアルキルスルホニル基、置換または無置換のアリールスルホニル基が好ましく、更に水素原子、置換アリール基、置換ヘテロ環基が好ましく、その中でも置換アリール基、置換ヘテロ環基が好ましく、特にスルホ基で置換されたアリール基、及び、スルホ基で置換されたヘテロ環基が最も好ましい。
【０３２２】
（ニ）Ｇは、水素原子、ハロゲン原子、アルキル基、アルケニル基、アルキニル基、アラルキル基、アリール基、ヒドロキシ基、アルコキシ基、アリールオキシ基、アシルオキシ基、ヘテロ環オキシ基、アルキル基またはアリール基またはヘテロ環基で置換されたアミノ基、アシルアミノ基、ウレイド基、スルフアモイルアミノ基、アルコキシカルボニルアミノ基、アリールオキシカルボニルアミノ基、アルキルおよびアリールスルホニルアミノ基、アルキルおよびアリールチオ基、ヘテロ環チオ基またはイオン性親水性基が好ましく、更に、水素原子、ハロゲン原子、アルキル基、ヒドロキシ基、アルコキシ基、アリールオキシ基、アシルオキシ基、アルキル基またはアリール基またはヘテロ環基で置換されたアミノ基、アシルアミノ基が好ましく、その中でも水素原子、アリール基またはヘテロ環基で置換されたアミノ基、アシルアミノ基が特に好ましく、置換を有するアリール基で置換されたアミノ基が最も好ましい。
【０３２３】
一般式（Ｍ−１）中、一般式（Ｍ−２）の場合が特に好ましい。
【０３２４】
本発明の一般式（Ｍ−２）で表される化合物として特に好ましい組み合わせは、以下の（イ）〜（ニ）を含むものである。
【０３２５】
（イ）Ａのヘテロ環の例には、上記一般式（Ｍ−１）中のＡと同義であり、好ましい例も同じである。
【０３２６】
（ロ）Ｂ1およびＢ2は、上記一般式（Ｍ−１）中のＢ1およびＢ2と同義であり、好ましい例も同じである。
【０３２７】
（ハ）Ｒ11、Ｒ12は、上記一般式（Ｍ−１）中のＲ11、Ｒ12と同義であり、好ましい例も同じである。
【０３２８】
（ニ）ａおよびｅは、アルキル基またはハロゲン原子が好ましく、ａおよびｅが共にアルキル基の時は無置換アルキル基であって、ａおよびｅの炭素数の合計が３以上（好ましくは５以下）であり、ａ、ｂ、ｃ、ｄは、各々水素原子、ハロゲン原子、アルキル基、イオン性親水性基（好ましくは各々水素原子、炭素数１〜４のアルキル基、イオン性親水性基）の場合が好ましい。更に好ましくは、ａおよびｅは各々独立にメチル基、エチル基、イソプロピル基が好ましく、その中でもエチル基、イソプロピル基が好ましく、特にａ＝ｂ＝エチル基またはイソプルピル基が最も好ましい。更に、ｃは、水素原子、アルキル基が好ましく、その中でも水素原子、メチル基が特に好ましい。ｂ、ｄは、水素原子、イオン性親水性基が好ましく、その中でも水素原子、スルホ基、カルボキシ基が好ましく、特にｂとｄの組み合わせが水素原子とスルホ基であるのが最も好ましい。
【０３２９】
一般式（Ｍ−２）中、一般式（Ｍ−３）の場合が特に好ましい。
【０３３０】
本発明の一般式（Ｍ−３）で表される化合物として特に好ましい組み合わせは、以下の（イ）〜（ヘ）を含むものである。
【０３３１】
（イ）Ｚ11は、ハメットの置換基定数σｐ値が０．２０以上、好ましくは０．３０以上の電子求引性基である。σｐ値の上限としては、好ましくは１．０以下である。Ｚ11として更に好ましくはシアノ基、アルキルスルホニル基、アリールスルホニル基、ニトロ基、またはハロゲン原子であり、シアノ基、アルキルスルホニル基、またはアリールスルホニル基がより好ましく、その中でもシアノ基が最も好ましい。
【０３３２】
（ロ）Ｚ12としては水素原子、アルキル基、シクロアルキル基、アラルキル基、アリール基、ヘテロ環基、またはアシル基が好ましく、アルキル基がより好ましい。各置換基はさらに置換されていてもよい。更に詳しくは、Ｚ12としてのアルキル基には、置換基を有するアルキル基および無置換のアルキル基が含まれる。前記アルキル基は、置換基の炭素原子を除いた炭素原子数が１〜１２のアルキル基が好ましく、より好ましくは炭素原子数１〜６のアルキル基が好ましい。置換基の例には、ヒドロキシル基、アルコキシ基、シアノ基、ハロゲン原子、およびイオン性親水性基が含まれる。その中でもメチル、エチル、ブチル、イソプロピル、ｔ−ブチル、ヒドロキシエチル、メトキシエチル、シアノエチル、トリフルオロメチル、３−スルホプロピルおよび４−スルホブチルが好ましく、特にイソプロピル、ｔ−ブチルが好ましく、ｔ−ブチルが最も好ましい。
【０３３３】
（ハ）Ｑは、水素原子、アルキル基、アルケニル基、アルキニル基、アラルキル基、芳香族基またはヘテロ環基を表す。これら各置換基はさらに置換されていてもよい。更にＱは、電子求引性基で置換された、アリール基またはヘテロ環基が好ましい。Ｑ、の置換基となる電子求引性基は、ハメットの置換基定数σｐ値が０．２０以上、好ましくは０．３０以上の電子求引性基である。σｐ値の上限としては、好ましくは１．０以下である。更に詳しくは、Ｑ電子求引性基で置換されたヘテロ環基が好ましく、その中でもスルホ基、置換または無置換のカルバモイル基、置換または無置換のスルファモイル基で置換されたベンズオキサゾール環、ベンゾチアゾール環が好ましく、特にスルホ基、置換スルファモイル基で置換されたベンゾチアゾール環が最も好ましい。
【０３３４】
（ニ）ａ、ｂ、ｃ、ｄ及びｅは、上記一般式（Ｍ−２）中のａ、ｂ、ｃ、ｄ及びｅと同義であり、好ましい例も同じである。
【０３３５】
（ホ）Ｒ13およびＲ14は、上記一般式（Ｍ−２）中のＲ13およびＲ14と同義であり、好ましい例も同じである。
【０３３６】
（ヘ）Ｒ11、Ｒ12は、上記一般式（Ｍ−２）中のＲ11、Ｒ12と同義であり、好ましい例も同じである。
【０３３７】
一般式（Ｍ−１）、（Ｍ−２）及び（Ｍ−３）で表される化合物（アゾ色素）はその分子内にイオン性親水性基を少なくとも１つ（好ましくは３つ以上６つ以下）有する。イオン性親水性基には、スルホ基、カルボキシル基、ホスホノ基および４級アンモニウム基等が含まれる。前記イオン性親水性基としては、カルボキシル基、ホスホノ基、およびスルホ基が好ましく、中でもカルボキシル基、スルホ基が好ましい。特に少なくとも１つはスルホ基である事が最も好ましい。カルボキシル基、ホスホノ基およびスルホ基は塩の状態であってもよく、塩を形成する対イオンの例には、リチウムイオンまたはリチウムイオンを主成分とするアンモニウムイオン、アルカリ金属イオン（例、ナトリウムイオン、カリウムイオン）および有機カチオン（例、テトラメチルアンモニウムイオン、テトラメチルグアニジウムイオン、テトラメチルホスホニウム）混合塩が含まれる。対イオンの中でもリチウムイオンまたはリチウムイオンを主成分とするアルカリ金属の混合塩が好ましい。更に、リチウムイオンまたはリチウムイオンを主成分とするカリウムイオン、ナトリウムイオン混合塩が特に好ましく、その中でもリチウムイオンが最も好ましい。特に、溶解性向上及びインクジェット印刷におけるブロンズ抑制の観点から、イオン性親水性基がスルホ基で、且つその対イオンがリチウムイオンの組み合わせが最も好ましい。
【０３３８】
上記アゾ色素はその分子内にイオン性親水性基を３つ以上６つ以下有することが好ましく、スルホ基を３つ以上６つ以下有することがより好ましく、スルホ基を３つ以上５つ以下有することが更に好ましい。
【０３３９】
本発明のマゼンタインク組成物は、前記一般式（Ｍ−１）、（Ｍ−２）、（Ｍ−３）で表される化合物及びその塩の少なくとも一種を着色剤として含む。
【０３４０】
本発明のインクセットには、マゼンタインク組成物として濃マゼンタインク組成物及び淡マゼンタインク組成物を含めることができる。濃マゼンタインク組成物及び淡マゼンタインク組成物の両者をインクセットに含める場合、両者の少なくとも一つが前記一般式（Ｍ−１）、（Ｍ−２）、（Ｍ−３）の染料を着色剤として含むことが好ましく、淡マゼンタインク組成物が前記一般式（Ｍ−１）、（Ｍ−２）、（Ｍ−３）の染料を着色剤として含むことがさらに好ましい。淡マゼンタインク組成物の耐光性・耐オゾン性を向上することによって、記録物全体の画像の耐光性・耐オゾン性が向上できる。最も好ましいのは、濃マゼンタインク組成物及び淡マゼンタインク組成物の両者が前記一般式（Ｍ−１）、（Ｍ−２）、（Ｍ−３）の染料を着色剤として含むことである。
【０３４１】
本発明のインクセットにおいては、マゼンタインク組成物中における染料の濃度は、用いられる一般式（Ｍ−１）、（Ｍ−２）、（Ｍ−３）の染料のカラーバリューに基づいて適宜定めることができる。インクセットに一つのマゼンタインク組成物のみを含める場合、一般的には、一般式（Ｍ−１）、（Ｍ−２）、（Ｍ−３）の染料から選ばれた着色剤の合計量が、マゼンタインク組成物の総重量に対して２．０〜１２．０重量％含有されることが好ましく、更に２．５〜１０．０重量％含有されることが好ましく、特に３．０〜７．０重量％含有されることが好ましく、その中でも特に３．０〜５．０重量％含有されることが好ましい。
【０３４２】
染料濃度を２．０重量％以上とすることにより、インクとして充分な発色性を確保でき、さらに染料濃度を１２重量％以下にすることによってインクジェット記録方法に用いるインク組成物として、ノズルからの吐出性を確保することやノズル目詰まりを防止すること等が容易となる。
【０３４３】
また、インクセットに濃マゼンタインク組成物及び淡マゼンタインク組成物を含める場合、淡マゼンタインク組成物中における染料濃度は、着色剤として用いられる一般式（Ｍ−１）、（Ｍ−２）、（Ｍ−３）の染料のカラーバリューにしたがって適宜選択することができるが、一般的には一般式（Ｍ−１）、（Ｍ−２）、（Ｍ−３）の染料から選ばれた着色剤の合計量が、淡マゼンタインク組成物の総重量に対して０．５〜５．０重量％含有されていることが好ましく、更に０．５〜３．０重量％含有されていることが好ましく、特に１．０〜３．０重量％含有されていることが最も好ましい。
染料濃度を０．５重量％以上にすることによって淡マゼンタインク組成物として必要な発色性を確保することができ、かつ染料濃度を５．０重量％以下にすることによって淡マゼンタインク組成物を用いて記録された記録物の画像における粒状感を低減又は防止することができる。
【０３４４】
インクセットに濃マゼンタインク組成物及び淡マゼンタインク組成物を含める場合、淡マゼンタインク組成物中に含まれる着色剤の含有量（重量％）と濃マゼンタインク組成物中に含まれる着色剤の含有量（重量％）との比を１：２〜１：８にすることが好ましく、更に１：２〜１：５が好ましく、その中でも特に１：２〜１：３が好ましい。
【０３４５】
着色剤の含有量をこのような比率で構成することにより、これらのインク組成物を用いて記録された画像の粒状感を低下させることができる。さらに上記着色剤比率とし、かつ着色剤の濃度を上述した範囲に入るインク組成物にすることにより、濃マゼンタインク組成物と淡マゼンタインク組成物との間に良好なカラーバランスを実現でき、しかもインクジェットノズルが目詰まりすることを防止できる。
【０３４６】
本発明のインクセットにおいては、マゼンタインク組成物、濃マゼンタインク組成物、又は淡マゼンタインク組成物中における上記一般式（Ｍ−１）、（Ｍ−２）、（Ｍ−３）で表される化合物及びその塩からなる群から選ばれる着色剤の含有量は、一般式（Ｍ−１）、（Ｍ−２）、（Ｍ−３）における各置換基の種類、溶媒成分の種類等により決められるが、そのインク組成物中に含まれる一般式（Ｍ−１）、（Ｍ−２）、（Ｍ−３）の化合物及びその塩から選ばれる少なくとも一種の染料を含め、そのインク組成物中に含まれる全着色剤の合計量が、そのインク組成物の総重量に対して０．１〜１０．０重量％であることが好ましく、更に０．５〜８．０重量％の範囲であることが好ましく、その中でも特に０．５〜５．０重量％の範囲であることが最も好ましい。
【０３４７】
インク組成物中の着色剤の量を０．１重量％以上とすることで、記録媒体上での発色性又は画像濃度を確保でき、１０重量％以下とすることで、インク組成物の粘度調整が容易となり吐出信頼性や耐目詰まり性等の特性が容易に確保できる。
【０３４８】
一方、本発明においてマゼンタインク組成物中に含まれる、着色剤として用いられる化合物（染料）の分子量、イオン性親水性基の数、使用する固形分濃度にしたがって適宜決定することができるが、インク単位重量あたりのリチウムイオンのモル数は、２．０×１０-6ｍｏｌ／ｇ〜１．０×１０-3ｍｏｌ／ｇ含有することが好ましく、更に３．０×１０-6ｍｏｌ／ｇ〜８．０×１０-4ｍｏｌ／ｇ含有することが好ましく、特に２．０×１０-5ｍｏｌ／ｇ〜６．０×１０-4ｍｏｌ／ｇ含有することが好ましく、その中でも３．０×１０-5ｍｏｌ／ｇ〜６．０×１０-4ｍｏｌ／ｇ含有することが最も好まししい。
【０３４９】
そのほか、前記一般式（Ｍ−１）、（Ｍ−２）、（Ｍ−３）で表される化合物及びその塩からなる群から選ばれる染料と併用されるマゼンタ系染料としては、例えば、Ｃ．Ｉ．ダイレクトレッド２，４，９，２３，２６，３１，３９，６２，６３，７２，７５，７６，７９，８０，８１，８３，８４，８９，９２，９５，１１１，１７３，１８４，２０７，２１１，２１２，２１４，２１８，２２１，２２３，２２４，２２５，２２６，２２７，２３２，２３３，２４０，２４１，２４２，２４３，２４７、Ｃ．Ｉ．ダイレクトバイオレット７，９，４７，４８，５１，６６，９０，９３，９４，９５，９８，１００，１０１、Ｃ．Ｉ．アシッドレッド３５，４２，５２，５７，６２，８０，８２，１１１，１１４，１１８，１１９，１２７，１２８，１３１，１４３，１５１，１５４，１５８，２４９，２５４，２５７，２６１，２６３，２６６，２８９，２９９，３０１，３０５，３３６，３３７，３６１，３９６，３９７、Ｃ．Ｉ．アシッドバイオレット５，３４，４３，４７，４８，９０，１０３，１２６、Ｃ．Ｉ．リアクティブレッド３，１３，１７，１９，２１，２２，２３，２４，２９，３５，３７，４０，４１，４３，４５，４９，５５、Ｃ．Ｉ．リアクティブバイオレット１，３，４，５，６，７，８，９，１６，１７，２２，２３，２４，２６，２７，３３，３４、Ｃ．Ｉ．ベーシックレッド１２，１３，１４，１５，１８，２２，２３，２４，２５，２７，２９，３５，３６，３８，３９，４５，４６、Ｃ．Ｉ．ベーシックバイオレット１，２，３，７，１０，１５，１６，２０，２１，２５，２７，２８，３５，３７，３９，４０，４８等を例示できるほか、更に、カップリング成分（以降カプラー成分と呼ぶ）として、フェノール類、ナフトール類、アニリン類、ピラジンのようなヘテロ環類、開鎖型活性メチレン化合物類などを有する、ヘテリルもしくはアリールアゾ染料（以下に一般式（Ｍ−１１）で表される化合物）；例えばカプラー成分として開鎖型活性メチレン化合物類などを有するアゾメチン染料；アントラピリドン染料（以下に一般式（Ｍ−１２）（例えばＵＳ２００４／０２３９７３９Ａ１明細書記載のＴａｂｌｅ  １中のＮｏ．２０の化合物や、国際公開第０４／１０４１０８号パンフレット記載の化合物（１３）など）が例示できる。
【０３５０】
上記式（Ｍ−１１）で表される化合物とは、下記一般式（Ｍ−１１）で表される化合物である。
【０３５１】
【化３９】
2009132891.tif 000040
【０３５２】
［前記式（Ｍ−１１）中、Ｙは、Ｃ1〜Ｃ4のアルキル基、アルコキシ基、又はＯＨ、ＳＯ3Ｈ、ＣＯＯＭで置換されたフェニル基、又はナフチル基を表す。さらにＢは、Ｈ又は次式を表す。
【０３５３】
【化４０】
2009132891.tif 000041
【０３５４】
（式中、Ｒ1はＨ、ＯＨ、又はＣＯＯＨで置換されたＣ1〜Ｃ4のアルキル基を表し、Ｒ2は、ＯＨ、ＯＣＨ3、ＯＣ2Ｈ5、ＳＯ3Ｍ、ＣＯＯＭで置換されたＣ1〜Ｃ4のアルキル基を表し、Ｍは、Ｈ、Ｌｉ、Ｎａ、Ｋ、アンモニウム、又は有機アミン類を表す。）］
【０３５５】
上記式（Ｍ−１２）で表される化合物とは、下記一般式（Ｍ−１２）で表される化合物である。
【０３５６】
【化４１】
2009132891.tif 000042
【０３５７】
［前記式（Ｍ−１２）中、Ｚは含窒素５〜６員ヘテロ環を形成するのに必要な非金属原子群を表す。Ｒ1、Ｒ2、Ｒ3はそれぞれ独立に置換基を表し、これらの置換基は更に置換基を有していてもよい。ｍ1は０〜３の整数を表し、ｍ2は０〜４の整数を表し、ｍ3は０〜２の整数を表すが、ｍ1、ｍ2及びｍ3が同時に０を表すことはない。ｍ1が２以上のときは複数のＲ１は互いに同じでも異なっていてもよい。ｍ2が２以上のときは複数のＲ2は互いに同じでも異なっていてもよく、ｍ3が２以上のときは複数のＲ3は互いに同じでも異なっていてもよい。ｎは、１〜４の整数を表す。ｎが２以上の場合は、Ｒ1、Ｒ2、Ｒ3を介して染料母核が２量体、３量体、４量体を形成してもよい。］
【０３５８】
本発明に用いられる上記一般式（Ｍ−１）〜（Ｍ−１２）で表される化合物は、例えば特開２００７−６３５２０号公報に記載の方法を用いて合成することができる。
【０３５９】
以下に、本発明のインクセットを構成するシアンインク組成物に用いられる着色剤について説明する。
【０３６０】
本発明のインクセットにおいて、シアンインク組成物に用いられる着色剤は特定構造の着色剤に限定されるものではないが、少なくとも一つのイオン性親水性基を有し、該イオン性親水性基の対イオンがリチウムイオンを含み、シアンインク組成物中の全カチオンにおけるリチウムイオン濃度が７０モル％以上である必要がある。該リチウムイオン濃度は好ましくは８０モル％以上、より好ましくは９０モル％であり、更に好ましくは９５モル％であり、上限としては１００モル％が好ましい。
また、他色のインク組成物の耐光性・耐オゾン性とマゼンタインク組成物の耐光性・耐オゾン性との間の差が小さいことが好ましい。他色のインク組成物の耐光性・耐オゾン性とシアンインク組成物の耐光性・耐オゾン性との間の差が小さいことが好ましい。
【０３６１】
本発明においてシアンインク組成物に着色剤として用いられるシアン系染料は、下記一般式（Ｃ−１）で表されるフタロシアニン化合物及びその塩からなる群から選ばれる化合物である。
【０３６２】
【化４２】
2009132891.tif 000043
【０３６３】
前記一般式（Ｃ−１）中、Ｘ1、Ｘ2、Ｘ3及びＸ4は、それぞれ独立に、−ＳＯ−Ｚ、−ＳＯ2−Ｚ、−ＳＯ2ＮＶ1Ｖ2、−ＣＯ2ＮＶ1Ｖ2、−ＣＯ2Ｚ、−ＣＯ−Ｚ及びスルホ基のいずれかを表す。ここで、Ｚは、それぞれ独立に、置換若しくは無置換のアルキル基、置換若しくは無置換のシクロアルキル基、置換若しくは無置換のアルケニル基、置換若しくは無置換のアルキニル基、置換若しくは無置換のアラルキル基、置換若しくは無置換のアリール基、又は置換若しくは無置換のヘテロ環基を表す。Ｖ1，Ｖ2は、同一または異なっていてもよく、水素原子、置換もしくは無置換のアルキル基、置換もしくは無置換のシクロアルキル基、置換もしくは無置換のアルケニル基、置換もしくは無置換のアルキニル基、置換もしくは無置換のアラルキル基、置換もしくは無置換のアリール基、置換もしくは無置換のヘテロ環基を表す。
【０３６４】
Ｙ1、Ｙ2、Ｙ3及びＹ4は、それぞれ独立に、水素原子、ハロゲン原子、アルキル基、シクロアルキル基、アルケニル基、アラルキル基、アリール基、ヘテロ環基、シアノ基、ヒドロキシ基、ニトロ基、アミノ基、アルキルアミノ基、アルコキシ基、アリールオキシ基、アミド基、アリールアミノ基、ウレイド基、スルファモイルアミノ基、アルキルチオ基、アリールチオ基、アルコキシカルボニルアミノ基、スルホンアミド基、カルバモイル基、スルファモイル基、アルコキシカルボニル基、ヘテロ環オキシ基、アゾ基、アシルオキシ基、カルバモイルオキシ基、シリルオキシ基、アリールオキシカルボニル基、アリールオキシカルボニルアミノ基、イミド基、ヘテロ環チオ基、ホスホリル基、アシル基、又はイオン性親水性基を表し、各々の基はさらに置換基を有していてもよい。
【０３６５】
ａ1〜ａ4及びｂ1〜ｂ4は、それぞれＸ1〜Ｘ4及びＹ1〜Ｙ4の置換基数を表す。そして、ａ1〜ａ4は、それぞれ独立に、０〜４の整数であり、すべてが同時に０になることはない。ｂ1〜ｂ4は、それぞれ独立に、０〜４の整数を表す。
【０３６６】
Ｍは、水素原子、金属原子又はその酸化物、水酸化物若しくはハロゲン化物である。 ただし、Ｘ1、Ｘ2、Ｘ3、Ｘ4、Ｙ1、Ｙ2、Ｙ3及びＹ4の内の少なくとも１つは、イオン性親水性基であるか又はイオン性親水性基を置換基として有する基であり、該イオン性親水性基の対イオンがリチウム塩である。）
【０３６７】
本発明においては、上記一般式（Ｃ−１）において、ａ1、ａ2、ａ3及びａ4が０又は１であり、かつａ1、ａ2、ａ3及びａ4のうち２つ以上が１であり、さらにｂ1、ｂ2、ｂ3及びｂ4はそれぞれａ1、ａ2、ａ3及びａ4との和が４となる整数であることが好ましい。
【０３６８】
上述のとおり、前記一般式（Ｃ−１）中、Ｘ1、Ｘ2、Ｘ3及びＸ4は、それぞれ独立に、−ＳＯ−Ｚ、−ＳＯ2−Ｚ、−ＳＯ2ＮＶ1Ｖ2、−ＣＯ2ＮＶ1Ｖ2、−ＣＯ2Ｚ、−ＣＯ−Ｚ及びスルホ基のいずれかを表す。
【０３６９】
Ｚは、同一または異なっていても良く、置換もしくは無置換のアルキル基、置換もしくは無置換のシクロアルキル基、置換もしくは無置換のアルケニル基、置換もしくは無置換のアルキニル基、置換もしくは無置換のアラルキル基、置換もしくは無置換のアリール基、置換もしくは無置換のヘテロ環基を表す。  好ましくは、置換もしくは無置換のアルキル基、置換もしくは無置換のアリール基、置換もしくは無置換のヘテロ環基であり、その中でも置換アルキル基、置換アリール基、置換ヘテロ環基が好ましく、特に置換アルキル基が最も好ましい。
【０３７０】
Ｖ1，Ｖ2は、同一または異なっていてもよく、水素原子、置換もしくは無置換のアルキル基、置換もしくは無置換のシクロアルキル基、置換もしくは無置換のアルケニル基、置換もしくは無置換のアルキニル基、置換もしくは無置換のアラルキル基、置換もしくは無置換のアリール基、置換もしくは無置換のヘテロ環基を表す。好ましくは水素原子、置換もしくは無置換のアルキル基、置換もしくは無置換のアリール基、置換もしくは無置換のヘテロ環基であり、その中でも水素原子、置換アルキル基、置換アリール基、置換ヘテロ環基が最も好ましい。
【０３７１】
Ｚ、Ｖ1及びＶ2はさらに置換基を有することができるが、ここでＺ、Ｖ1及びＶ2が有することのできる置換基としては、それぞれ独立にハロゲン原子（例えば、塩素原子、臭素原子）；炭素数１〜１２の直鎖状又は分岐状鎖アルキル基、炭素数７〜１８のアラルキル基、炭素数２〜１２のアルケニル基、炭素数２〜１２の直鎖状又は分岐鎖状アルキニル基、側鎖を有していてもよい炭素数３〜１２のシクロアルキル基、側鎖を有していてもよい炭素数３〜１２のシクロアルケニル基（これらの基としては例えば、メチル、エチル、プロピル、イソプロピル、ｔ−ブチル、２−メタンスルホニルエチル、３−フェノキシプロピル、トリフルオロメチル、シクロペンチル）；アリール基（例えば、フェニル、４−ｔ−ブチルフェニル、２，４−ジ−ｔ−アミルフェニル）；ヘテロ環基（例えば、イミダゾリル、ピラゾリル、トリアゾリル、２−フリル、２−チエニル、２−ピリミジニル、２−ベンゾチアゾリル）；アルキルオキシ基（例えば、メトキシ、エトキシ、２−メトキシエトキシ、２−メタンスルホニルエトキシ）；アリールオキシ基（例えば、フェノキシ、２−メチルフェノキシ、４−ｔ−ブチルフェノキシ、３−ニトロフェノキシ、３−ｔ−ブチルオキシカルバモイルフェノキシ、３−メトキシカルバモイル）；アシルアミノ基（例えば、アセトアミド、ベンズアミド、４−（３−ｔ−ブチル−４−ヒドロキシフェノキシ）ブタンアミド）；アルキルアミノ基（例えば、メチルアミノ、ブチルアミノ、ジエチルアミノ、メチルブチルアミノ）；アニリノ基（例えば、フェニルアミノ、２−クロロアニリノ；ウレイド基（例えば、フェニルウレイド、メチルウレイド、Ｎ，Ｎ−ジブチルウレイド）；スルファモイルアミノ基（例えば、Ｎ，Ｎ−ジプロピルスルファモイルアミノ）；アルキルチオ基（例えば、メチルチオ、オクチルチオ、２−フェノキシエチルチオ）；アリールチオ基（例えば、フェニルチオ、２−ブトキシ−５−ｔ−オクチルフェニルチオ、２−カルボキシフェニルチオ）；アルキルオキシカルボニルアミノ基（例えば、メトキシカルボニルアミノ）；スルホンアミド基（例えば、メタンスルホンアミド、ベンゼンスルホンアミド、ｐ−トルエンスルホンアミド、オクタデカン）；カルバモイル基（例えば、Ｎ−エチルカルバモイル、Ｎ，Ｎ−ジブチルカルバモイル）；スルファモイル基（例えば、Ｎ−エチルスルファモイル、Ｎ，Ｎ−ジプロピルスルファモイル、Ｎ，Ｎ−ジエチルスルファモイル）；スルホニル基（例えば、メタンスルホニル、オクタンスルホニル、ベンゼンスルホニル、トルエンスルホニル）；アルキルオキシカルボニル基（例えば、メトキシカルボニル、ブチルオキシカルボニル）；ヘテロ環オキシ基（例えば、１−フェニルテトラゾール−５−オキシ、２−テトラヒドロピラニルオキシ）；アゾ基（例えば、フェニルアゾ、４−メトキシフェニルアゾ、４−ピバロイルアミノフェニルアゾ、２−ヒドロキシ−４−プロパノイルフェニルアゾ）；アシルオキシ基（例えば、アセトキシ）；カルバモイルオキシ基（例えば、Ｎ−メチルカルバモイルオキシ、Ｎ−フェニルカルバモイルオキシ）；シリルオキシ基（例えば、トリメチルシリルオキシ、ジブチルメチルシリルオキシ）；アリー��オキシカルボニルアミノ基（例えば、フェノキシカルボニルアミノ）；イミド基（例えば、Ｎ−スクシンイミド、Ｎ−フタルイミ）；ヘテロ環チオ基（例えば、２−ベンゾチアゾリルチオ、２，４−ジ−フェノキシ−１，３，５−トリアゾール−６−チオ、２−ピリジルチオ）；スルフィニル基（例えば、３−フェノキシプロピルスルフィニル）；ホスホニル基（例えば、フェノキシホスホニル、オクチルオキシホスホニル、フェニルホスホニル）；アリールオキシカルボニル基（例えば、フェノキシカルボニル）；アシル基（例えば、アセチル、３−フェニルプロパノイル、ベンゾイル）；イオン性親水性基（例えば、カルボキシル基、スルホ基、及び４級アンモニウム基）；シアノ基；ヒドロキシ基；ニトロ基；アミノ基等が挙げられる。
【０３７２】
Ｚ，Ｖ1，Ｖ2が表す置換もしくは無置換のアルキル基としては、炭素原子数が１〜３０のアルキル基が好ましい。特に染料の溶解性やインク安定性を高めるという理由から、分岐のアルキル基が好ましく、特に不斉炭素を有する場合（ラセミ体での使用）が特に好ましい。置換基の例については一般式Ｉが有していても良い置換基を挙げることができるが、中でも水酸基、エーテル基、エステル基、シアノ基、アミノ基、アミド基、スルホンアミド基が染料の会合性を高め堅牢性を向上させるので特に好ましい。この他、ハロゲン原子やイオン性親水性基を有していても良い。
【０３７３】
Ｚ，Ｖ1，Ｖ2が表す置換もしくは無置換のシクロアルキル基としては、炭素原子数が５〜３０のシクロアルキル基が好ましい。特に染料の溶解性やインク安定性を高めるという理由から、不斉炭素を有する場合（ラセミ体での使用）が特に好ましい。置換基の例については一般式（Ｃ−１）が有していても良い置換基を挙げることができるが、中でも水酸基、エーテル基、エステル基、シアノ基、アミノ基、アミド基、スルホンアミド基が染料の会合性を高め堅牢性を向上させるので特に好ましい。この他、ハロゲン原子やイオン性親水性基を有していても良い。
【０３７４】
Ｚ，Ｖ1，Ｖ2が表す置換もしくは無置換のアルケニル基としては、炭素原子数が２〜３０のアルケニル基が好ましい。特に染料の溶解性やインク安定性を高めるという理由から、分岐のアルケニル基が好ましく、特に不斉炭素を有する場合（ラセミ体での使用）が特に好ましい。置換基の例については一般式Ｉが有していても良い置換基を挙げることができるが、中でも水酸基、エーテル基、エステル基、シアノ基、アミノ基、アミド基、スルホンアミド基が染料の会合性を高め堅牢性を向上させるので特に好ましい。この他、ハロゲン原子やイオン性親水性基を有していても良い。
【０３７５】
Ｚ，Ｖ1，Ｖ2が表す置換もしくは無置換のアルキニル基としては、炭素原子数が２〜３０のアルキニル基が好ましい。特に染料の溶解性やインク安定性を高めるという理由から、分岐のアルキニル基が好ましく、特に不斉炭素を有する場合（ラセミ体での使用）が特に好ましい。置換基の例については一般式（Ｃ−１）が有していても良い置換基を挙げることができるが、中でも水酸基、エーテル基、エステル基、シアノ基、アミノ基、アミド基、スルホンアミド基が染料の会合性を高め堅牢性を向上させるので特に好ましい。この他、ハロゲン原子やイオン性親水性基を有していても良い。
【０３７６】
Ｚ，Ｖ1，Ｖ2が表す置換もしくは無置換のアラルキル基としては、炭素原子数が７〜３０のアルキル基が好ましい。特に染料の溶解性やインク安定性を高めるという理由から、分岐のアルキル基が好ましく、特に不斉炭素を有する場合（ラセミ体での使用）が特に好ましい。置換基の例については一般式（Ｃ−１）が有していても良い置換基を挙げることができるが、中でも水酸基、エーテル基、エステル基、シアノ基、アミノ基、アミド基、スルホンアミド基が染料の会合性を高め堅牢性を向上させるので特に好ましい。この他、ハロゲン原子やイオン性親水性基を有していても良い。
【０３７７】
Ｚ，Ｖ1，Ｖ2が表す置換もしくは無置換のアリール基としては、炭素原子数が６〜３０のアリール基が好ましい。置換基の例については一般式Ｉが有していても良い置換基を挙げることができるが、中でも染料の酸化電位を貴とし堅牢性を向上させるので電子求引性基が特に好ましい。
【０３７８】
Ｚ，Ｖ1，Ｖ2が表すヘテロ環基としては、５員または６員環のものが好ましく、それらは更に縮環していてもよい。また、芳香族ヘテロ環であっても非芳香族ヘテロ環であっても良い。以下にＺ，Ｖ1，Ｖ2で表されるヘテロ環基を、置換位置を省略してヘテロ環の形で例示するが、置換位置は限定されるものではなく、例えばピリジンであれば、２位、３位、４位で置換することが可能である。ピリジン、ピラジン、ピリミジン、ピリダジン、トリアジン、キノリン、イソキノリン、キナゾリン、シンノリン、フタラジン、キノキサリン、ピロール、インドール、フラン、ベンゾフラン、チオフェン、ベンゾチオフェン、ピラゾール、イミダゾール、ベンズイミダゾール、トリアゾール、オキサゾール、ベンズオキサゾール、チアゾール、ベンゾチアゾール、イソチアゾール、ベンズイソチアゾール、チアジアゾール、イソオキサゾール、ベンズイソオキサゾール、ピロリジン、ピペリジン、ピペラジン、イミダゾリジン、チアゾリンなどが挙げられる。中でも芳香族ヘテロ環基が好ましく、その好ましい例を先と同様に例示すると、ピリジン、ピラジン、ピリミジン、ピリダジン、トリアジン、ピラゾール、イミダゾール、ベンズイミダゾール、トリアゾール、チアゾール、ベンゾチアゾール、イソチアゾール、ベンズイソチアゾール、チアジアゾールが挙げられる。それらは置換基を有していても良く、置換基の例については一般式Ｉが有していても良い置換基を挙げることができるが、好ましい置換基は前記アリール基の置換基と、更に好ましい置換基は、前記アリール基の更に好ましい置換基とそれぞれ同じである。
【０３７９】
本発明に用いるフタロシアニン染料は、少なくとも一つのイオン性親水性基を有する。イオン性親水性基には、スルホ基、カルボキシル基、ホスホノ基および４級アンモニウム基等が含まれる。前記イオン性親水性基としては、カルボキシル基、ホスホノ基、およびスルホ基が好ましく、特にカルボキシル基、スルホ基が好ましい。カルボキシル基、ホスホノ基およびスルホ基は塩の状態であってもよく、塩を形成する対イオンの例には、リチウムイオンまたはリチウムイオンを主成分とするアンモニウムイオン、アルカリ金属イオン（例、リチウムイオン、ナトリウムイオン、カリウムイオン）および有機カチオン（例、テトラメチルアンモニウムイオン、テトラメチルグアニジウムイオン、テトラメチルホスホニウム）混合塩が含まれる。対イオンの中でもリチウムイオンまたはリチウムイオンを主成分とするアルカリ金属の混合塩が好ましく、特にリチウム塩は染料の溶解性を高めインク安定性を向上させるため特に好ましい。最も好ましいイオン性親水性基はスルホ基のリチウム塩である。
【０３８０】
イオン性親水性基の数としては、本発明のフタロシアニン染料１分子中少なくとも２個以上有するものが好ましく、特にスルホ基および／またはカルボキシル基を少なくとも２個以上有するものが特に好ましい。
【０３８１】
Ｍとして好ましい物は、水素原子、金属原子としては、Li、Na、Ｋ、Mg、Ti、Zr、Ｖ、Nb、Ta、Cr、Mo、Ｗ、Mn、Fe、Co、Ni、Ru、Rh、Pd、Os、Ir、Pt、Cu、Ag、Au、Zn、Cd、Hg、Al、Ga、In、Si、Ge、Sn、Pb、Sb、Bi等が挙げられる。酸化物としては、VO、GeO等が挙げられる。また、水酸化物としては、Si（OH）2Cr（OH）2、Sn（OH）2等が挙げられる。さらに、ハロゲン化物としては、AlCl、SiCl2、VCl、VCl2、VOCl、FeCl、GaCl、ZrCl等が挙げられる。
なかでも特に、Ｃｕ、Ｎｉ、Ｚｎ、Ａｌ等が好ましく、Ｃｕが最も好ましい。
【０３８２】
また、Ｌ（２価の連結基）を介してＰｃ（フタロシアニン環）が２量体（例えば、Ｐｃ−Ｍ−Ｌ-Ｍ−Ｐｃ）または３量体を形成してもよく、その時のＭはそれぞれ同一であっても異なるものであってもよい。
Ｌで表される２価の連結基は、オキシ基−Ｏ−、チオ基−Ｓ−、カルボニル基−ＣＯ−、スルホニル基−ＳＯ2−、イミノ基−ＮＨ−、メチレン基−ＣＨ2−、およびこれらを組み合わせて形成される基が好ましい。
【０３８３】
本発明のフタロシアニン染料の化学構造としては、スルフィニル基（−ＳＯ−Ｚ）；スルホニル基（−ＳＯ2−Ｚ）；スルファモイル基（−ＳＯ2ＮＶ1Ｖ2）；カルバモイル基（−ＣＯＮＶ1Ｖ2）；アルコキシカルボニル基、アリールオキシカルボニル基、ヘテロ環オキシカルボニル基（−ＣＯ2Ｚ）；アシル基（−ＣＯ−Ｚ）；スルホ基のような電子求引性基を、本発明のフタロシアニンの各ベンゼン環に少なくとも一つずつ、フタロシアニン骨格全体の置換基のσｐ値の合計で1.2以上となるように導入することが特に好ましい。その中でも、スルフィニル基（−ＳＯ−Ｚ）；スルホニル基（−ＳＯ2−Ｚ）；スルファモイル基（−ＳＯ2ＮＶ1Ｖ2）が好ましく、更にスルホニル基（−ＳＯ２−Ｚ）；スルファモイル基（−ＳＯ2ＮＶ1Ｖ2）が好ましく、スルホニル基（−ＳＯ2−Ｚ）が最も好ましい。
【０３８４】
ハメットの置換基定数σｐ値について若干説明する。ハメット則は、ベンゼン誘導体の反応又は平衡に及ぼす置換基の影響を定量的に論ずるために１９３５年Ｌ．Ｐ．Ｈａｍｍｅｔｔにより提唱された経験則であるが、これは今日広く妥当性が認められている。ハメット則に求められた置換基定数にはσｐ値とσｍ値があり、これらの値は多くの一般的な成書に見出すことができるが、例えば、Ｊ．Ａ．Ｄｅａｎ編、「Ｌａｎｇｅ'ｓ  Ｈａｎｄｂｏｏｋ  ｏｆ  Ｃｈｅｍｉｓｔｒｙ」第１２版、１９７９年（Ｍｃ  Ｇｒａｗ−Ｈｉｌｌ）や「化学の領域」増刊、１２２号、９６〜１０３頁、１９７９年（南光堂）に詳しい。
【０３８５】
前記一般式（Ｃ−１）で表される化合物の好ましい置換基の組み合わせについては、種々の置換基の少なくとも1つが前記の好ましい基である化合物が好ましく、より多くの種々の置換基が前記好ましい基である化合物がより好ましく、全ての置換基が前記好ましい基である化合物が最も好ましい。
【０３８６】
本発明において上記一般式（Ｃ−１）で表されるシアンインク組成物に着色剤として用いられるシアン系染料は、好ましくは下記一般式（Ｃ−２）で表される化合物及びその塩からなる群から選ばれる化合物である。
【０３８７】
【化４３】
2009132891.tif 000044
【０３８８】
上記一般式（Ｃ−２）中、Ｒ1、Ｒ2、Ｒ3、Ｒ4、Ｒ5、Ｒ6、Ｒ7、及びＲ8は、それぞれ独立に、水素原子、ハロゲン原子、アルキル基、シクロアルキル基、アルケニル基、アラルキル基、アリール基、ヘテロ環基、シアノ基、ヒドロキシル基、ニトロ基、アミノ基、アルキルアミノ基、アルコキシ基、アリールオキシ基、アミド基、アリールアミノ基、ウレイド基、スルファモイルアミノ基、アルキルチオ基、アリールチオ基、アルコキシカルボニルアミノ基、スルホンアミド基、カルバモイル基、スルファモイル基、スルフィニル基、スルホニル基、アルコキシカルボニル基、ヘテロ環オキシ基、アゾ基、アシルオキシ基、カルバモイルオキシ基、シリルオキシ基、アリールオキシカルボニル基、アリールオキシカルボニルアミノ基、イミド基、ヘテロ環チオ基、ホスホリル基、アシル基またはイオン性親水性基を表す。これらの基は、さらに置換基を有していてもよい。
【０３８９】
Ｚ1、Ｚ2、Ｚ3、及びＺ4は、それぞれ独立に、置換もしくは無置換のアルキル基、置換もしくは無置換のシクロアルキル基、置換もしくは無置換のアルケニル基、置換もしくは無置換のアルキニル基、置換もしくは無置換のアラルキル基、置換もしくは無置換のアリール基、置換もしくは無置換のヘテロ環基を表す。但し、Ｚ1、Ｚ2、Ｚ3、及びＺ4のうち少なくとも一つのイオン性親水性基を有し、該イオン性親水性基の対イオンがリチウムイオンを含む。
ｌ、ｍ、ｎ、ｐ、ｑ1、ｑ2、ｑ3、ｑ4は、それぞれ独立に、１または２の整数を表す。
Ｍは、一般式（Ｃ−１）の場合と同義である。
【０３９０】
本発明においては、上記一般式（Ｃ−２）中、ｌ、ｍ、ｎ、及びｐは、それぞれ独立に、１または２の整数であり、その中でもｌ、ｍ、ｎ、及びｐのうち２つ以上が１であるのが好ましく、ｌ＝ｍ＝ｎ＝ｐ＝１が最も好ましい。
上記一般式（Ｃ−２）中、ｑ1、ｑ2、ｑ3、及びｑ4は、それぞれ独立に、１または２の整数であり、その中でもｑ1、ｑ2、ｑ3、及びｑ4のうち２つ以上が２であるのが好ましく、ｑ1＝ｑ2＝ｑ3＝ｑ4＝２が最も好ましい。
【０３９１】
上記一般式（Ｃ−２）中、Ｚ1、Ｚ2、Ｚ3、及びＺ4は、それぞれ独立に、置換もしくは無置換のアルキル基、置換もしくは無置換のシクロアルキル基、置換もしくは無置換のアルケニル基、置換もしくは無置換のアルキニル基、置換もしくは無置換のアラルキル基、置換もしくは無置換のアリール基、置換もしくは無置換のヘテロ環基を表し、好ましくは、置換もしくは無置換のアルキル基、置換もしくは無置換のアリール基、置換もしくは無置換のヘテロ環基であり、その中でも置換アルキル基、置換アリール基、置換ヘテロ環基が好ましく、特に置換アルキル基が最も好ましい。但し、Ｚ1、Ｚ2、Ｚ3、及びＺ4のうち少なくとも１つは、イオン性親水性基を置換基として有する。
【０３９２】
上記一般式（Ｃ−２）中、Ｒ1、Ｒ2、Ｒ3、Ｒ4、Ｒ5、Ｒ6、Ｒ7、及びＲ8は、それぞれ独立に、水素原子、ハロゲン原子、アルキル基、シクロアルキル基、アルケニル基、アラルキル基、アリール基、ヘテロ環基、シアノ基、ヒドロキシル基、ニトロ基、アミノ基、アルキルアミノ基、アルコキシ基、アリールオキシ基、アミド基、アリールアミノ基、ウレイド基、スルファモイルアミノ基、アルキルチオ基、アリールチオ基、アルコキシカルボニルアミノ基、スルホンアミド基、カルバモイル基、スルファモイル基、スルフィニル基、スルホニル基、アルコキシカルボニル基、ヘテロ環オキシ基、アゾ基、アシルオキシ基、カルバモイルオキシ基、シリルオキシ基、アリールオキシカルボニル基、アリールオキシカルボニルアミノ基、イミド基、ヘテロ環チオ基、ホスホリル基、アシル基またはイオン性親水性基を表す。その中でも、水素原子、ハロゲン原子、アルキル基、アリール基、ヘテロ環基、シアノ基、ヒドロキシル基、ニトロ基、カルバモイル基、スルファモイル基、スルフィニル基、スルホニル基、アルコキシカルボニル基、アリールオキシカルボニル基、ホスホリル基、アシル基またはイオン性親水性基が好ましく、更に水素原子、ハロゲン原子、シアノ基、ヒドロキシル基、スルファモイル基、スルフィニル基、スルホニル基、イオン性親水性基が好ましく、特に水素原子が最も好ましい。
【０３９３】
上記一般式（Ｃ−２）中、Ｍは上記一般式中（Ｃ−１）中のＭと同義であり好ましい例も同じである。
前記一般式（Ｃ−２）で表される化合物の好ましい置換基の組み合わせについては、種々の置換基の少なくとも1つが前記の好ましい基である化合物が好ましく、より多くの種々の置換基が前記好ましい基である化合物がより好ましく、全ての置換基が前記好ましい基である化合物が最も好ましい。
【０３９４】
本発明において上記一般式（Ｃ−２）で表されるシアンインク組成物に着色剤として用いられるシアン系染料は、好ましくは下記一般式（Ｃ−３）で表される化合物及びその塩からなる群から選ばれる化合物である。：
【０３９５】
【化４４】
2009132891.tif 000045
【０３９６】
一般式（Ｃ−３）中、Ｚ1、Ｚ2、Ｚ3、Ｚ4、ｌ、ｍ、ｎ、ｐ及びＭは、一般式（Ｃ−２）中のＺ1、Ｚ2、Ｚ3、Ｚ4、ｌ、ｍ、ｎ、ｐ及びＭと同義である。
【０３９７】
本発明においては、上記一般式（Ｃ−３）中、ｌ、ｍ、ｎ、及びｐは、それぞれ独立に、１または２の整数であり、その中でもｌ、ｍ、ｎ、及びｐのうち２つ以上が１であるのが好ましく、ｌ＝ｍ＝ｎ＝ｐ＝１が最も好ましい。
上記一般式（Ｃ−３）中、Ｚ1、Ｚ2、Ｚ3、及びＺ4は、それぞれ独立に、置換もしくは無置換のアルキル基、置換もしくは無置換のシクロアルキル基、置換もしくは無置換のアルケニル基、置換もしくは無置換のアルキニル基、置換もしくは無置換のアラルキル基、置換もしくは無置換のアリール基、置換もしくは無置換のヘテロ環基を表し、好ましくは、置換もしくは無置換のアルキル基、置換もしくは無置換のアリール基、置換もしくは無置換のヘテロ環基であり、その中でも置換アルキル基、置換アリール基、置換ヘテロ環基が好ましく、特に置換アルキル基が最も好ましい。
【０３９８】
更に詳しくは、Ｚ1、Ｚ2、Ｚ3、及びＺ4は、それぞれ独立に、Ｚ11（前記Ｚ11は、−（ＣＨ2）3ＳＯ3Ｍ2を表し、ここでＭ2はアルカリ金属原子を表す。）及び／又はＺ12（前記Ｚ12は、−（ＣＨ2）3ＳＯ2ＮＨＣＨ2ＣＨ（ＯＨ）ＣＨ3を表す。）であり、特に前記一般式（Ｃ−３）で表されるシアン染料全体に含まれる前記Ｚ11及び前記Ｚ12のモル比が、Ｚ11／Ｚ12＝４／０、３／１、２／２、１／３なる染料混合物が好ましく、その中でもＺ11／Ｚ12＝３／１を主成分となる染料混合物、およびまたはＺ11／Ｚ12＝２／２を主成分となる染料混合物が最も好ましい。但し、Ｚ1、Ｚ2、Ｚ3、及びＺ4のうち少なくとも一つのイオン性親水性基を有し、該イオン性親水性基の対イオンがリチウムイオンを含む。
【０３９９】
前記Ｚ11で表される−（ＣＨ2）3ＳＯ3Ｍ2中、Ｍ2はリチウムイオンまたはリチウムイオンを主成分とするアルカリ金属原子の混合塩が好ましく、その中でもリチウムイオンまたはリチウムイオンを主成分とするナトリウムイオン、カリウムイオンの混合塩が好ましく、特にリチウムイオンが最も好ましい。
【０４００】
上記一般式（Ｃ−３）中、Ｍは上記一般式中（Ｃ−２）中のＭと同義であり好ましい例も同じである。
【０４０１】
前記一般式（Ｃ−３）で表される化合物の好ましい置換基の組み合わせについては、種々の置換基の少なくとも1つが前記の好ましい基である化合物が好ましく、より多くの種々の置換基が前記好ましい基である化合物がより好ましく、全ての置換基が前記好ましい基である化合物が最も好ましい。
前記一般式（Ｃ−１）、（Ｃ−２）、（Ｃ−３）で表されるシアン着色剤を用いたシアンインク組成物中の遊離銅イオン濃度は、インクの経時溶解性（インク中に遊離の銅イオン由来の析出物生成を抑制）の観点から２０ｐｐｍ以下が好ましく、更に１５ｐｐｍ以下が好ましく、その中でも１０ｐｐｍ以下が特に好ましく、５ｐｐｍ以下が最も好ましい。
【０４０２】
本発明において、シアンインク組成物中に含まれるシアン系染料の含有量は、式（Ｃ−１）におけるＸ1〜Ｘ4及びＹ1〜Ｙ4の種類、及びインク組成物を製造するために用いる溶媒成分の種類等により決められるが、本発明においては、式（Ｃ−１）で表されるシアン系染料（式（Ｃ−１）の染料）の合計量が、シアンインク組成物中に、シアンインク組成物の総重量に対して１〜１０重量％含まれることが好ましく、２〜６重量％含まれることがさらに好ましい。
シアンインク組成物中に含まれる式（Ｃ−１）の染料の合計量を１重量％以上にすることで、印刷したときの記録媒体上におけるインクの発色性を良好にでき、かつ必要とされる画像濃度を確保できる。また、シアンインク組成物中に含まれる式（Ｃ−１）の染料の合計量を１０重量％以下にすることで、インクジェット記録方法に用いた場合にシアンインク組成物の吐出性を良好にでき、しかもインクジェットノズルが目詰まりしにくい等の効果が得られる。
【０４０３】
本発明のインクセットにおいては、シアンインク組成物として色濃度の高いシアンインク組成物（濃シアンインク組成物）及び色濃度の低いシアンインク組成物（淡シアンインク組成物）をインクセットに含めることができる。
濃シアンインク組成物及び淡シアンインク組成物を本発明のインクセットに含める場合、濃シアンインク組成物又は淡シアンインク組成物の少なくとも一つが前記一般式（Ｃ−１）、（Ｃ−２）、（Ｃ−３）の染料の少なくとも一種を着色剤として含むことが好ましい。
【０４０４】
前記色濃度の異なる二種のシアンインク組成物のうち、低い色濃度を有するシアンインク組成物が、前記一般式（Ｃ−２）で表される化合物及びその塩からなる群から選ばれる少なくとも一種において、Ｚ1、Ｚ2、Ｚ3、及びＺ4がそれぞれ独立してＺ11（前記Ｚ11は、−（ＣＨ2）3ＳＯ3Ｍ2を表し、ここでＭ2はアルカリ金属原子を表す。）及び／又はＺ12（前記Ｚ12は、−（ＣＨ2）3ＳＯ2ＮＨＣＨ2ＣＨ（ＯＨ）ＣＨ3を表す。）から選ばれた混合物であることが好ましく、特に前記一般式（Ｃ−３）で表されるシアン染料全体に含まれる前記Ｚ11及び前記Ｚ12のモル比が、Ｚ11／Ｚ12＝４／０、３／１、２／２、１／３なる染料混合物が好ましく、その中でもＺ11／Ｚ12＝２／２を主成分となる染料混合物が最も好ましい。
【０４０５】
一方、前記色濃度の異なる二種のシアンインク組成物のうち、低い色濃度を有するシアンインク組成物が、下記一般式（Ｃ−４）で表される化合物及びその塩からなる群から選ばれる化合物を少なくとも一種含むことも好ましい。
【０４０６】
【化４５】
2009132891.tif 000046
【０４０７】
一般式（Ｃ−４）中、Ｑ1〜Ｑ4、Ｐ1〜Ｐ4、Ｗ1〜Ｗ4、Ｒ1〜Ｒ4は、それぞれ独立に、
（＝Ｃ（Ｊ1）−及びまたは−Ｎ＝）、（＝Ｃ（Ｊ2）−及びまたは−Ｎ＝）、（＝Ｃ（Ｊ3）−及びまたは−Ｎ＝）、（＝Ｃ（Ｊ4）−及びまたは−Ｎ＝）を表す。Ｊ1〜Ｊ4はそれぞれ独立に、水素原子及びまたは置換基を表す。（Ｑ1、Ｐ1、Ｗ1、Ｒ1）、（Ｑ2、Ｐ2、Ｗ2、Ｒ2）、（Ｑ3、Ｐ3、Ｗ3、Ｒ3）、（Ｑ4、Ｐ4、Ｗ4、Ｒ4）から成る環｛Ａ環：（Ａ）、Ｂ環：（Ｂ）、Ｃ環：（Ｃ）、Ｄ環：（Ｄ）｝の４つのうち、少なくとも１つはヘテロ環である。但し、上記一般式（Ｃ−４）で表される化合物及びその塩は少なくとも１つのイオン性親水性基を置換基として有し、該イオン性親水性基の対イオンがリチウムイオンを含む。
【０４０８】
更に詳しくは、上記一般式（Ｃ−４）で表されるシアンインク組成物において、（Ｑ1、Ｐ1、Ｗ1、Ｒ1）、（Ｑ2、Ｐ2、Ｗ2、Ｒ2）、（Ｑ3、Ｐ3、Ｗ3、Ｒ3）、（Ｑ4、Ｐ4、Ｗ4、Ｒ4）から成る環｛Ａ環：（Ａ）、Ｂ環：（Ｂ）、Ｃ環：（Ｃ）、Ｄ環：（Ｄ）｝の４つのうち、少なくとも１つのヘテロ環が含窒素ヘテロ環であるであることが好ましく、その中でもヘテロ環がピリジン環、ピラジン環、ピリミジン環、ピリダジン環が好ましく、更にヘテロ環がピリジン環、ピラジン環が好ましく、特にピリジン環が最も好ましい。
【０４０９】
更に好ましくは、上記一般式（Ｃ−４）で表されるシアンインク組成物において、（Ｑ1、Ｐ1、Ｗ1、Ｒ1）、（Ｑ2、Ｐ2、Ｗ2、Ｒ2）、（Ｑ3、Ｐ3、Ｗ3、Ｒ3）、（Ｑ4、Ｐ4、Ｗ4、Ｒ4）から成る環｛Ａ環：（Ａ）、Ｂ環：（Ｂ）、Ｃ環：（Ｃ）、Ｄ環：（Ｄ）｝の４つのうち、芳香族環を表す場合に、下記一般式（Ｉ）であることが好ましい。
【０４１０】
【化４６】
2009132891.tif 000047
【０４１１】
一般式（Ｉ）中、＊はフタロシアニン骨格との結合位置を表す。Ｇは−ＳＯ−Ｚ1、−ＳＯ2−Ｚ1、−ＳＯ2ＮＺ2Ｚ3、−ＣＯＮＺ2Ｚ3、−ＣＯ2Ｚ1、−ＣＯＺ1、またはスルホ基を表す。ｔは、１〜４の整数を表す。
【０４１２】
Ｚ1は、同一または異なっていても良く、置換もしくは無置換のアルキル基、置換もしくは無置換のシクロアルキル基、置換もしくは無置換のアルケニル基、置換もしくは無置換のアルキニル基、置換もしくは無置換のアラルキル基、置換もしくは無置換のアリール基、置換もしくは無置換のヘテロ環基を表す。
上記一般式（Ｉ）中好ましいＺ1は、置換もしくは無置換のアルキル基、置換もしくは無置換のアリール基、置換もしくは無置換のヘテロ環基が挙げられ、その中でも置換のアルキル基、置換のアリール基が好ましく、特に置換のアルキル基が最も好ましい。
【０４１３】
Ｚ2、Ｚ3は、同一または異なっていてもよく、水素原子、置換もしくは無置換のアルキル基、置換もしくは無置換のシクロアルキル基、置換もしくは無置換のアルケニル基、置換もしくは無置換のアルキニル基、置換もしくは無置換のアラルキル基、置換もしくは無置換のアリール基、置換もしくは無置換のヘテロ環基を表す。
上記一般式（Ｉ）中好ましいＺ1、Ｚ2は、それぞれ独立に水素原子、置換もしくは無置換のアルキル基、置換もしくは無置換のアリール基、置換もしくは無置換のヘテロ環基が挙げられ、その中でも水素原子、置換のアルキル基、置換のアリール基が好ましく、特にＺ1、Ｚ2の一方が水素原子を表し、他方が置換のアルキル基、置換のアリール基を表す場合が最も好ましい。
【０４１４】
上記一般式（Ｉ）中、好ましいＧは−ＳＯ−Ｚ1、−ＳＯ2−Ｚ1、−ＳＯ2ＮＺ2Ｚ3 、−ＣＯＮＺ2Ｚ3、−ＣＯ2Ｚ1、−ＣＯＺ1が挙げられ、その中でも−ＳＯ−Ｚ1、−ＳＯ2−Ｚ1、−ＳＯ2ＮＺ2Ｚ3が好ましく、特に−ＳＯ2−Ｚ1が最も好ましい。
上記一般式（Ｉ）中好ましいｔは、１〜３の整数を表し、その中でも１〜２の整数が好ましく、特にｔ＝１が最も好ましい。
【０４１５】
更に詳しくは、上記一般式（Ｃ−４）で表されるシアンインク組成物において、Ａ環、Ｂ環、Ｃ環、Ｄ環の任意の環が芳香族環である場合には、少なくとも１つの芳香族環が下記一般式（ＩＩ）であることが好ましい。
【０４１６】
【化４７】
2009132891.tif 000048
【０４１７】
一般式（ＩＩ）中、＊はフタロシアニン骨格との結合位置を表す。
上記一般式（ＩＩ）中Ｇは、上記一般式（Ｉ）と同義であり、好ましい例も同じである。  上記一般式（ＩＩ）中ｔ1は、１または２であり、特にｔ1＝１が好ましい。
【０４１８】
濃シアンインク組成物及び淡シアンインク組成物の両者が前記一般式（Ｃ−１）、（Ｃ−２）、（Ｃ−３）、（Ｃ−４）の染料の少なくとも一種を着色剤として含むことが特に好ましい。
本発明のインクセットは、前記色濃度の異なる二種のシアンインク組成物のうち、高い色濃度を有するシアンインク組成物が、前記一般式（Ｃ−２）で表される化合物及びその塩からなる群から選ばれる少なくとも一種において、Ｚ1、Ｚ2、Ｚ3、及びＺ4がそれぞれ独立して前記Ｚ11又は前記Ｚ12から選ばれた混合物であり、かつ前記一般式（Ｃ−３）で表されるシアン染料全体に含まれる前記Ｚ11及び前記Ｚ12のモル比が、Ｚ11／Ｚ12＝３／１であるシアン染料を主成分とする染料混合物であることが好ましい。
上記のとおり、インクセットに濃シアンインク組成物及び淡シアンインク組成物を含める場合、淡シアンインク組成物中の着色剤の濃度は、着色剤として用いられる染料の種類に応じて、淡シアンインク組成物を濃シアンインク組成物と組み合わせたときに好ましいカラーバランスを有するよう適宜決定することができる。
【０４１９】
一般には、淡シアンインク組成物中に、前記一般式（Ｃ−１）、（Ｃ−２）、（Ｃ−３）の染料から選ばれた着色剤の合計量が、淡シアンインク組成物の総重量に対して０．４〜３．０重量％含有されることが好ましく、更に０．５〜２．５重量％含有されることが好ましく、特に１．０〜２．５重量％含有されることが好ましく、その中でも特に１．０〜２．０重量％含有されることが好ましい。
【０４２０】
淡シアンインク組成物中の着色剤の濃度を０．４重量％以上にすることにより、発色性を優れたものにすることができ、かつ着色剤の濃度を３．０重量％以下にすることによって、その淡シアンインク組成物を用いて記録された画像の粒状感を低下させることができる。
【０４２１】
一方、濃シアンインク組成物中には、前記一般式（Ｃ−１）、（Ｃ−２）、（Ｃ−３）の染料から選ばれた着色剤の合計量が、濃シアンインク組成物の総重量に対して、２．０〜１２．０重量％含まれることが好ましく、更に２．０〜１０．０重量％含有されることが好ましく、特に２．０〜６．０重量％含有されることが好ましく、その中でも特に２．５〜５．５重量％含有されることが好ましい。
【０４２２】
さらに、淡シアンインク組成物中に含まれる着色剤の濃度（重量％）と濃シアンインク組成物中に含まれる着色剤の濃度（重量％）との比が、１：２〜１：８にすることが好ましく、更に１：２〜１：５が好ましく、その中でも特に１：２〜１：３が好ましい。
【０４２３】
このような条件を満足させることによって、淡シアンインク組成物と濃シアンインク組成物との間に良好なカラーバランスが実現され、しかも、インクジェットノズルが目詰まりすることを防止することができる。
【０４２４】
一方、本発明においてシアンインク組成物中に含まれる、インク単位重量あたりのリチウムイオンのモル数は、着色剤として用いられる化合物（染料）の分子量、イオン性親水性基の数、使用する固形分濃度にしたがって適宜決定することができるが、５．０×１０-6ｍｏｌ／ｇ〜１．０×１０-3ｍｏｌ／ｇ含有することが好ましく、更に３．０×１０-5ｍｏｌ／ｇ〜８．５×１０-4ｍｏｌ／ｇ含有することが好ましく、特に５．０×１０-5ｍｏｌ／ｇ〜５．０×１０-4ｍｏｌ／ｇ含有することが好ましく、その中でも５．０×１０-5ｍｏｌ／ｇ〜４．０×１０-4ｍｏｌ／ｇ含有することが最も好まししい。
【０４２５】
上述したとおり、本発明のインクセットにおけるシアンインク組成物、又は濃シアンインク組成物及び淡シアンインク組成物においては、インクの色調の調整等のため、耐光性・耐オゾン性を大きく損ねない範囲で、例えば下記一般式（Ｃ−５）で表される染料または染料混合物に代表させる、他のシアン系染料を併用することができる。
【０４２６】
【化４８】
2009132891.tif 000049
【０４２７】
Ｒ1、Ｒ2はそれぞれ独立に水素原子または一価の置換基を表す。一価の置換基は更に置換基を有していてもよい。ａは０〜５の整数を表す。ｂは０〜５の整数を表す。ｃは０〜５の整数を表す。
【０４２８】
更に、本発明に用いる他のシアン系染料としては、例えば、Ｃ．Ｉ．ダイレクトブルー１，１０，１５，２２，２５，５５，６７，６８，７１，７６，７７，７８，８０，８４，８６，８７，９０，９８，１０６，１０８，１０９，１５１，１５６，１５８，１５９，１６０，１６８，１８９，１９２，１９３，１９４，１９９，２００，２０１，２０２，２０３，２０７，２１１，２１３，２１４，２１８，２２５，２２９，２３６，２３７，２４４，２４８，２４９，２５１，２５２，２６４，２７０，２８０，２８８，２８９，２９１、Ｃ．Ｉ．アシッドブルー９，２５，４０，４１，６２，７２，７６，７８，８０，８２，９２，１０６，１１２，１１３，１２０，１２７：１，１２９，１３８，１４３，１７５，１８１，２０５，２０７，２２０，２２１，２３０，２３２，２４７，２５８，２６０，２６４，２７１，２７７，２７８，２７９，２８０，２８８，２９０，３２６、Ｃ．Ｉ．リアクティブブルー２，３，５，８，１０，１３，１４，１５，１７，１８，１９，２１，２５，２６，２７，２８，２９，３８、Ｃ．Ｉ．ベーシックブルー１，３，５，７，９，２２，２６，４１，４５，４６，４７，５４，５７，６０，６２，６５，６６，６９，７１等を挙げることができるが、これらに限定されない。
本発明に用いられる上記一般式（Ｃ−１）〜（Ｃ−５）で表される化合物は、例えば、特開２００２−３０２６２３号公報、特開２００５−１７９４６９号公報、特開２００６−１２４６７９号公報に記載の方法を用いて合成することができる。
【０４２９】
次に本発明のインクセットを構成するブラックインク組成物に用いる着色剤について説明する。
本発明のインクセットにおいて、ブラックインク組成物に用いられる着色剤は特定構造の着色剤に限定されるものではないが、他色のインク組成物の耐光性・耐オゾン性とブラックインク組成物の耐光性・耐オゾン性との間の差が小さいことが好ましい。
本発明のインクセットは所望によりブラックインク組成物を含んで構成することができる。
本発明のインクセットにブラックインク組成物を含めることにより、良好なコントラストを有する画像を記録媒体上に形成することができる。更には単色部分及び混色部分のブロンズ光沢現象が発生しない良好な画像を形成することができる。
【０４３０】
本発明においてブラックインク組成物に用いられるブラックインク用着色剤としては、例えば特開２００５−１３９４２７号公報、特開２００５−１４６２４４号公報に記載のブラックインク用着色剤を挙げることができる。該ブラックインク用着色剤は少なくとも一つのイオン性親水性基を有し、該イオン性親水性基の対イオンがリチウムイオンを含み、該ブラックインク組成物中の全カチオンにおけるリチウムイオン濃度が７０モル％以上であることが好ましい。該リチウムイオン濃度はより好ましくは８０モル％以上、更に好ましくは９０モル％であり、特に好ましくは９５モル％であり、上限としては１００モル％が好ましい。
【０４３１】
本発明においてブラックインク組成物中に含まれる着色剤の濃度は、着色剤として用いられる化合物（染料）のカラーバリューにしたがって適宜決定することができるが、一般的には、着色剤の合計量はブラックインク組成物中に、ブラックインク組成物の総重量に対して１．０〜１２．０質量％含有されることが好ましく、更に２．０〜１０．０質量％含有されることが好ましく、特に３．０〜１０．０質量％含有されることが好ましく、その中でも特に５．０〜８．０質量％含有されることが好ましい。
【０４３２】
ブラックインク組成物中に含まれる前記着色剤の合計量の濃度を１．０質量％以上にすることによって良好な発色性を得ることができ、また前記着色剤の合計量の濃度を１２．０質量％以下にすることによって、インクジェット記録方法に用いるためのインク組成物として必要とされるノズルからの吐出性等の特性を良好なものにし、インクノズルの目詰まりを防止することができる。
【０４３３】
一方、本発明においてブラックインク組成物中に含まれる、インク単位重量あたりのリチウムイオンのモル数は、着色剤として用いられる化合物（染料）の分子量、イオン性親水性基の数、使用する固形分濃度にしたがって適宜決定することができるが、５．０×１０-5ｍｏｌ／ｇ〜１．０×１０-3ｍｏｌ／ｇ含有することが好ましく、更に８．０×１０-5ｍｏｌ／ｇ〜９．０×１０-4ｍｏｌ／ｇ含有することが好ましく、特に１．０×１０-4ｍｏｌ／ｇ〜６．０×１０-4ｍｏｌ／ｇ含有することが好ましく、その中でも２．０×１０-ｍｏｌ／ｇ〜５．０×１０-4ｍｏｌ／ｇ含有することが最も好まししい。
【０４３４】
以上本発明における各インク組成物に用いる着色剤及びインク組成物中における着色剤の含有量について説明したが、以下、各インク組成物に含まれる他の成分について説明する。
【０４３５】
本発明における各インク組成物は、上述した着色剤（染料）を適当な溶媒に溶解して得ることができる。上記各インク組成物において着色剤を溶解するための溶媒としては、水、又は水と水溶性有機溶剤との混合液を主溶媒として用いることが好ましい。水としては、イオン交換水、限外濾過水、逆浸透水、蒸留水等を用いることができる。また、長期保存の観点から、紫外線照射や過酸化水素添加などの各種化学滅菌処理を施した水を用いることが好ましい。本発明のインクセットを構成する各インク組成物における水の含有量は、インク組成物の４０〜９０質量％であることが好ましく、５０〜８０質量％であることがさらに好ましい。
本発明における各インク組成物は、上述のとおり、溶媒として水とともに水溶性有機溶剤を用いることができる。この水溶性有機溶剤としては、染料を溶解する能力を有するものが好ましく、かつ蒸気圧が純水よりも小さいものが好ましい。
【０４３６】
本発明において用いる水溶性有機溶剤としては、例えば、エチレングリコール、プロピレングリコール、ブタンジオール、ペンタンジオール、２−ブテン−１，４−ジオール、２−メチル−２，４−ペンタンジオール、グリセリン、１，２，６−ヘキサントリオール、ジエチレングリコール、トリエチレングリコール、ジプロピレングリコール等の多価アルコール類、アセトニルアセトン等のケトン類、γ−ブチロラクトン、リン酸トリエチル等のエステル類、フルフリルアルコール、テトラヒドロフルフリルアルコール、チオジグリコール等が好ましいが、これらに限定されるものではない。水とともに水溶性有機溶剤をインク組成物の溶媒として用いることによって、インクヘッドからのインク組成物の吐出安定性を向上させること、及び他の特性をほとんど変化させずにインク組成物の粘度を下げる等の調節を容易に行うことができる。
【０４３７】
また、糖類から選ばれる少なくとも一種の保湿剤を、本発明の各インク組成物に含有させることができる。インク組成物に保湿剤を含有させることにより、インクジェット記録方法にインク組成物を用いた場合、インクからの水分の蒸発を抑制してインクを保湿することができる。本発明に用いる糖類としては、マルチトール、ソルビトール、グルコノラクトン、マルトース等が好ましい。なお、上述した水溶性有機溶剤も保湿剤として働く場合がある。
上記水溶性有機溶剤及び／又は保湿剤は合計で、インク組成物中に５〜５０質量％、さらに好ましくは５〜３０質量％、特に好ましくは５〜２０質量％含有させることができる。これらの含有量を５質量％以上にすることによって良好なインクの保湿性が得られ、かつ５０質量％以下にすることによって、インク組成物の粘度をインクジェット記録方法に用いるための好ましい粘度に調整することができる。
本発明のインクセットは、各色インク組成物中に必要に応じてベタイン化合物を含有することが好ましく、その中でも、特に油溶性基を有するベタイン型界面活性剤であることが好ましい。本発明に好ましく用いられるベタイン化合物としては、例えば特開２００４−２８５２６９号公報、特開２００７−号１３８１２４号公報に記載のベタイン化合物を挙げることができる。
【０４３８】
本発明のインクセットを構成するインク組成物に添加するその他の好ましい添加剤について以下に説明する。
本発明のインクセットを構成するインク組成物には、ノニオン系界面活性剤を含有させることが好ましい。ノニオン系界面活性剤を添加することによって、インク組成物の記録媒体への浸透性が優れたものになり、印刷時にインク組成物が記録媒体上に速やかに定着されうる。さらに記録媒体上にインク組成物によって記録された１つのドットができるだけ真円に近いことが好ましいが、ノニオン系界面活性剤をインク組成物中に含有させることにより、１ドットによって形成される像の真円度を高めることができ、得られる画像の画質を向上できるという効果が得られる。
本発明に好ましく用いられる各種添加剤としては、例えば特開２００５−１０５２６１号公報に記載の添加剤を挙げることができる。
【０４３９】
本発明のインクセットを構成するインク組成物は、上述した成分から適宜選ばれた成分を含んで調製されるが、得られるインク組成物の粘度が２０℃において１０ｍＰａ・ｓ未満であることが好ましい。さらに、本発明においてはインク組成物の表面張力を２０℃において４５ｍＮ／ｍ以下にすることが好ましく、２５〜４５ｍＮ／ｍの範囲にすることが特に好ましい。粘度及び表面張力をこのように調整することによって、インクジェット記録方法に用いるために好ましい特性を有するインク組成物を得ることができる。この粘度及び表面張力の調整は、インク組成物に含有させる溶剤及び各種添加剤の添加量、並びにそれらの種類等を適宜調節及び選択することによって行うことができる。
【０４４０】
なお、本発明のインクセットを構成するインク組成物は、そのｐＨが２０℃において７．０〜１０．５であることが好ましく、７．５〜１０．０であることがさらに好ましい。２０℃におけるインク組成物のｐＨを７．０以上にすることによってインクジェットヘッドの共析メッキが剥離することを防止することができ、かつインクジェットヘッドからのインク組成物の吐出特性を安定化することができる。また、インク組成物のｐＨを２０℃において１０．５以下にすることによって、インク組成物が接触する各種の部材、例えばインクカートリッジやインクジェットヘッドを構成する部材が劣化されることを防ぐことができる。
【０４４１】
本発明におけるインク組成物の調製方法としては、例えば、インク組成物に含有される各種成分を充分に混合してできるだけ均一に溶解した後、孔径０. ８μm のメンブランフィルターで加圧濾過し、さらに得られた溶液を真空ポンプを用いて脱気処理して調製する方法が例示できるが、これに限定されない。
【０４４２】
次に、本発明におけるインクカートリッジは、インクセットを一体的に又は独立に収容したことを特徴とする。一体的に若しくは独立に収容したインクカートリッジは、取り扱いが便利である点等からも好ましい。インクセットを含んで構成されるインクカートリッジは当技術分野において公知であり、公知の方法を適宜用いてインクカートリッジにすることができる。
本発明のインクセット又はインクカートリッジは一般の筆記具用、記録計用、ペンプロッター用等に使用することができるが、インクジェット記録方法に用いることが特に好ましい。
【０４４３】
インクジェット記録方法はインクセットを構成するインクを吐出させることによって記録することを特徴とする。
本発明のインクセット又はインクカートリッジを用いることができるインクジェット記録方法は、インク組成物を細いノズルから液滴として吐出させ、その液滴を記録媒体に付着させるいかなる記録方法も含む。本発明のインク組成物を用いることができるインクジェット記録方法の具体例を以下に説明する。
【０４４４】
第一の方法は静電吸引方式とよばれる方法である。静電吸引方式は、ノズルとノズルの前方に配置された加速電極との間に強電界を印加し、ノズルから液滴状のインクを連続的に噴射させ、そのインク滴が偏向電極間を通過する間に印刷情報信号を偏向電極に与えることによって、インク滴を記録媒体上に向けて飛ばしてインクを記録媒体上に定着させて画像を記録する方法、又は、インク滴を偏向させずに、印刷情報信号に従ってインク滴をノズルから記録媒体上にむけて噴射させることにより画像を記録媒体上に定着させて記録する方法である。本発明のインクセット又はインクカートリッジはこの静電吸引方式による記録方法に用いることが好ましい。
第二の方法は、小型ポンプによってインク液に圧力を加えるとともに、インクジェットノズルを水晶振動子等によって機械的に振動させることによって、強制的にノズルからインク滴を噴射させる方法である。ノズルから噴射されたインク滴は、噴射されると同時に帯電され、このインク滴が偏向電極間を通過する間に印刷情報信号を偏向電極に与えてインク滴を記録媒体に向かって飛ばすことにより、記録媒体上に画像を記録する方法である。本発明のインクセット又はインクカートリッジはこの記録方法に用いることが好ましい。
第三の方法は、インク液に圧電素子によって圧力と印刷情報信号を同時に加え、ノズルからインク滴を記録媒体に向けて噴射させ、記録媒体上に画像を記録する方法である。本発明のインクセット又はインクカートリッジはこの記録方法に用いることが好ましい。
第四の方法は、印刷信号情報に従って微小電極を用いてインク液を加熱して発泡させ、この泡を膨張させることによってインク液をノズルから記録媒体に向けて噴射させて記録媒体上に画像を記録する方法である。本発明のインクセット又はインクカートリッジはこの記録方法に用いることが好ましい。
インクジェット記録方法は支持体上に白色無機顔料を含有するインク受容層を有する受像材料上に、画像形成することが好ましい。
【０４４５】
本発明の記録物は上記インクセットを構成するインクで記録される。
本発明のインクセット又はインクカートリッジは、上述した４つの方法を含むインクジェット記録方式による画像記録方法を用いて記録媒体上に画像を記録する場合に用いるインク組成物として特に好ましい。本発明のインクセットを用いて記録された記録物は優れた画質を有し、さらに耐オゾン性に優れている。
【実施例】
【０４４６】
以下に、実施例に基づいて本発明をさらに具体的に説明するが、本発明は以下の実施例に限定されるものではない。
【０４４７】
［合成例１］
色素（ＹＥＬＬＯＷ−１）の合成法を詳細に記述する。
【０４４８】
【化４９】
2009132891.tif 000050
【０４４９】
（１）化合物ｂの合成：
炭酸水素ナトリウム２５．５ｇおよびイオン交換水  １５０ｍＬを４０℃に加温し、塩化シアヌル（東京化成品）２５．０ｇを１０分毎に５分割して添加して１時間攪拌した。その溶液をヒドラジン５２．８ｍＬとイオン交換水４７ｍＬの混液（８℃）に内温が１０℃を超えないように滴下した。内温を５０℃まで昇温し、３０分攪拌した。析出した結晶を濾過し、２３．４ｇの化合物ｂ（ヒドラジン誘導体：ｍ．ｐ．＞３００℃）を得た。収率は９４．７％であった。
【０４５０】
（２）化合物ｃの合成：
化合物ｂ（ヒドラジン誘導体）３５．０ｇをエチレングリコール４２０ｍＬに懸濁し、内温５０℃で攪拌した。濃塩酸５９ｍＬ、続いてピバロイルアセトニトリル（東京化成品）６０．１ｇを添加し、５０℃で１０時間攪拌した。濃塩酸９５ｍＬ、メタノール１４５ｍＬを追添し、更に８時間攪拌した。室温まで冷却後、析出した結晶を濾別し、化合物ｃ（５−アミノピラゾール誘導体：ｍ．ｐ．＝２３３〜２３５℃）を８１．６ｇを得た。収率は９４．２％であった。1Ｈ-ＮＭＲ（ＤＭＳＯ-ｄ６），δ値ＴＭＳ基準：１．２〜１．３（１８Ｈ，ｓ））
【０４５１】
（３）化合物ｅの合成：
化合物ｄ（東京化成品）９０．５７ｇを、Ｈ2Ｏ  ５００ｍｌに懸濁しておき、１３０ｍｌの濃塩酸を注入後内温が５℃以下になるまで冷却した。次に亜硝酸ナトリウム３６．２３ｇと７０ｍｌの水溶液を内温４〜６℃の範囲で滴下し、更に内温５℃以下で３０分間撹拌した。次に、１５９ｇの亜硫酸ナトリウムと６３６ｍｌのＨ2Ｏを内温２０℃以下を保ちながら注入し、更に内温２５℃で２５０ｍｌの濃塩酸を注入し、引き続き内温９０℃で１時間撹拌後、内温を室温が冷却後ろ過、２００ｍｌの水で洗浄し風乾後８０．０ｇの化合物ｅを得た。
【０４５２】
（４）化合物ｆの合成：
化合物ｅ  ２３．３ｇと２０９ｍｌのエタノール懸濁液にトリエチルアミン２８ｍｌを室温で滴下後１２．２ｇのエトキシメチレンマロノニトリル（ＡＬＤＲＩＣＨ品）を分割添加し、３時間還流し室温まで冷却後ろ過、４００ｍｌのイソプロピルアルコールで洗浄し乾燥後２３．５７ｇの化合物ｆを得た。
【０４５３】
（５）ＹＥＬＬＯＷ−１の合成：
内温４℃以下で硫酸３２．４ｍＬに酢酸１４５．５６ｍＬを注入し、引き続き内温７℃以下で撹拌しながら４０％ニトロシル硫酸１５．９ｍＬ（ＡＬＤＲＩＣＨ品）を滴下した。
化合物ｆ  ３２．４ｇを分割添加し、内温１０℃で撹拌しながら同温度で６０分間撹拌した後、尿素１．８３ｇを反応混合物の中に添加した１８．８ｇの化合物ｃを４７０ｍｌのメタノールに懸濁した溶液へ、内温＜０℃でジアゾニウム塩を滴下し、そのまま同温度で３０分間撹拌した後、反応液の内温を室温まで昇温した後、ろ過、メタノール洗浄及びＨ2Ｏ洗浄して、粗結晶を得た。引き続き粗結晶をメタノール４００ｍｌに懸濁して、一時間還流下で撹拌後、室温まで冷却し、ろ過、メタノール洗浄、水洗浄メタノール洗浄後、７５℃で一晩乾燥した後ＤＹＥ−１１の遊離酸型結晶３４．４ｇを得た。得られた結晶を１０ｗｔ％ａｑ（ａｔ２５℃：ｐＨ≒８．０：ＬｉＯＨａｑ調製；Ｌｉイオン化率９９．９％以上）とした後、内温５０℃でＩＰＡを添加して晶析後、冷却、ろ過、ＩＰＡ洗浄して、乾燥後３５ｇのＹＥＬＬＯＷ−１を得た。λｍａｘ＝４３５．７ｎｍ（Ｈ2Ｏ）、ε：３．３０×１０4（ｄｍ3・ｃｍ／ｍｏｌ）
【０４５４】
【化５０】
2009132891.tif 000051
【０４５５】
［合成例２］
前記色素（ＹＥＬＬＯＷ−１）の合成法と同様の方法及び操作を組み合わせることで、Ｙｅｌｌｏｗ−２、Ｙｅｌｌｏｗ−３、Ｙｅｌｌｏｗ−４、Ｙｅｌｌｏｗ−５、Ｙｅｌｌｏｗ−６、Ｙｅｌｌｏｗ−７、Ｙｅｌｌｏｗ−８が合成できる。合成した色素のＨ2Ｏ中での最大吸収波長:λｍａｘ及び分子吸光係数：ε値を表−１に示した。
【０４５６】
【化５１】
2009132891.tif 000052
【０４５７】
【化５２】
2009132891.tif 000053
【０４５８】
【化５３】
2009132891.tif 000054
【０４５９】
【化５４】
2009132891.tif 000055
【０４６０】
［合成例３］
色素（ＹＥＬＬＯＷ−９）の合成法を詳細に記述する。
【０４６１】
【化５５】
2009132891.tif 000056
【０４６２】
合成例１中に記載の方法で合成したＤＹＥ−１１（遊離酸型結晶）を用いて、ＭＯＨａｑ｛ＬｉＯＨａｑ／ＫＯＨａｑ＝９／１（ｍｏｌ／ｍｏｌ）調製｝で中和後、１０ｗｔ％ａｑ（ａｔ２５℃：ｐＨ≒８．０）とした後、内温５０℃でＩＰＡを添加して晶析後、冷却、ろ過、ＩＰＡ洗浄して、乾燥後３５ｇのＹＥＬＬＯＷ−９を得た。合成した色素のＨ2Ｏ中での最大吸収波長:λｍａｘ及び分子吸光係数：ε値を表−１に示した。
【０４６３】
［合成例４］
ＭＯＨａｑ｛ＬｉＯＨａｑ／ＮａＯＨａｑ＝９／１（ｍｏｌ／ｍｏｌ）調製｝、ＭＯＨａｑ｛ＬｉＯＨａｑ／ＮＨ4ＯＨａｑ＝９／１（ｍｏｌ／ｍｏｌ）調製｝、ＭＯＨａｑ｛ＬｉＯＨａｑ／ＫＯＨａｑ＝３／１（ｍｏｌ／ｍｏｌ）調製｝及びＭＯＨａｑ｛ＬｉＯＨａｑ／ＮａＯＨａｑ＝２／1（ｍｏｌ／ｍｏｌ）調製｝、で中和する操作以外は、前記色素（ＹＥＬＬＯＷ−９）の合成法と同様の方法を用いることで、それぞれＹｅｌｌｏｗ−１０、Ｙｅｌｌｏｗ−１１、Ｙｅｌｌｏｗ−１２及びＹｅｌｌｏｗ−１３が合成できる。合成した色素のＨ2Ｏ中での最大吸収波長:λｍａｘ及び分子吸光係数：ε値を表−１に示した。
【０４６４】
【表１】
2009132891.tif 000057
【０４６５】
〔各インク組成物の調製〕
以下の表２〜表５に示した組成に基づき、各成分を常温において３０分間攪拌した後、得られた溶液を目開き１．０μｍのメンブランフィルターを用いて濾過することにより各インク組成物を得た。なお表１中において、各成分の数値はインク組成物の質量を１００％とした場合の各成分の質量％を示し、さらに水の量を示す「残り」は、水以外の成分とあわせて合計１００％になる量を示す。
また、表２〜表５中、Ｙはイエローインク組成物、ＬＭはライトマゼンタインク組成物（淡マゼンタインク組成物）、Ｍマゼンタインク組成物、ＬＣはライトシアンインク組成物（淡シアンインク組成物）、Ｃはシアンインク組成物、Ｋはブラックインク組成物を表す。
【０４６６】
表２及び表５中、イエロー染料としては、前記式（Ｙ−６−Ｉ）で表される化合物の例として下記一般式（ＹＥＬＬＯＷ−１）、（ＹＥＬＬＯＷ−２）及び（ＹＥＬＬＯＷ−３）を用い、前記式（Ｙ−９）で表される化合物の例として下記一般式（ＹＥＬＬＯＷ−４）を用い、前記式（Ｙ−Ｉ）で表される化合物の例として下記一般式（ＹＥＬＬＯＷ−５）、（ＹＥＬＬＯＷ−６）、（ＹＥＬＬＯＷ−７）、（ＹＥＬＬＯＷ−８）、（ＹＥＬＬＯＷ−９）、（ＹＥＬＬＯＷ−１０）、（ＹＥＬＬＯＷ−１１）、（ＹＥＬＬＯＷ−１２）及び（ＹＥＬＬＯＷ−１３）を用いた。
【０４６７】
【化５６】
2009132891.tif 000058
【０４６８】
【化５７】
2009132891.tif 000059
【０４６９】
【化５８】
2009132891.tif 000060
【０４７０】
【化５９】
2009132891.tif 000061
【０４７１】
イエロー染料の比較例としては下記一般式（ＹＥＬＬＯＷ−２１）、（ＹＥＬＬＯＷ−２２）、（ＹＥＬＬＯＷ−２３）、（ＹＥＬＬＯＷ−２４）、（ＹＥＬＬＯＷ−２５）及び（ＹＥＬＬＯＷ−２６）を用いた。
【０４７２】
【化６０】
2009132891.tif 000062
【０４７３】
【化６１】
2009132891.tif 000063
【０４７４】
表３及び表５中、マゼンタ染料としては、上記式（Ｍ−３）で表される化合物の例として下記一般式（ＭＡＧＥＮＴＡ−１）、（ＭＡＧＥＮＴＡ−２）を用いた。
【０４７５】
【化６２】
2009132891.tif 000064
【０４７６】
その他、前記（ＭＡＧＥＮＴＡ−１）及び（ＭＡＧＥＮＴＡ−２）で表される染料以外のマゼンタ染料の例としては、下記一般式（ＭＡＧＥＮＴＡ−４）、（ＭＡＧＥＮＴＡ−５）及び（ＭＡＧＥＮＴＡ−６）を用いた。
【０４７７】
【化６３】
2009132891.tif 000065
【０４７８】
【化６４】
2009132891.tif 000066
【０４７９】
また、特開２００６−１４３９８９号公報に記載の方法を用いて得た（ＭＡＧＥＮＴＡ−１）を水に溶解させ、この溶液をリチウム／カリウム＝３／１（ｍｏｌ／ｍｏｌ）型強酸性陽イオン交換樹脂２００ｍＬ（オルガノ（株）社製：商品名アンバーライトＩＲ−１２０Ｂをリチウム／カリウム＝３／１（ｍｏｌ／ｍｏｌ）型に変換したもの）を円筒形のカラムに充填した充填塔の中を２５℃で通液した。通液した水溶液を希水酸化リチウム／カリウム（＝３／１  ｍｏｌ／ｍｏｌ）水溶液を用いてｐＨ７に調整したのちに、平均孔径０．２２μｍのメンブランフィルターを用いて濾過を行い、濾液をロータリーエバポレーターを用いて減圧濃縮乾固し、上記（ＭＡＧＥＮＴＡ−１１）を得た｛マゼンタ染料中の対イオンがＬｉ／Ｋ＝３／１（ｍｏｌ／ｍｏｌ）｝。
【０４８０】
【化６５】
2009132891.tif 000067
【０４８１】
また、特開２００６−１４３９８９号公報に記載の方法を用いて得た（ＭＡＧＥＮＴＡ−１）を水に溶解させ、この溶液をリチウム／カリウム＝２／１（ｍｏｌ／ｍｏｌ）型強酸性陽イオン交換樹脂２００ｍＬ（オルガノ（株）社製：商品名アンバーライトＩＲ−１２０Ｂをリチウム／カリウム＝２／１（ｍｏｌ／ｍｏｌ）型に変換したもの）を円筒形のカラムに充填した充填塔の中を２５℃で通液した。通液した水溶液を希水酸化リチウム／カリウム＝２／１  （ｍｏｌ／ｍｏｌ）水溶液を用いてｐＨ７に調整したのちに、平均孔径０．２２μｍのメンブランフィルターを用いて濾過を行い、濾液をロータリーエバポレーターを用いて減圧濃縮乾固し、上記（ＭＡＧＥＮＴＡ−１２）を得た｛マゼンタ染料中の対イオンがＬｉ／Ｋ＝２／１（ｍｏｌ／ｍｏｌ）｝。
【０４８２】
更にマゼンタ染料と併用する添加剤（ベタイン）として前記一般式（Ｗ−２）の例として下記一般式（ベタイン−１）を用いた。
【０４８３】
【化６６】
2009132891.tif 000068
【０４８４】
上記記載の添加剤（ベタイン−１）は、公知な化合物であり、種々の製造方法を単独または組み合わせて合成及び精製することができる。
【０４８５】
【化６７】
2009132891.tif 000069
【０４８６】
上述したように、本発明で用いる添加剤（ベタイン−１）は、３級アミン（Ｎ，Ｎ−ジメチル−ｎ−テトラデシルアミン；花王株式会社製）とクロロ酢酸ナトリウム（和光純薬製）をアルコール系溶媒で加熱撹拌することで、粗ベタイン−１に誘導した。溶媒を留去した後、特開２００４−２８５２６９号公報に記載の方法を組み合わせて、目的とする高純度品に精製して用いた。
【０４８７】
本発明に用いた、ベタイン−１（精製後）の純度分析結果は以下のとおりである。
ＨＰＬＣ面積％≒９８％（ＣＨ3ＣＮ／Ｈ2Ｏ＝９５／５ｖ／ｖ；１ｍｌ／ｍｉｎ．；ｄｅｔｅｃｔ  ２００ｎｍ）
ｍ．ｐ．＝２０５〜２０６℃
ｐＨ≒８．３３（２０ｗｔ％ａｑ．；ａｔ２５℃）
【０４８８】
1Ｈ-ＮＭＲ（ＤＭＳＯ-ｄ６）：δ値ＴＭＳ基準：０．８６（３Ｈ，ｔ）；１．２３（２２Ｈ，ｍ）；１．６０（２Ｈ，ｍ）；３．０７（６Ｈ，ｓ）；３．４４（２Ｈ，ｍ）；３．４９（２Ｈ，ｓ）
【０４８９】
イオンクロマト分析（Ｃｌ-）：２０ｗ％ａｑ換算濃度でＮ．Ｄ．
イオンクロマト分析（ＳＯ42-）：２０ｗ％ａｑ換算濃度でＮ．Ｄ．
【０４９０】
表１及び表２中、シアン染料としては、上記式（Ｃ−３）で表される化合物の例として下記一般式（ＣＹＡＮ−１）及び（ＣＹＡＮ−２）、上記式（Ｃ−４）で表される化合物の例として（ＣＹＡＮ−３）で表される化合物を用いた。
（ＣＹＡＮ−１）：
【０４９１】
【化６８】
2009132891.tif 000070
【０４９２】
（ＣＹＡＮ−２）：
【０４９３】
【化６９】
2009132891.tif 000071
【０４９４】
（ＣＹＡＮ−３）：
【０４９５】
【化７０】
2009132891.tif 000072
【０４９６】
その他、前記（ＣＹＡＮ−１），（ＣＹＡＮ−２），（ＣＹＡＮ−３）で表される染料以外のシアン染料の例としては、下記一般式（ＣＹＡＮ−４）、及び（ＣＹＡＮ−５）を用いた。
【０４９７】
【化７１】
2009132891.tif 000073
【０４９８】
また、（ＣＹＡＮ−１）を水に溶解させ、この溶液をリチウム／ナトリウム＝３／１（ｍｏｌ／ｍｏｌ）型強酸性陽イオン交換樹脂２００ｍＬ（オルガノ（株）社製：商品名アンバーライトＩＲ−１２０Ｂをリチウム／ナトリウム＝３／１（ｍｏｌ／ｍｏｌ）型に変換したもの）を円筒形のカラムに充填した充填塔の中を２５℃で通液した。通液した水溶液を希水酸化リチウム／ナトリウム（＝３／１  ｍｏｌ／ｍｏｌ）水溶液を用いてｐＨ７に調整したのちに、平均孔径０．２２μｍのメンブランフィルターを用いて濾過を行い、濾液をロータリーエバポレーターを用いて減圧濃縮乾固し、（ＣＹＡＮ−１１）を得た｛シアン染料中の対イオンがＬｉ／Ｎａ＝３／１（ｍｏｌ／ｍｏｌ）｝。
【０４９９】
【化７２】
2009132891.tif 000074
【０５００】
更に、（ＣＹＡＮ−１）を水に溶解させ、この溶液をリチウム／ナトリウム＝２／１（ｍｏｌ／ｍｏｌ）型強酸性陽イオン交換樹脂２００ｍＬ（オルガノ（株）社製：商品名アンバーライトＩＲ−１２０Ｂをリチウム／ナトリウム＝２／１（ｍｏｌ／ｍｏｌ）型に変換したもの）以外は（ＣＹＡＮ−１１）の合成方法と同じ操作をすることにより、（ＣＹＡＮ−１２）を得た｛シアン染料中の対イオンがＬｉ／Ｎａ＝２／１（ｍｏｌ／ｍｏｌ）｝。
【０５０１】
【化７３】
2009132891.tif 000075
【０５０２】
更にシアン染料と併用する添加剤の例として下記一般式（Ａｄｄ．−１）を用いた。        
【０５０３】
【化７４】
2009132891.tif 000076
【０５０４】
表５中、ブラック染料としては、上記一般式（Ｂ−４）で表される化合物の例として下記一般式（ＢＬＡＣＫ−１）、一般式（Ｂ−５）で表される化合物の例として下記一般式
（ＢＬＡＣＫ−２）で表される化合物を用いた。また、色相の調整の観点で補色用染料として上記一般式（Ｂ−１４）で表される化合物の例として下記一般式（ＢＬＡＣＫ−３）、（ＢＬＡＣＫ−４）で表される化合物を併用した。
【０５０５】
【化７５】
2009132891.tif 000077
【０５０６】
その他、前記（ＢＬＡＣＫ−１），（ＢＬＡＣＫ−２），（ＢＬＡＣＫ−３）及び（ＢＬＡＣＫ−４）で表される染料以外のブラック染料の例としては、下記一般式（ＢＬＡＣＫ−５）及び（ＢＬＡＣＫ−６）を用いた。
【０５０７】
【化７６】
2009132891.tif 000078
【０５０８】
また、（ＢＬＡＣＫ−１）、（ＢＬＡＣＫ−２）を水に溶解させ、この溶液をリチウム／ナトリウム＝４／１（ｍｏｌ／ｍｏｌ）型強酸性陽イオン交換樹脂２００ｍＬ（オルガノ（株）社製：商品名アンバーライトＩＲ−１２０Ｂをリチウム／ナトリウム＝４／１（ｍｏｌ／ｍｏｌ）型に変換したもの）を円筒形のカラムに充填した充填塔の中を２５℃で通液した。通液した水溶液を希水酸化リチウム／ナトリウム（＝４／１  ｍｏｌ／ｍｏｌ）水溶液を用いてｐＨ７に調整したのちに、平均孔径０．２２μｍのメンブランフィルターを用いて濾過を行い、濾液をロータリーエバポレーターを用いて減圧濃縮乾固し、（ＢＬＡＣＫ−１１）及び（ＢＬＡＣＫ−１２）を得た｛ブラック染料中の対イオンがＬｉ／Ｎａ＝４／１（ｍｏｌ／ｍｏｌ）｝。
【０５０９】
【化７７】
2009132891.tif 000079
【０５１０】
【表２】
2009132891.tif 000080
【０５１１】
【表３】
2009132891.tif 000081
【０５１２】
【表４】
2009132891.tif 000082
【０５１３】
【表５】
2009132891.tif 000083
【０５１４】
次に調製した各インク組成物を用いて表６に示す組み合わせで、実施例１〜２５及び比較例１〜９の各インクセットを作成した。なお、表６に示した組み合わせのインクセットはライトインク組成物、すなわち淡マゼンタ(Light Magenta)インク組成物及び淡シアン(Light Cyan)インク組成物を含まない。
【０５１５】
【表６】
2009132891.tif 000084
【０５１６】
インクジェットプリンタ Stylus Color 880（商標）（商品名、セイコーエプソン株式会社製）を使用し、さらに表６に示したインクセットを用いて、インクジェット専用記録媒体｛写真用紙<光沢>（商品名、セイコーエプソン株式会社製）｝にイエロー、マゼンタ、シアン、及びブラック（ただし、インクセットがブラックインク組成物を含む場合のみブラックを含む。）からなり、それぞれの色のＯＤ値が０．７〜１．８になるように階段状に濃度が変化した各色単色画像パターンならびにグリーン、レッド、グレーの画像パターンを印字させ、画像堅牢性（耐光性・耐オゾンガス性）ならびに画像品質（ブロンズ光沢）の評価を行った。
【０５１７】
〔耐オゾン性試験方法〕
オゾンガス濃度が５ｐｐｍ（２５℃；６０％ＲＨ）に設定された条件下で記録物を７日間、オゾンガスに曝露した。オゾンガス濃度は、ＡＰＰＬＩＣＳ製オゾンガスモニター（モデル：ＯＺＧ−ＥＭ−０１）を用いて設定した。曝露開始から一定期間経過ごとに、反射濃度計（Ｘ−Ｒｉｔｅ３１０ＴＲ）を使用して各印刷物に記録されている各色のＯＤ値を測定した。尚、前記反射濃度は、０．７、１．０及び１．８の３点で測定した。
得られた結果から次式：ＲＯＤ（％）＝（Ｄ／Ｄ0）×１００を用いて光学濃度残存率（ＲＯＤ）を求めた。
（式中、Ｄは曝露試験後のＯＤ値、Ｄ0は曝露試験前のＯＤ値を表す。）
【０５１８】
さらに、上記試験の結果に基づき、下記の判定基準を用いて、記録物に記録された各色の耐オゾン性をＡ〜Ｄにランク付けた。
［判定基準］
評価Ａ：試験開始から７日後のＲＯＤが、何れの濃度でも８５％以上である。
評価Ｂ：試験開始から７日後のＲＯＤが、何れか１点の濃度が８５％未満になる。
評価Ｃ：試験開始から７日後のＲＯＤが、何れか２点の濃度が８５％未満になる。
評価Ｄ：試験開始から７日後のＲＯＤが、全ての濃度で８５％未満になる。
【０５１９】
本試験においては、オゾンに長時間曝露してもＲＯＤの低下が少ない記録物が優れる。得られた結果を「耐オゾンガス性」として表７に示した。
【０５２０】
〔耐光性試験方法〕
ウェザーメーター（アトラス社製）を使用し、画像にキセノン光（１０万ルックス）を１４日照射した。照射開始から一定期間経過ごとに、反射濃度計（Ｘ−Ｒｉｔｅ３１０ＴＲ）を使用して各印刷物に記録されている各色のＯＤ値を測定した。尚、前記反射濃度は、０．７、１．０及び１．８の３点で測定した。
得られた結果から次式：ＲＯＤ（％）＝（Ｄ／Ｄ0）×１００を用いて、光学濃度残存率（ＲＯＤ）を求めた。
（式中、Ｄは曝露試験後のＯＤ値、Ｄ0は曝露試験前のＯＤ値を表す。）
さらに、上記試験の結果に基づき、下記の判定基準を用いて、記録物に記録された各色の耐光性をＡ〜Ｄにランク付けた。
［判定基準］
評価Ａ：試験開始から１４日後のＲＯＤが、何れの濃度でも８５％以上である。
評価Ｂ：試験開始から１４日後のＲＯＤが、何れか１点の濃度が８５％未満になる。
評価Ｃ：試験開始から１４日後のＲＯＤが、何れか２点の濃度が８５％未満になる。
評価Ｄ：試験開始から１４日後のＲＯＤが、全ての濃度で８５％未満になる。
本試験においては、光に長時間曝露してもＲＯＤの低下が少ない記録物が優れる。得られた結果を表７に示した。
【０５２１】
【表７】
2009132891.tif 000085
【０５２２】
さらに以下のブロンズ評価を行った。
〔ブロンズ評価〕
実施例１〜２５及び比較例１〜９のインクセットについて、インクジェット専用記録媒体（写真用紙<光沢>）に、１平方インチ当たり１．５〜２．２ｍｇの打ち込み量になるようにＣｙａｎ及びＢｌｕｅ（Ｃｙａｎ＋Ｍａｇｅｎｔａ）のベタ印字を行い、得られた印刷物を、光沢度計（ＰＧ−１Ｍ、日本電色工業株式会社製）を用いて測定し（測定角度６０度）、光沢度を求めた。印字は、２５℃５０％ＲＨの環境下で評価した。得られた光沢度と以下の式に基づいて計算した上昇値をブロンズ現象発生の程度を判定する基準とし、以下の判定基準に基づいて判定を行った。
上昇値＝光沢度（印刷物）−光沢度（記録媒体）
［判定基準］
評価Ａ：１５未満
評価Ｂ：１５以上３５未満
評価Ｃ：３５以上５５未満
評価Ｄ：５５以上
得られた結果を、表８に「ブロンズ光沢」として示した。
【０５２３】
【表８】
2009132891.tif 000086